(57)【要約】      （修正有）【課題】冷却装置での使用のための恒温容器を提供する。【解決手段】冷却装置での使用のための恒温容器１１０は、恒温容器の１つ以上の壁２００を実質的に規定する断熱材の１つ以上の部分、内部領域を含んでいる制御容器、容器内部に貯蔵領域９２０および相変化材料領域９１０を形成するように内部領域を分割する断熱区分、貯蔵領域と相変化材料領域との間に導管９３０を含んでいる断熱区分、導管内の熱制御装置；容器を実質的に規定する断熱材の一部分内の開口部、容器内部の相変化材料領域と容器の外面との間の開口部、および開口部内に位置する一方向性熱伝導体９７０、相変化材料領域から、容器の外面への方向において熱を伝えるように構成された一方向性熱伝導体を含んでいる。【選択図】図１０
2019078524.tif 000002
【特許請求の範囲】
【請求項１】
冷却装置における使用のための恒温容器であって、
内部領域を備えている恒温容器の１つ以上の壁を実質的に規定している断熱材の１つ以上の部分；
上記恒温容器に内在する貯蔵領域および相変化材料領域を形成するように上記内部領域を分けており、かつ上記貯蔵領域および上記相変化材料領域の間に導管を含んでいる、断熱隔壁；
上記導管の内部に配置されている熱移動要素を含んでおり、上記貯蔵領域の内部にある、サーマルダイオードユニット；
上記恒温容器に内在する上記相変化材料領域および上記恒温容器の外面の間にあり、かつ上記恒温容器を実質的に規定している上記断熱材の部分の内部にある、開口；
上記相変化材料領域から上記恒温容器の上記外面までの方向に熱を伝えるように構成されており、上記開口の内部に配置されている、一方向性熱伝導体；ならびに
上記冷却装置の内部に配置されるように構成されている放熱部材、および上記一方向性熱伝導体と熱的に接続されている熱伝達部品を備えており、かつ上記恒温容器の上記外面に隣接する、熱分散ユニットを備えている、冷却装置における使用のための恒温容器。
【請求項２】
上記一方向性熱伝導体がヒートパイプ装置を備えている、請求項１に記載の恒温容器。
【請求項３】
上記熱分散ユニットの上記熱伝達部品が、熱エネルギーを、上記一方向性熱伝導体から離して伝達するように配置されている熱電ユニットを含み、
上記貯蔵領域の内部に配置されている温度センサ；
上記冷却装置の外部に配置されるように構成されている光起電ユニット；
上記光起電ユニットに取り付けられている逆変換装置；
上記逆変換装置に取り付けられている、密閉されているバッテリ；
上記バッテリに取り付けられている送信機；および
上記温度センサからの入力に応じて上記熱電ユニットに動作信号を送るように、および上記送信機に動作信号を送るように構成されており、かつ上記熱電ユニット、上記温度センサ、上記密閉されているバッテリ、および上記送信機に取り付けられている、制御装置を、さらに備えている、請求項１に記載の恒温容器。
【請求項４】
上記冷却装置のための制御装置に取り付けられており、上記貯蔵領域の内部に配置されている温度センサをさらに備えている、請求項１に記載の恒温容器。
【発明の詳細な説明】
【発明の詳細な説明】
【０００１】
［概略］
優先出願の全ての主題は、本書と矛盾しない限りにおいて、参照として本書に組み込まれる。
【０００２】
冷却装置内における使用のための恒温容器が、本書に記載されている。いくつかの実施形態において、冷却装置内における使用のための恒温容器は：冷却装置の貯蔵領域内に適合するための大きさおよび形の恒温容器を実質的に規定する断熱材の１つ以上の部分、容器の一辺にある開口を形成する断熱材の１つ以上の部分および開口より遠位の容器内部の貯蔵領域；およびタンクを実質的に形成する２つ以上の壁、容器に内在する相変化材料を保持するように構成されるタンク、タンクの第１の壁が容器の一辺にある開口に隣接し、タンクの第２の壁が貯蔵領域に隣接して位置するように、断熱材の１つ以上の部分内に位置する１つ以上の壁を備える。
【０００３】
いくつかの実施形態において、冷却装置内における使用のための恒温容器は、恒温容器の１つ以上の壁を実質的に規定する断熱材の１つ以上の部分、内部領域を含んでいる恒温容器、容器内部に貯蔵領域および相変化材料領域を形成するように内部領域を分割する断熱隔壁、貯蔵領域と相変化材料領域との間に導管を含んでいる断熱隔壁；導管内の熱制御装置；容器を実質的に規定する断熱材の一部分内の開口、容器内部の相変化材料領域と容器の外面との間の開口、開口内に位置する一方向性熱伝導体、相変化材料領域から容器の外面への方向において熱を伝えるように構成される一方向性熱伝導体；および容器の外面に隣接しており、冷却装置内に位置するように構成される放射部品を含んでいる発熱ユニット、一方向性熱伝導体と熱的に接続されている熱伝達部品を備える。
【０００４】
いくつかの実施形態において、冷却装置内における使用のための恒温容器は：恒温容器の１つ以上の壁を実質的に規定する断熱材の１つ以上の部分、内部領域を含んでいる恒温容器；容器内部に貯蔵領域および相変化材料領域を形成するように内部領域を分割する断熱隔壁、貯蔵領域と相変化材料領域との間に導管を含んでいる断熱隔壁；貯蔵領域内のサーマルダイオードユニット、導管内に位置する熱伝達部品を含んでいるサーマルダイオードユニット；容器を実質的に規定する断熱材の一部分内の開口、容器内部の相変化材料領域と容器の外面との間の開口；開口内に位置する一方向性熱伝導体、相変化材料領域から容器の外面への方向において熱を伝えるように構成される一方向性熱伝導体；および容器の外面に隣接しており、冷却装置内に位置するように構成される放射部品を含んでいる発熱ユニット、および一方向性熱伝導体と熱的に接続されている熱伝達部品を備える。
【０００５】
いくつかの実施形態において、冷却装置内における使用のために構成されるサーマルダイオードユニットは：サーマルダイオードユニットの使用の間、実質的に垂直であるように構成される少なくとも１つの内部壁；少なくとも１つの内部壁と一致する大きさおよび形の、少なくとも１つの外部壁であって、上記少なくとも１つの内部壁と上記少なくとも１つの外部壁との間に形成される間隙を有する上記少なくとも１つの外部壁、間隙に隣接する少なくとも１つの内部壁の表面に取り付けられたメッシュ構造；間隙内の液体；間隙を取り囲むサーマルダイオードユニットの気体不透過性である内部領域を形成する、少なくとも１つの内部壁と少なくとも１つの外部壁との間の１つ以上の密封装置；および大気圧を下回る気体不透過性である内部領域のガス圧を備える。
【０００６】
いくつかの実施形態において、冷却装置内における使用のための恒温容器は、恒温容器の１つ以上の壁を実質的に規定する断熱材の１つ以上の部分、内部領域を含んでいる恒温容器；容器内部の貯蔵領域および相変化材料領域を形成するように内部領域を分割し、貯蔵領域と相変化材料領域との間に導管を含んでいる断熱隔壁；導管内の熱制御装置；容器内部の相変化材料領域と容器の外面との間の、容器を実質的に規定する断熱材の一部分内の第１の開口、；相変化材料領域から容器の外面への方向において熱を伝えるように構成された、第１の開口内に位置する第１の一方向性熱伝導体、；容器内部の貯蔵領域と容器の外面との間の、容器を実質的に規定する断熱材の一部分内の第２の開口；および貯蔵領域から容器の外面への方向において熱を伝えるように構成された、第２の開口内に位置する第２の一方向性熱伝導体を備える。
【０００７】
いくつかの実施形態において、冷却装置への温度制御の増設部分は：冷却装置の冷凍庫部分内に適合するような大きさおよび形の容器を含んでいる蓄熱ユニット、冷却装置の冷却コイルの横断面よりも大きな縁部の寸法を有する開口を含んでいる容器；冷却装置の排気開口に隣接して位置するように構成される上縁を含んでいる、冷却装置の冷却部分内と適合する大きさおよび形のサーマルダイオードユニット、；および温度センサを含んでいる制御ユニット、温度センサに反応する制御装置、および制御装置に反応するファンを備える。
【０００８】
いくつかの実施形態において、冷却装置への温度制御の増設部分は：恒温容器の１つ以上の壁を実質的に規定する断熱材の１つ以上の部分を含んでいる恒温容器、少なくとも第１の貯蔵領域および第２の貯蔵領域に内部領域を分割する断熱隔壁、冷却装置の通気導管内に位置するような大きさおよび形の、第１の貯蔵領域に取り付けられた第１の導管および第２の貯蔵領域に取り付けられた第２の導管両方；第１のサーマルダイオードユニットの上縁と熱的に接続されている熱伝達部品を含んでいる、恒温容器の第１の貯蔵領域内に適合するための大きさおよび形の第１のサーマルダイオードユニット、恒温容器の第１の導管内に位置するように構成される熱伝達部品；第２のサーマルダイオードユニットの上縁と熱的に接続されている熱伝達部品を含んでいる、容器の第２の貯蔵領域内に適合するための大きさおよび形の第２のサーマルダイオードユニット、恒温容器の第２の導管内に位置するように構成される熱伝達部品；温度センサを含んでいる第１の制御ユニット、温度センサに反応する制御装置、および恒温容器の第１の貯蔵領域に取り付けられた制御装置に反応するファン；および温度センサを含んでいる第２の制御ユニット、温度センサに反応する制御装置、および恒温容器の第２の貯蔵領域に取り付けられた制御装置に反応するファンを備える。
【０００９】
いくつかの実施形態において、冷却装置への温度制御の増設部分を形成する方法は：冷却装置の内側表面の測定値を取得すること；断熱材から形成された１つ以上の壁から恒温容器を形成し、冷却装置の内側表面および熱密封内部領域と可逆的に接合するように構成される外面を含んでいる恒温容器を形成すること；少なくとも１つの貯蔵領域、および少なくとも１つの相変化材料領域を形成するように、熱密封内部領域内に少なくとも１つの断熱隔壁を取り付けること；冷却装置内に恒温容器が設置されたとき、熱が、熱密封内部領域から冷却装置の内側表面へ導かれるように、１つ以上の壁を通して少なくとも１つの一方向性熱伝導体を設置すること；および相変化材料領域内に相変化材料を密封することを備える。
【００１０】
前述の概略は、単に例示的なものであり、いかなる場合においても制限的であると意図されるべきではない。上記に述べられている例示的な態様、実施形態、および特徴に加え、さらなる態様、実施形態、および特徴が、図面への参照および後の詳細な説明によって明白になり得る。
【００１１】
［詳細な説明］
下記の詳細な説明において、本明細書の一部を構成する添付図面が参照される。図面において、同様の記号は、文脈で別途指摘しない限り、通常、同様の部材を特定している。詳細な説明、図面、および特許請求の範囲において述べられている例示的な実施形態は、限定することを意図するものではない。他の実施形態を利用することができるし、本明細書に示される発明特定事項の精神又は範囲から逸脱することなく、他の変更をすることが可能である。
【００１２】
冷却装置内における使用のための恒温容器の態様が、本書に記載されている。本書に記載されている恒温容器は、冷却装置内における使用のために定められている。例えば、いくつかの実施形態において、恒温容器は、家庭用冷却室における使用のための大きさ、形および構成である。例えば、いくつかの実施形態において、恒温容器は、家庭用冷却器具における使用のための大きさ、形および構成である。例えば、いくつかの実施形態において、恒温容器は、商用冷却室における使用のための大きさ、形および構成である。例えば、いくつかの実施形態において、恒温容器は、医療用冷却室における使用のための大きさ、形および構成である。本書に記載されている恒温容器は、恒温容器が冷却装置内に存在する間、容器内の少なくとも１つの貯蔵領域へ継続した温度制御を提供するように構成される。本書に記載されている恒温容器は、冷却装置が作動していないとき（例えば停電の間）でも、容器内の少なくとも１つの貯蔵領域に継続した温度制御を提供するように設計されている。特に、本書に記載されている恒温容器は、冷却装置への断続的または可変電力供給を有する場所において有用であり得ることが、予想される。例えば、いくつかの実施形態において、冷却装置が平均約１０％の確率で電力へのアクセスを有する間、恒温容器は、所定の温度範囲内で無期限に内部貯蔵領域を維持するように構成され得る。例えば、いくつかの実施形態において、冷却装置が平均約５％の確率で電力へのアクセスを有する間、恒温容器は、所定の温度範囲内で無期限に内部貯蔵領域を維持するように構成され得る。例えば、いくつかの実施形態において、冷却装置が平均約１％の確率で電力へのアクセスを有する間、恒温容器は、所定の温度範囲内で無期限に内部貯蔵領域を維持するように構成され得る。例えば、いくつかの実施形態において、恒温容器は、所定の温度範囲内で少なくとも３０時間、内部貯蔵領域を維持するように構成され得る。例えば、いくつかの実施形態において、恒温容器は、所定の温度範囲内で少なくとも５０時間、内部貯蔵領域を維持するように構成され得る。例えば、いくつかの実施形態において、恒温容器は、所定の温度範囲内で少なくとも７０時間、内部貯蔵領域を維持するように構成され得る。例えば、いくつかの実施形態において、恒温容器は、所定の温度範囲内で少なくとも９０時間、内部貯蔵領域を維持するように構成され得る。例えば、いくつかの実施形態において、恒温容器は、所定の温度範囲内で少なくとも１１０時間、内部貯蔵領域を維持するように構成され得る。例えば、いくつかの実施形態において、恒温容器は、所定の温度範囲内で少なくとも１３０時間、内部貯蔵領域を維持するように構成され得る。例えば、いくつかの実施形態において、恒温容器は、所定の温度範囲内で少なくとも１５０時間、内部貯蔵領域を維持するように構成され得る。例えば、いくつかの実施形態において、恒温容器は、所定の温度範囲内で少なくとも１７０時間、内部貯蔵領域を維持するように構成され得る。温度変動に対して特に敏感な物品は、冷却装置への電源が中断されたときでも、所定の温度範囲内で長時間上記物品を維持するために、恒温容器の貯蔵領域内に貯蔵され得る。例えば、いくつかの実施形態において、電力を得ることができない冷却装置内の恒温容器は、周囲の外部温度が−１０℃と４３℃との間であるとき、上記恒温容器の内部貯蔵領域の温度を長時間維持するように構成される。例えば、いくつかの実施形態において、周囲の外部温度が−１０℃より下であるとき、電力を得ることができない冷却装置内の恒温容器は、上記恒温容器の内部貯蔵領域の温度を長時間維持するように構成される。
【００１３】
本書で用いられているように、“冷却装置”は、一時的に周囲の温度より下の温度において物質を貯蔵するように構成された、内部貯蔵領域を有する電動装置を指す。概して、冷却装置は、冷却コイルおよび電気により作動する圧縮機装置を含んでいる。いくつかの実施形態において、冷却装置は、地方自治の電源から電力を供給される。いくつかの実施形態において、冷却装置は、太陽発電装置から電力を供給される。いくつかの実施形態において、恒温容器は、冷却室である冷却装置に伴う使用のために設計される。冷却室は、都市電力システムから概して電力を供給される。冷却室は、周囲の温度より低くゼロより上の所定の温度範囲において内部に貯蔵された物品を保持するために、概して較正される。例えば、冷却室は、内部温度を１℃〜４℃で維持するために設計され得る。いくつかの実施形態において、恒温容器は、標準的な冷凍庫である冷却装置に伴う使用のために設計される。冷凍庫は、都市電力システムから概して電力を供給される。冷凍庫は、ゼロより低く極低温度より上の温度範囲において内部に貯蔵された物品を保持するために、概して較正される。冷凍庫は、例えば−２３℃〜−１７℃の内部温度を維持するように設計され得、例えば−１８℃〜−１５℃の内部温度を維持するように設計され得る。いくつかの実施形態において、恒温容器は、冷却室および冷凍室両方を含んでいる冷却装置に伴う使用のために設計される。例えば、いくつかの冷却装置は、冷却室の温度範囲において作動する第１の内部領域、および冷凍庫の温度範囲において作動する第２の内部領域を含んでいる。
【００１４】
いくつかの実施形態において、恒温容器は、所定の温度範囲内で恒温容器の内側貯蔵領域を維持するように構成される。本書で用いられている“所定の温度範囲”は、使用において、恒温容器の特定の実施形態の内側貯蔵領域のために望ましい所定の温度の範囲を指す。例えば、いくつかの実施形態において、恒温容器は、約２℃〜８℃の所定の温度範囲内で恒温容器の  内側貯蔵領域を維持するように構成される。例えば、いくつかの実施形態において、恒温容器は、約１℃〜９℃の所定の温度範囲内で恒温容器の  内側貯蔵領域を維持するように構成される。例えば、いくつかの実施形態において、恒温容器は、約−１５℃〜−２５℃の所定の温度範囲内で恒温容器の  内側貯蔵領域を維持するように構成される。例えば、いくつかの実施形態において、恒温容器は、約−５℃〜−１０℃の所定の温度範囲内で恒温容器の内側貯蔵領域を維持するように構成される。所定の温度範囲は、恒温容器の内側貯蔵領域が容器の使用の間内部の温度を維持するという点において、安定した温度範囲である。
【００１５】
例えば、いくつかの実施形態において、恒温容器は、冷却装置に対して電力が使用可能でないとき、少なくとも５０時間、所定の温度範囲内で恒温容器の内側貯蔵領域を維持するように構成される。例えば、いくつかの実施形態において、恒温容器は、冷却装置に対して電力が使用可能でないとき、少なくとも１００時間、所定の温度範囲内で恒温容器の内側貯蔵領域を維持するように構成される。例えば、いくつかの実施形態において、恒温容器は、冷却装置に対して電力が使用可能でないとき、少なくとも１５０時間、所定の温度範囲内で恒温容器の内側貯蔵領域を維持するように構成される。例えば、いくつかの実施形態において、恒温容器は、冷却装置に対して電力が使用可能でないとき、少なくとも２００時間、所定の温度範囲内で恒温容器の内側貯蔵領域を維持するように構成される。いくつかの実施形態において、恒温容器は、冷却装置に対して電力が使用可能でないとき、長時間所定の温度範囲内で内側貯蔵領域を受動的に維持するように構成される。いくつかの実施形態において、恒温容器は、電力が冷却装置に対して使用可能でなく、電力が恒温容器に対して使用可能でないとき、長時間所定の温度範囲内で内側貯蔵領域を維持するように構成される。いくつかの実施形態において、恒温容器は、電力が冷却装置に対して使用可能でなく、最小電力が恒温容器に対して使用可能であるとき、長時間所定の温度範囲内で内側貯蔵領域を維持するように構成される。例えば、いくつかの実施形態において、恒温容器は、小型バッテリを含んでいる。
【００１６】
いくつかの実施形態において、恒温容器は、冷却装置の内側から容易に取り外され得、冷却装置の外側にある時間、恒温容器の内側貯蔵領域の温度制御は持続する。例えば、いくつかの実施形態において、恒温容器は、１つの冷却装置の内側から別の冷却装置の内側へ、移動されるように構成される。例えば、いくつかの実施形態において、恒温容器は、１つの冷却装置の内側から一時的に取り外され、一時的に周囲室温に置いておかれ、その間所定の温度範囲内で恒温容器の内側貯蔵領域を維持するように構成される。例えば、いくつかの実施形態において、恒温容器は、冷却装置の掃除または点検のために冷却装置から取り外され得、恒温容器の内側貯蔵領域は、冷却装置の外側にある間所定の温度範囲内で維持される。
【００１７】
いくつかの実施形態において、恒温容器は、冷却装置の特定のモデル内に組み込まれ、冷却装置の内側から恒温容器の分離をしない、冷却装置からの直接除去のためには構成されていない。例えば、いくつかの実施形態において、恒温容器は、冷却装置の内部導管内に組み込まれる。例えば、いくつかの実施形態において、恒温容器は、冷却装置内部のベントダクト内に部分的に位置するように構成される。例えば、いくつかの実施形態において、恒温容器は、冷却装置の１つ以上の冷却コイルを囲む領域を含んでいる。例えば、いくつかの実施形態において、恒温容器は、例えば１つ以上のワイヤである、冷却装置の電気システムに付属するように構成される電気回路を含んでいる。
【００１８】
図１への参照を用いて示されているのは冷却装置内の恒温容器の例であり、本書に記載されている１つ以上の過程および／または装置を導入するための背景となり得る。図１は、冷却装置内部の単一の冷却領域を含んでいる冷却装置１００を描いている。単一のドアは、装置の外側の使用者に対して冷却装置の単一の冷却領域を実質的に開く。例証の目的のために、図１においてドアは示されていない。冷却装置１００は、プラスチックフォーム断熱材など、１つ以上の断熱材を含んでいるように製作され得る多数の壁１３０を含んでいる。冷却装置１００は、１組の冷却コイル１２０を含んでいる。例えば、冷却コイル１２０は、冷却装置１００の後部に取り付けられる圧縮機およびコンデンサー・コイルに取り付けられるエバポレータ冷却コイルであり得る。
【００１９】
図１は、冷却装置１００の内部貯蔵領域内の恒温容器１１０を描いている。恒温容器１１０は、恒温容器１１０内部の１つ以上の貯蔵領域へのアクセスを提供するように構成される、ハンドル１４５を有するドア１４０を含んでいる。図１において示されている恒温容器１１０は、冷却装置１００の内側に取り付けられているものとして描かれていないため、使用者によって冷却装置１００の内側から容易に取り外され得る。
【００２０】
図１においておよび引き続き描かれている恒温容器は、例証の目的のために、恒温容器の周囲に多少の空間を用いて示されているが、恒温容器は、冷却装置の内側の壁にぴったり一致し得ることが概して予期される。例えば、いくつかの実施形態において、恒温容器の対応する外側における表面および冷却装置の対応する内側が、お互い可逆的に接合するように構成された状態で、恒温容器は、冷却装置の特定のモデルの内部に明確に適合するように製作され得る。いくつかの実施形態において、恒温容器は、恒温容器の外側と冷却装置の内側との間を最小限にし、間隔を置くための追加の物質に適合し得る。例えば、いくつかの実施形態において、軟質発泡材は、容器と冷却装置との間の間隔が軟質発泡材によって満たされるように、恒温容器の外側の周囲に挿入され得る。例えば、いくつかの実施形態において、恒温容器は、冷却装置内に設置され得、冷却装置内の容器の周囲に発泡ブローが置かれ得る。
【００２１】
図２は、冷却装置１００内の恒温容器１１０の実施形態の態様を示している。冷却装置１００は、壁１３０、および１組の冷却コイル１２０を含んでいる。図２において示されている恒温容器１１０の実施形態は、断面図においてその内部構造を示すように実質的に描かれている。恒温容器１１０の実施形態は、冷却装置１００の貯蔵領域内に適合するような大きさおよび形の恒温容器１１０を実質的に規定する断熱材２００の１つ以上の部分、恒温容器１１０の一辺にある開口２５０を形成する断熱材２００の１つ以上の部分、および開口２５０より遠位の恒温容器１１０内部の貯蔵領域２３０を含んでいる。示されている実施形態は、タンク２２０を実質的に形成する２つの壁２１０、２４０、恒温容器１１０内部の相変化材料を保持するように構成されるタンク、タンクの第１の壁２１０が恒温容器１１０の一辺にある開口２５０に隣接し、タンクの第２の壁２４０が貯蔵領域２３０に隣接して位置するように、断熱材２００の１つ以上の部分内に位置する２つの壁２１０、２４０を同様に含んでいる。図２は、タンクの第１の壁２１０内の開口２１７、取り外しカバー２１５に接合するように構成される開口を同様に描いている。図２において示されている実施形態は、恒温容器１１０の下面における開口２０５、貯蔵領域２３０と容器の外側にある領域との間の熱エネルギー移動を最小にする一方、重力によって結露が貯蔵領域２３０から離れることを可能にする大きさおよび形の上記開口２０５を含んでいる。
【００２２】
いくつかの実施形態において、図２において示されているような恒温容器１１０は、家庭用冷却装置の冷却貯蔵領域内に適合するような大きさおよび形である。例えば、冷却装置１００は、家庭用冷却装置であり得る。いくつかの実施形態において、恒温容器は、容器の一辺にある開口を含み、ここで容器の一辺にある開口は、恒温容器が冷却装置の貯蔵領域内に存在するとき、冷却ユニットに隣接するように設置される。例えば、図２において示されている実施形態は、冷却装置の冷却コイル１２０に隣接して位置する開口２５０を含んでいる。いくつかの実施形態において、恒温容器は、容器の一辺にある開口を有し、ここで容器の一辺にある上記開口は、恒温容器が使用のために位置するとき、恒温容器の上縁において設置される。例えば、図２は、冷却装置１００における使用における恒温容器１１０、恒温容器１００の上縁において位置する開口２５０を含んでいる容器１１０を描いている。いくつかの実施形態において、恒温容器は、容器の一辺にある開口を含み、ここで上記容器の一辺にある開口は、恒温容器の一辺を実質的に包含する。例えば、図２において示されている恒温容器１１０の実施形態は、容器の上面の大部分が開口２５０であるように、容器の上側を実質的に包含する開口２５０を含み、開口２５０に隣接するタンクの第１の壁２１０を露出している。
【００２３】
恒温容器は、断熱材の１つ以上の部分を含んでいる。いくつかの実施形態において、断熱材の１つ以上の部分は、真空断熱材の１つ以上の部分を含んでいる。いくつかの実施形態において、断熱材の１つ以上の部分は、エアロゲルの１つ以上の部分を含んでいる。いくつかの実施形態において、断熱材の１つ以上の部分は、少なくとも７ｆｔ２・°Ｆ・ｈ／ＢｔｕのＲ−値を有する断熱材を含んでいる。いくつかの実施形態において、断熱材の１つ以上の部分は、少なくとも７ｆｔ２・°Ｆ・ｈ／ＢｔｕのＲ−値を有する断熱材を含んでいる。いくつかの実施形態において、断熱材の１つ以上の部分は、少なくとも１０ｆｔ２・°Ｆ・ｈ／ＢｔｕのＲ−値を有する断熱材を含んでいる。いくつかの実施形態において、断熱材の１つ以上の部分は、容器内部の貯蔵領域に隣接したアクセス開口；アクセス開口に実質的に接合するように構成されたドアを含んでいる。例えば、図１、６、８、１５、１７、２２、３０、３２および３３は、容器内部の隣接する貯蔵領域へのアクセスを可能にするように構成される、少なくとも１つのドアを含んでいる恒温容器の実施形態を描いている。恒温容器内のドアは、少なくとも１つの断熱材を含み得る。
【００２４】
いくつかの実施形態において、恒温容器は、容器の下面における開口、凝縮された液体が容器の内側から流れることを可能にするように構成された上記開口を含んでいる。例えば、図２、３、４、５、７、９、１０、１１、１２、１６、１８、２０、２１、２３、２４、２５、２６、２７および３１は、凝縮された液体が、容器の内側から流れることを可能にするように構成された少なくとも１つの開口２０５を含んでいる、恒温容器の実施形態を描いている。例えば、水は、恒温容器の貯蔵領域の内側において凝縮し得、容器の下面における開口は、凝縮した水が恒温容器から流出することを可能にするように位置し得る。凝縮された液体が容器の内側から流れることを可能にするように構成された開口は、例えば、容器の内側の下位において一端、容器の外部において一端という状態で、設置され得る。開口は、最小の熱が容器の内部へ向かうことを可能にするよう構成され得、例えば、上記開口は、細管構造として形成され得る。開口は、最小の熱が容器の内部へ向かうことを可能にするよう構成され得、例えば、上記開口は、細長い管構造として形成され得る。
【００２５】
恒温容器は、容器内部に少なくとも１つの貯蔵領域を含んでいる。いくつかの実施形態において、容器内部の少なくとも１つの貯蔵領域は、恒温容器が使用のために位置するとき、恒温容器の底に隣接するように設置される。例えば、図２において描かれている恒温容器１１０の貯蔵領域２３０は、貯蔵領域２３０の下面が容器１１０の底壁に隣接し、貯蔵領域２３０の上面がタンクの第２の壁２４０に隣接するように設置される状態で、容器１１０の底において位置する。いくつかの実施形態において、恒温容器は、容器が使用のために位置するとき、貯蔵領域の上に位置するタンクを含んでいる。
【００２６】
いくつかの実施形態において、容器内部の少なくとも１つの貯蔵領域は、実質的に２℃〜８℃の温度において物質を貯蔵するように構成される。例えば、いくつかの実施形態において、恒温容器が電動冷却装置内に位置している間、同様に１００時間未満の期間中冷却装置が電力を有さないとき、恒温容器は、実質的に２℃〜８℃の温度において容器内部の貯蔵領域を維持するように設計される。いくつかの実施形態において、容器内部の少なくとも１つの貯蔵領域は、実質的に約１℃〜９℃の温度において物質を貯蔵するように構成される。いくつかの実施形態において、容器内部の少なくとも１つの貯蔵領域は、実質的に約−１５℃〜−２５℃の温度において物質を貯蔵するように構成される。いくつかの実施形態において、容器内部の少なくとも１つの貯蔵領域は、実質的に約−５℃〜−１０℃の温度において物質を貯蔵するように構成される。いくつかの実施形態において、容器内部の少なくとも１つの貯蔵領域は、医薬品を貯蔵するように構成される。例えば、恒温容器は、実質的に２℃〜８℃の温度において、例えば適切な大きさの棚または仕切りを有する、ワクチンバイアルを貯蔵するように構成された少なくとも１つの貯蔵領域を含み得る。いくつかの実施形態において、例えば、恒温容器は、抗生物質、抗体治療、ワクチン、化学療法剤、または抗ウイルス剤などの医薬品を貯蔵するように構成される少なくとも１つの貯蔵領域を含み得る。いくつかの実施形態において、例えば、恒温容器は、血液、尿、ふん便試料、痰試料、およびそれらの誘導体などの、医療試料を貯蔵するように構成される少なくとも１つの貯蔵領域を含み得る。
【００２７】
いくつかの実施形態において、容器内部の少なくとも１つの貯蔵領域は、５０リットル（Ｌ）容量を有する貯蔵領域を含んでいる大きさに合わせて作られる。いくつかの実施形態において、容器内部の少なくとも１つの貯蔵領域は、１００リットル（Ｌ）容量を有する貯蔵領域を含んでいる大きさに合わせて作られる。いくつかの実施形態において、容器内部の少なくとも１つの貯蔵領域は、１５０リットル（Ｌ）容量を有する貯蔵領域を含んでいる大きさに合わせて作られる。いくつかの実施形態において、容器内部の少なくとも１つの貯蔵領域は、２００リットル（Ｌ）容量を有する貯蔵領域を含んでいる大きさに合わせて作られる。
【００２８】
いくつかの実施形態において、恒温容器は、タンクを実質的に形成する２つ以上の壁、容器内部の相変化材料を保持するように構成されるタンク、タンクの第１の壁が容器の一辺にある開口に隣接し、タンクの第２の壁が貯蔵領域に隣接して位置するように、断熱材の１つ以上の部分内に位置する２つ以上の壁を含んでいる。例えば、図２は、タンク２２０を実質的に形成する２つの壁２１０、２４０、恒温容器１１０内部の相変化材料を保持するように構成されるタンク、タンクの第１の壁２１０が恒温容器１１０の一辺にある開口２５０に隣接し、タンクの第２の壁２４０が貯蔵領域２３０に隣接して位置するように、断熱材２００の１つ以上の部分内に位置する２つの壁２１０、２４０を含んでいる恒温容器の実施形態を描いている。いくつかの実施形態において、タンクを実質的に形成する２つ以上の壁は、熱伝導性材料から製作される。いくつかの実施形態において、タンクを実質的に形成する２つ以上の壁は、少なくとも５０Ｗ／［ｍ・Ｋ］の熱伝導率値を有する物質から製作される。いくつかの実施形態において、タンクを実質的に形成する２つ以上の壁は、少なくとも１００Ｗ／［ｍ・Ｋ］の熱伝導率値を有する物質から製作される。いくつかの実施形態において、タンクを実質的に形成する２つ以上の壁は、少なくとも１５０Ｗ／［ｍ・Ｋ］の熱伝導率値を有する物質から製作される。いくつかの実施形態において、タンクを実質的に形成する２つ以上の壁は、少なくとも２００Ｗ／［ｍ・Ｋ］の熱伝導率値を有する物質から製作される。いくつかの実施形態において、タンクを実質的に形成する２つ以上の壁は、アルミニウム物質から作製される。
【００２９】
いくつかの実施形態において、恒温容器は、タンクを実質的に形成する２つ以上の壁、容器内部の相変化材料を保持するように構成されるタンク、容器の一辺にある開口に隣接した位置においてさらに開口を含み、タンクの第１の壁が容器の一辺にある開口に隣接し、タンクの第２の壁が貯蔵領域に隣接して位置するように、断熱材の１つ以上の部分内に位置する２つ以上の壁；および開口における可逆密封装置を含んでいる。例えば、図２において示されている実施形態は、タンクの第１の壁２１０内の開口２１０、取り外しカバー２１５と接合するように構成される開口を含んでいる。
【００３０】
いくつかの実施形態において、恒温容器は、タンクを実質的に形成する２つ以上の壁、容器内部の相変化材料を保持するように形成されるタンクを含み、ここでタンクを実質的に形成する２つ以上の壁は、防水である。例えば、恒温容器のいくつかの実施形態は、完全に液体である相変化材料を保持するように構成されるタンク、または使用が予期されるいくつかの温度範囲を含んでいる。いくつかの実施形態において、恒温容器は、タンクを実質的に形成する２つ以上の壁、容器内部の相変化材料を保持するように形成されるタンクを含み、ここでタンクを実質的に形成する２つ以上の壁は、気密である。例えば、恒温容器のいくつかの実施形態は、完全に気体である相変化材料を保持するように構成されるタンク、または使用が予期されるいくつかの温度範囲を含んでいる。いくつかの実施形態において、恒温容器は、タンクを実質的に形成する２つ以上の壁、容器内部の相変化材料を保持するように形成されるタンクを含み、ここでタンクを実質的に形成する２つ以上の壁は、固体または半固体に対して不浸透性である。例えば、恒温容器のいくつかの実施形態は、完全に固体または半固体である相変化材料を保持するように構成されるタンク、または使用が予期されるいくつかの温度範囲を含んでいる。いくつかの実施形態において、例えば、タンクは２０Ｌの内部体積を含んでいる。いくつかの実施形態において、例えば、タンクは３０Ｌの内部体積を含んでいる。
【００３１】
いくつかの実施形態において、恒温容器は、少なくとも１つの相変化材料を含んでいる。本書で用いられている“相変化材料”は、物理的な相が変化している間、熱エネルギーの貯蔵および放出が可能な、高潜熱を有する物質である。実施形態のための相変化材料の選択は、物質のための潜熱、物質のための融解点、物質のための沸騰点、実施形態において定量の熱エネルギーを貯蔵するために必要とされる物質の量、物質の毒性、物質の経費、および物質の可燃性を含んでいる考察によって決まる。実施形態によって、相変化材料は、使用中、固体、液体、半固体または気体になり得る。例えば、いくつかの実施形態において、相変化材料は、水、メタノール、エタノール、ポリアクリル酸ナトリウム／多糖類物質または塩水和物を含んでいる。いくつかの実施形態において、例えば、相変化材料は、０℃の融解点を有する純水／氷の物性に起因して、容量の大部分を純水／氷として含んでいることが好まれる。いくつかの実施形態において、例えば、相変化材料は、塩氷の融解点が、塩水／塩氷内の塩モル濃度および内容物に基づいて０℃より下で較正され得るため、容量の大部分を塩水／塩氷として含んでいることが好まれる。いくつかの実施形態において、例えば、相変化材料は、−２０℃より下において凍結するように構成される。いくつかの実施形態において、例えば、相変化材料は、１℃〜３℃の時点において凍結するように構成される。
【００３２】
図３は、冷却装置１００における使用における恒温容器１１０の実施形態の態様を示している。図３において示されている恒温容器１１０の実施形態は、断面図においてその内部構造を示すように実質的に描かれている。冷却装置１００は、多数の壁１３０および少なくとも１組の冷却コイル１２０を含んでいる。例証の目的のために、冷却装置のドアは示されていない。図３において示されている冷却装置１００は、単一の内部貯蔵領域を含んでいる。恒温容器１１０は、恒温容器の面積を実質的に規定する断熱材２００の１つ以上の部分を含んでいる。断熱材２００の１つ以上の部分は、恒温容器１１０の一辺にある開口２５０、冷却コイル１２０に隣接した恒温容器１００の面における開口２５０を含んでいる。恒温容器１１０は、開口２５０より遠位の恒温容器１１０内部の貯蔵領域２３０を含んでいる。開口２０５は、貯蔵領域２３０への最小の熱移動をもって、液体が、貯蔵領域２３０の内側から容器の外側にある地点まで流れることを可能にするよう構成され、恒温容器１１０の下面において位置する。
【００３３】
図３において示されている実施形態は、タンク２２０を実質的に形成する２つの壁２１０、２４０、恒温容器１１０内部の相変化材料を保持するように構成されるタンク、タンク２２０の第１の壁２１０が恒温容器１１０の一辺にある開口２５０に隣接し、タンクの第２の壁２４０が貯蔵領域２３０に隣接して位置するように、断熱材２００の１つ以上の部分内に位置する２つの壁２１０、２４０を、同様に含んでいる。図３において示されている実施形態において、タンク２２０の第１の壁２１０は、熱伝達部品３００を含んでいる。熱伝達部品３００は、第１の壁２１０から冷却装置１００の内側領域へ、熱移動を促進するように構成され設置される。図３において示されている実施形態において、例えば、タンク２２０の第１の壁２１０は、１組のフィンである熱伝達部品３００を含んでいる。フィンは、熱伝導性物質から作製され、タンク２２０の第１の壁２１０に取り付けられる。例えば、フィンは、アルミニウムまたは銅物質から作製され得る。いくつかの実施形態において、冷却装置はファンを含み、熱伝達部品は、ファンに隣接して設置される。熱伝達部品の表面面積の増加は、熱伝達部品からの伝達についての可能性を高める。
【００３４】
図４は、使用中の恒温容器１１０の実施形態の熱的性質の態様を示している。図４において示されている恒温容器１１０の実施形態は、断面図においてその内部構造を示すように実質的に描かれている。恒温容器１１０は、冷却装置１００の内部領域内に存在する。冷却装置１００は、使用中、恒温容器１１０を囲む壁１３０から作製される。恒温容器１１０は、容器側面および底周囲の壁を実質的に形成する壁、断熱材２００の多数の部分を含んでいる。恒温容器１１０を実質的に形成する断熱材２００の部分は、恒温容器１１０の上面に対応する開口２５０を含んでいる。断熱材２００の上記部分は、容器への熱移動を最小限にすると同時に、液体が下方へ流れることを可能にするように構成された開口２０５を、容器の底において含んでいる。
【００３５】
図４において示されている恒温容器１１０は、タンク２２０を実質的に形成する２つの壁２１０、２４０、恒温容器１１０内部の相変化材料を保持するように構成されるタンク、タンク２２０の第１の壁２１０が恒温容器１１０の一辺にある開口２５０に隣接し、タンク２２０の第２の壁２４０が恒温容器１１０内部の貯蔵領域２３０に隣接して位置するように、断熱材２００の１つ以上の部分内に位置する２つの壁２１０、２４０を含んでいる。タンク２２０は、相変化材料を含んでいる。１組のフィンである熱伝達部品３００は、冷却装置１００の冷却コイル１２０に隣接した位置において、タンク２２０の第１の壁２１０に取り付けられる。
【００３６】
冷却装置の冷却コイル１２０が作動している期間、熱エネルギーまたは熱は、恒温容器１１０を通して上昇し得、冷却装置１００の冷却コイル１２０を含んでいる、目安機構の作動を通じて冷却装置１００から取り除かれ得る。熱エネルギーは、冷却装置の冷却コイルおよび冷却装置外部の周囲の温度に沿い、貯蔵領域と相変化材料領域との間の温度勾配に沿って、熱移動の特性に一致し、上方を指す連続した点線矢印として、図４において描かれている。熱エネルギーは、貯蔵領域２３０、タンク２２０、およびこれらの構造において任意の時点で存在する熱勾配と一致するタンク２２０の第１の壁２１０を通じた上方を通じたものを含んでいる恒温容器１１０を通して移動し得る。第１の壁２１０から冷却装置１００内に接した領域への熱移動は、第１の壁２１０に取り付けられた１組のフィンを通じて強化される。時間とともに、恒温容器１１０からの熱エネルギーまたは熱の除去は、貯蔵領域２３０およびタンク２２０内の相変化材料、同様に恒温容器１１０の関連した構造の冷却を生じ得る。この冷却は、冷却装置１００の冷却コイル１２０の作動によって、恒温容器１１０から除去された熱エネルギーの量によって制限され得る。標準的な冷却室において、例えば、冷却コイルは、１℃〜４℃の温度に冷却室の内側を冷却するように作動可能であり得る。恒温容器１１０の構造も、同様に、冷却室内で時間とともに、１℃〜４℃の温度に冷却され得る。例えば電力供給停止に起因して冷却室が作動を停止した後の時点において、恒温容器１１０内の貯蔵領域２３０は、冷却室内の内部領域よりもより長い期間、１℃〜４℃の所定の温度範囲においてその内側を維持し得る。例えば恒温容器１１０の断熱材２００は、恒温容器１１０の外側領域と恒温容器１１０内部の貯蔵領域２３０との間の熱漏れを減少させる補佐をし得る。加えて、熱エネルギー、または熱は、貯蔵領域２３０から相変化材料を保持しているタンク２２０へ、冷却装置の作動中引き起こされる熱勾配に沿って、自然に移動し得る。相変化材料は、その固有の物理的特性に起因して、恒温容器１１０の貯蔵領域２３０内の温度を所定の温度範囲内に維持するように、特定の実施形態のために適切な温度範囲において熱エネルギーまたは熱を吸収し得る。
【００３７】
図５は、恒温容器１１０の実施形態の態様を描いている。図５において示されている恒温容器１１０の実施形態は、断面図においてその内部構造を示すように実質的に描かれている。図５は、冷却装置１００内の恒温容器１１０を描いている。冷却装置１００は、壁１３０（例証の目的のために、ドアは示されていない）を含んでいる。冷却装置１００の内部は、恒温容器１１０である。恒温容器１１０は、容器の壁および底の基本的な構造を形成する断熱材２００を含んでいる。恒温容器１１０は、恒温容器１１０の上面における開口２５０、恒温容器１１０の上面に実質的に対応する開口２５０を含んでいる。恒温容器１１０は、開口２５０が冷却装置１００の冷却コイル１２０に隣接して位置するように、冷却装置１００内に設置される。恒温容器１１０は、恒温容器１１０の底における狭い開口２０５、貯蔵領域２３０への熱漏れを最小限にする一方、凝縮された液体が貯蔵領域２３０から離れるように流れることを可能にするよう構成された開口２５０を含んでいる。
【００３８】
図５において示されているように、恒温容器１１０は、タンク２２０を実質的に形成する２つの壁２１０、２４０、恒温容器１１０内部の相変化材料を保持するように構成されるタンク２２０、タンク２２０の第１の壁２１０が恒温容器１１０の一辺にある開口２５０に隣接し、タンク２２０の第２の壁２４０がタンク２２０の反対の面において位置するように、断熱材２００の１つ以上の部分内に位置する２つの壁２１０、２４０を含んでいる。タンク２２０は、相変化材料を含んでいる。１組のフィンを含んでいる熱伝達部品３００は、冷却装置１００の冷却コイル１２０に隣接した位置において、タンク２２０の第１の壁２１０に取り付けられる。
【００３９】
いくつかの実施形態において、恒温容器１１０は、第２の相変化材料を収容するように構成された相変化材料区画を含んでいる。上記相変化材料区画は、第１の相変化材料を保持するタンクまたは容器と、隣接および熱的に接続するように設置される。例えば、図５において示されている恒温容器１１０は、第２の相変化材料を保持するように構成された相変化材料区画５００をさらに含んでいる。相変化材料区画５００は、タンク２２０の第２の壁２４０の面と隣接して位置し、第２の壁２４０と貯蔵領域２３０の面の間に位置する。相変化材料区画５００は、タンク２２０内の相変化材料とは異なる熱的性質を有する第２の相変化材料を含んでいる。相変化材料区画５００における第２の相変化材料、およびタンク２２０における相変化材料の設置および選択の組み合わせは、単一の相変化材料を保持している単一の区画よりも、より効果的に、貯蔵領域２３０からの熱エネルギー、または熱を吸収する。いくつかの実施形態は、０℃より下の氷点を有する第１の相変化材料を含んでいるタンク２２０、および０℃より上の氷点を有している第２の相変化材料を保持する相変化材料区画５００を含んでいる。例えば、いくつかの実施形態において、タンクは、水／氷である第１の相変化材料を含み、相変化材料区画は、０℃より上の氷点を有しているポリアクリル酸ナトリウム／多糖類物質である第２の相変化材料を含んでいる。
【００４０】
図６は、冷却装置１００内の恒温容器１１０の態様を示している。冷却装置１００は、恒温容器１１０を取り囲む壁１３０を含んでいる。例証の目的のために、冷却装置１００は、ドア無しで示される。恒温容器１１０は、冷却装置１００の冷却コイル１２０に隣接した位置において容器の上部に載った、１組のフィンである熱伝達部品３００を含んでいる。恒温容器１１０は、容器内の貯蔵領域へ開くそれぞれ２つのドア、１４０Ａ、１４０Ｂを含んでいる。例えば各ドアは、断熱材を含み得る。例えば各ドアは、容器の外側にある領域とドアによってアクセスされる貯蔵領域との間の熱エネルギー移動を最小限にすると同時に、アクセスを可能にする大きさおよび形であり得る。各ドアは、例えば容器の外側にある領域とドアによってアクセスされる貯蔵領域との間の熱エネルギー移動を最小限にするように構成され得る。例えば各ドアは、容器の取り囲んでいる領域に対してぴったり適合し得、ガスケットまたは同様の構造によって囲まれ得る。各ドア１４０Ａ、１４０Ｂは、容器の使用者に対して容易なアクセスを提供するために、ハンドル１４５Ａ、１４５Ｂを有する。各ドア１４０Ａ、１４０Ｂは、文字などである視覚ＩＤ６００Ａ、６００Ｂを含み得る。例えば、ワクチンまたは治療薬のために構成される大きさ、温度および貯蔵状態の内側領域へのアクセスを可能にするように構成されたドアは、“医薬”とラベルを貼られ得る。例えば、血液、唾液、尿、ふん便または組織などの、医療試料を貯蔵するように構成される大きさ、温度および貯蔵状態の内側領域へのアクセスを可能にするように構成されたドアは、“試料”とラベルを貼られ得る。
【００４１】
図７は、容器内の多数の貯蔵領域を含んでいる恒温容器の実施形態、相変化材料を含んでいる関連するタンクを有する各貯蔵領域を示している。関連するタンクは、相違する相変化材料を含み得、各関連した貯蔵領域へ相違する所定の温度範囲を提供するように構成され得る。図７において示されている恒温容器１１０は、恒温容器１１０を取り囲む冷却装置１００の壁１３０を有する、冷却装置１００内に存在する。図７において示されている恒温容器１１０の実施形態は、断面図においてその内部構造を示すように実質的に描かれている。恒温容器１１０の実施形態は、冷却装置１００の貯蔵領域内部に適合するような大きさおよび形の恒温容器１１０を実質的に規定する断熱材２００の１つ以上の部分、恒温容器１１０の一辺にある開口２５０を形成する断熱材２００の１つ以上の部分を含んでいる。仕切り７００は、断熱材の１つ以上の部分内部の領域を、２つの内部領域にさらに分離する。断熱材２００の１つ以上の部分、および壁２４０Ａ、２４０Ｂと結合している仕切り７００は、開口２５０より遠位の恒温容器１１０内部の２つの貯蔵領域２３０Ａ、２３０Ｂを実質的に規定する。示されている実施形態は、２つの第１の壁２１０Ａ、２１０Ｂ、および２つの第２の壁２４０Ａ、２４０Ｂを同様に含んでいる。断熱材２００の１つ以上の部分および仕切り７００の組み合わせ、同様に、２つの第１の壁２１０Ａ、２１０Ｂ、および２つの第２の壁２４０Ａ、２４０Ｂの組み合わせは、２つのタンク２２０Ａ、２２０Ｂを実質的に形成する。各タンクは、恒温容器１１０内部の相変化材料を保持するように構成される。１組のフィンである熱伝達部品３００は、タンク２２０Ａ、２２０Ｂの第１の壁２１０Ａ、２１０Ｂの上面に取り付けられている。
【００４２】
いくつかの実施形態において、恒温容器は、多数の別個の内部貯蔵領域を含んでいる。恒温容器のいくつかの実施形態は、例えば、２つの別個の貯蔵領域を含んでいる。恒温容器のいくつかの実施形態は、例えば、３つの別個の貯蔵領域を含んでいる。恒温容器のいくつかの実施形態は、例えば、４つの別個の貯蔵領域を含んでいる。各内部貯蔵領域は、各別個の内部貯蔵領域のための、相違する所定の温度範囲内の内部温度を維持するために、断熱材、構成および関連した構造を用いて、他のものとは異なるように作られ得る。例えば、恒温容器は、２℃〜８℃の所定の温度範囲の内部を維持するように構成された１つ、および−１５℃〜−２５℃の所定の温度範囲の内部を維持するように構成された別の１つである、２つの内側貯蔵領域を含み得る。例えば、恒温容器は、２℃〜８℃の所定の温度範囲の内部を維持するように構成された第１の貯蔵領域、−５℃〜−１５℃の所定の温度範囲を維持するように構成された第２の貯蔵領域、および−１５℃〜−２５℃の所定の温度範囲の内部を維持するように構成された第３の貯蔵領域、である３つの内側貯蔵領域を含み得る。
【００４３】
いくつかの実施形態は、水の氷点範囲、または０℃より下における所定の温度範囲によって構成される貯蔵領域を含んでいる。水の氷点範囲における所定の温度範囲によって構成される貯蔵領域を含んでいる実施形態は、氷嚢の氷点のために構成され得る。例えば、いくつかの実施形態は、医療用途として予期されるＷＨＯ標準氷嚢を凍結するために適切な大きさ、形および所定の温度範囲の貯蔵領域を含んでいる。例えば、いくつかの実施形態は、恒温容器の外側での使用のために取り外され得る、氷塊、製氷皿または角氷を凍結するために適切な大きさ、形および所定の温度範囲の貯蔵領域を含んでいる。例えば、氷塊または角氷は、医療用途のために取り外され得る。
【００４４】
図７において示されている実施形態は、恒温容器１１０内部の２つの貯蔵領２３０Ａ、２３０Ｂを含み、各２つの貯蔵領域２３０Ａ、２３０Ｂは、容器の底面に隣接して位置する。貯蔵領域２３０Ａ、２３０Ｂは、仕切り７００によって容器内で物理的および熱的に分離されている。例えば、仕切り７００は、断熱材２００の１つ以上の部分の内側表面に対して少なくとも３つの縁が結合されている断熱材の平面部分を実質的に含み得、恒温容器１１０の内側にヒートシールを生ずる。各貯蔵領域２３０Ａ、２３０Ｂは、隣接したタンク２２０Ａ、２２０Ｂの第２の壁２４０Ａ、２４０Ｂによって、上面において結合されている。各貯蔵領域２３０Ａ、２３０Ｂは、貯蔵領域２３０Ａ、２３０Ｂより上に直接位置する、関連するタンク２２０Ａ、２２０Ｂを有する。いくつかの実施形態において、各タンク２２０Ａ、２２０Ｂは、隣接した貯蔵領域２３０Ａ、２３０Ｂと相違する相変化材料、結果として相違する熱的性質を含み得る。いくつかの実施形態において、各タンク２２０Ａ、２２０Ｂは、隣接した貯蔵領域２３０Ａ、２３０Ｂと同じ相変化材料、結果として同じ熱的性質を含み得る。図７において示されている実施形態は、恒温容器１１０の下面において２つの開口２０５Ａ、２０５Ｂを含み、貯蔵領域２３０Ａ、２３０Ｂと容器の外側にある領域との間の熱エネルギー移動を最小にする一方、重力によって結露が隣接する貯蔵領域２３０Ａ、２３０Ｂを離れることを可能にする大きさおよび形の、上記各２つの開口２０５Ａ、２０５Ｂを含んでいる。
【００４５】
図８は、冷却装置１００内の恒温容器１１０の態様を描いている。冷却装置１００は、恒温容器１１０を取り囲む壁１３０を含んでいる。例証の目的のために、冷却装置１００は、ドア無しで示される。恒温容器１１０は、冷却装置１００の冷却コイル１２０に隣接した位置における容器の上部の１組のフィンである、熱伝達部品３００を含んでいる。恒温容器１１０は、ドア１４０を開き、容器の内側貯蔵領域へアクセスする使用者を補助するように位置するハンドル１４５を有する単一のドア１４０を含んでいる。
【００４６】
図９は、冷却装置内における使用のための、恒温容器１１０の実施形態を描いている。例えば、恒温容器１１０は、図８において示されている方法において冷却装置内で用いられ得る。いくつかの実施形態において、恒温容器は、家庭用冷却装置の冷却貯蔵領域内に適合するような大きさおよび形である。いくつかの実施形態において、恒温容器は、冷却装置内の冷却領域の１つ以上の壁に隣接して位置するように構成された外面を含んでいる。いくつかの実施形態において、恒温容器は、冷却装置の１つ以上の内部表面と可逆的に接合するように構成された１つ以上の外面を含んでいる。図９において示されている恒温容器１１０は、冷却装置の内側に適合し作動するように構成されているが、冷却装置はなしで描かれている。図９において示されている恒温容器１１０の実施形態は、断面図においてその内部構造を示すように実質的に描かれている。
【００４７】
図９において示されているように、恒温容器１１０は、恒温容器１１０の１つ以上の壁２００を実質的に規定する断熱材の１つ以上の部分を含んでいる。いくつかの実施形態において、恒温容器の壁は、断熱材の１つ以上の部分に取り付けられた構造上の物質を含んでいる。いくつかの実施形態において、恒温容器の壁は、冷却装置の貯蔵領域内に適合するような大きさおよび形である。いくつかの実施形態において、恒温容器の壁は、１組の冷却コイルに隣接して位置するように構成された放射性表面を含んでいる。図９において示されているように、恒温容器１１０の壁２００は、冷却装置の内部貯蔵領域内に適合するような大きさおよび形の外側面積を有する、直立型長方形構造を実質的に形成する。図９において示されている実施形態において、恒温容器１１０の壁２００は、使用のために位置するとき、容器の水平丈が垂直丈よりも短い長方形構造を形成する。いくつかの実施形態において、恒温容器の壁は、使用のために位置するとき、容器の水平丈が垂直丈よりも長い構造を形成する。いくつかの実施形態において、恒温容器の壁は、円柱、俵型または卵型構造など、長方形でない形を形成する。
【００４８】
図９において示されているように、恒温容器１１０は、内部領域を含んでいる。恒温容器１１０は、容器１１０内部の貯蔵領域９２０および相変化材料領域９１０を形成するように内部領域を分割する断熱隔壁９００、貯蔵領域９２０と相変化材料領域９１０との間に導管９３０を含んでいる断熱隔壁９００を含んでいる。いくつかの実施形態において、断熱隔壁は、断熱材の１つ以上の部分を含んでいる。いくつかの実施形態において、断熱隔壁は、恒温容器を規定する１つ以上の壁として、同じ種類の断熱材から作製される。いくつかの実施形態において、断熱隔壁は、容器の壁の断熱材とは異なる断熱材の種類から作製される。いくつかの実施形態において、断熱隔壁は、相変化材料領域が恒温容器の少なくとも１つの外面に隣接して位置し、少なくとも１つの外面が冷却領域に隣接して位置するように構成される。
【００４９】
恒温容器のいくつかの実施形態は：容器内部の貯蔵領域に隣接したアクセス開口；および上記アクセス開口と実質的に接合するように構成されるドアを含んでいる。例えば、いくつかの実施形態は：恒温容器の１つ以上の壁を実質的に規定する断熱材の１つ以上の部分の少なくとも１つにおける開口；および断熱材から製作されるドア、アクセス開口と実質的に接合するように構成されるドアを含んでいる。例えば、ドアは、アクセス開口の表面と可逆的に接合するような大きさおよび形の縁を含み得る。ドアは、恒温容器内の少なくとも１つの貯蔵領域の内容物に使用者がアクセスするために、形成され設置される。例えば、使用者は、ドアの使用を通じて貯蔵領域内において物質を回収、追加または設置し得る。ドアは、貯蔵領域から恒温容器外部の領域への熱移動を最小限にするように、形成、作製、および設置される。いくつかの実施形態において、ドアは、少なくとも１つの断熱材を含んでいる。
【００５０】
いくつかの実施形態において、相変化材料領域９１０内にライナー９６５または第２の容器、相変化材料９６０を収容するように位置するライナー９６５または第２の容器、が存在する。ライナー９６５は、いくつかの実施形態において、相変化材料領域９１０内の薄いプラスチックパウチ、実施形態において用いられる相変化材料９６０を収容するために十分な強度および耐久性のプラスチック物質から製作されるライナーを含み得る。ライナーまたは第２の容器は、いくつかの実施形態において、凍結／解凍周期の間相変化材料の容量において変化のために十分な内部間隔を含み得る。相変化材料を収容するために位置する第２の容器は、いくつかの実施形態において、相変化材料領域内に適合するような大きさおよび形の熱伝導性金属容器を含み得る。例えば、いくつかの実施形態において、相変化材料を収容するように位置する第２の容器は、液密アルミニウム容器、相変化材料領域の壁の内部表面に可逆的に接合するような大きさに合わせて作られ形成される容器の外面を含み得る。例えば、いくつかの実施形態において、相変化材料を収容するように位置する第２の容器は、液密銅容器、相変化材料領域の壁の内部表面に可逆的に接合するような大きさに合わせて作られ形成される容器の外面を含み得る。例えば、いくつかの実施形態において、相変化材料を収容するように位置する第２の容器は、熱伝導性プラスチックから製作される液密容器、相変化材料領域の壁の内部表面に可逆的に接合するような大きさに合わせて作られ形成される容器の外面を含み得る。相変化材料を収容するように位置する第２の容器は、いくつかの実施形態において、熱非伝導性物質から製作される相変化材料領域内に適合するような大きさおよび形の容器を含み得る。例えば、いくつかの実施形態において、相変化材料を収容するように位置する第２の容器は、熱非伝導性プラスチックから製作される液密容器を含み得る。いくつかの実施形態において、第２の容器または相変化材料を収容するように位置するライナーは、気密容器を含み得る。
【００５１】
示されている実施形態において、導管９３０内に位置する熱伝導性仕切り９３５が存在する。熱伝導性仕切り９３５は、導管９３０への相変化材料の漏出の可能性を最小限にする一方、相変化材料領域９１０内に位置する相変化材料と導管９３０との間の熱エネルギー移動を促進するように構成および設置される。例えば、熱伝導性仕切り９３５は、アルミニウムまたは銅など、熱伝導性金属から製造される平面構造を含み得る。例えば、熱伝導性仕切り９３５は、アルミニウムまたは銅など、熱伝導性金属から製造されるメッシュ構造を含み得る。例えば、熱伝導性仕切り９３５は、延伸ポリテトラフルオロエチレンなど、熱伝導性プラスチックから製造されるメッシュ構造を含み得る。いくつかの実施形態は、導管内に位置する仕切りを含まない。
【００５２】
図９において示されている恒温容器１１０は、導管９３０内に熱制御装置９４０を含んでいる。熱制御装置９４０は、温度に依存する導管９３０を通じて貯蔵領域９２０と相変化材料領域９１０との間の熱移動を可逆的に可能にする、および抑制するように設置される。
【００５３】
いくつかの実施形態は、受動的な熱制御装置を含んでいる。例えば、受動的な熱制御装置は、導管９３０内の温度変化に応じて、導管９３０の水平直径を可逆的に移動するように構成されたバイメタル素子を含み得る。バイメタル素子を含んでいる受動的な熱制御装置は、導管の直径を横切って可逆的に移動するように構成され得、導管内の内部温度に応じて、恒温容器の貯蔵領域と相変化材料領域との間の熱移動をふさぐ。バイメタル素子を含んでいる受動的な熱制御装置は、導管の直径を横切って可逆的に移動するように構成され得、貯蔵領域内の内部温度に応じて、恒温容器の貯蔵領域と相変化材料領域との間の熱移動をふさぐ。バイメタル素子を含んでいる受動的な熱制御装置は、導管の直径を横切って可逆的に移動するように構成され得、相変化材料領域内の内部温度に応じて、恒温容器の貯蔵領域と相変化材料領域との間の熱移動をふさぐ。例えば、バイメタル素子を含んでいる受動的な熱制御装置は、約８℃より上の温度において可逆的に外側に移動するように構成され得、同様に、約８℃より下の温度において可逆的に内側に移動するように構成され得る。例えば、バイメタル素子を含んでいる受動的な熱制御装置は、約８℃より上の温度において、導管のために開位置へ可逆的に移動するように構成され得、同様に、約８℃より下の温度において、導管のために閉位置へ可逆的に移動するように構成され得る。例えば、バイメタル素子を含んでいる受動的な熱制御装置は、いくつかの実施形態において、ポップディスクスタイル、サーモスタット素子、設定温度に応じ導管内の空気を通じて熱フローを可逆的に抑制するまたは可能にするように構成される上記ポップディスクを含み得る。
【００５４】
いくつかの実施形態は、作動可能である熱制御装置を含んでいる。例えば、作動可能である熱制御装置は、いくつかの実施形態において、導管の直径方向に位置する１つ以上の閉鎖要素に取り付けられた電力モーター、電子温度センサ、および電池を含んでいる。いくつかの実施形態において、作動可能である熱制御装置は、恒温容器外の電源に取り付けられるよう構成されている。例えば、電源は電池、太陽電池、ジェネレータ、または都市電力供給への接続を含み得る。いくつかの実施形態において、熱制御装置は、温度センサ；温度センサに取り付けられた電子コントローラ；および電子コントローラに反応する電子制御された熱制御ユニットを含んでいる。
【００５５】
図９に示される恒温容器１１０は、貯蔵領域９２０を含んでいる。いくつかの実施形態において、貯蔵領域は、例えば内部の壁または貯蔵領域内の他の構造の追加により分割され得る。いくつかの実施形態において、貯蔵領域は、棚、容器または他の構造等の貯蔵構造を備え得る。いくつかの実施形態において、貯蔵領域は、貯蔵領域の内部表面上の非毒性コーティングまたはライナーを備え得る。いくつかの実施形態において、貯蔵領域は、例えば抗菌および／または抗微生物剤を含んでいるプラスチックライナー等の抗微生物コーティングまたはライナーを備え得る。いくつかの実施形態において、貯蔵領域は医薬品を保存するために構成され得る。例えばいくつかの実施形態における貯蔵領域は、医薬品のための第２の包装、例えば箱または包装材を貯蔵できる大きさおよび形状に構成され得る。
いくつかの実施形態において、貯蔵領域はワクチンの保存のために構成され得る。例えば、いくつかの実施形態において、貯蔵領域は第２の包装を含んでいる、または含まないワクチンバイアルを保存するための大きさおよび形状の棚または内部容器を含み得る。
【００５６】
いくつかの実施形態は、１つ以上の断熱材部分が、凝縮した液体が容器内部から流れ出るように構成される、容器の下面の開口を含んでいる。図９に示される実施形態は、容器１１０の壁２００に位置し、小導管２５０の第１の端は貯蔵領域９２０に開口し、第２の端は壁２００の外部表面に開口している、小導管２５０に付属する容器底面の開口を含んでいる。小導管は例えば、凝縮した液体が重力によって貯蔵領域の内部から容器の外部表面に隣接する領域へ流出し、小導管を介した熱の移動が最少になるよう構成される細い管である。小導管は例えば、非熱伝導性の小さな直径の管で構成される。例えば、いくつかの実施形態において、小導管は非熱伝導性のプラスチック管で構成される。例えば、いくつかの実施形態において、小導管は直径１ｃｍ以下の管として構成される。例えば、いくつかの実施形態において、小導管は直径０．５ｃｍ以下の管として構成される。例えば、いくつかの実施形態において、小導管は直径０．２ｃｍ以下の管として構成される。例えば、いくつかの実施形態において、小導管は直径０．１ｃｍ以下の管として構成される。開口は、貯蔵領域底面の比較的低い領域、例えば貯蔵領域底面のくぼみ、または斜面の領域の低い部分に位置し得る。
【００５７】
いくつかの実施形態において、恒温容器は、実質的に容器を規定する絶縁材の一部分内の開口を備え、上記開口は容器内の相変化材料領域と容器の外部表面の間である。例えば、図９に示される恒温容器１１０は、上記容器１１０の上部の壁に開口９５０を含んでいる。いくつかの実施形態において、恒温容器が冷却装置内で使用されるよう適応している場合、開口は恒温容器の上面に位置している。いくつかの実施形態において、開口は、開口に位置する一方向熱伝導体の外部表面と実質的に対応する大きさおよび形状である。いくつかの実施形態において、開口は環状構造として構成される。いくつかの実施形態において、容器が冷却装置内で使用される位置にある場合、上記開口は実質的に垂直な環状構造に構成されるいくつかの実施形態において、実質的に容器を規定する断熱材部分内の開口は、開口の壁を形成する、開口内の構造を含んでいる。いくつかの実施形態において、開口は例えば上記開口の壁を形成する管を含んでいる。開口９５０は、実質的に容器を規定する断熱材の小さい一部分に相当する。例えば、ある実施形態において、開口の断面は、恒温容器の外部の全表面積の０．５％以下に対応する。例えば、ある実施形態において、開口の断面は、恒温容器の外部の全表面積の１％以下に対応する。例えば、ある実施形態において、開口の断面は、恒温容器の外部の全表面積の２％以下に対応する。例えば、ある実施形態において、開口の断面は、恒温容器の外部の全表面積の３％以下に対応する。例えば、ある実施形態において、開口の断面は、恒温容器の外部の全表面積の４％以下に対応する。例えば、ある実施形態において、開口の断面は、恒温容器の外部の全表面積の５％以下に対応する。いくつかの実施形態において、開口９５０はさらなる断熱材、例えば１つ以上のゴムガスケットまたはライナーを含んでいる。
【００５８】
いくつかの実施形態において、恒温容器は、開口内に位置し、熱を相変化材料領域から容器の外部表面の方向へ移動させるように構成される一方向熱伝導体を備える。例えば、図９に示される実施形態は、開口９５０を通過する一方向熱伝導体９７０を含んでいる。図９に示される一方向熱伝導体９７０は、一方向熱伝導体９７０の外部表面が、一方向熱伝導体９７０と開口９５０が隣接する位置において可逆的に接合するように構成されている。図９に示される実施形態において、一方向熱伝導体９７０は熱制御容器１１０外に位置する第１の端および相変化材料領域９１０に存在し相変化材料９６０と接している第２の端を含んでいる。いくつかの実施形態において、一方向熱伝導体は、一方向熱伝導体の外部表面に熱的に接続されており、相変化材料領域に位置する１つ以上の熱伝導ユニットを含んでいる。図９に示される一方向熱伝導体は例えば、相変化材料領域９１０において一方向熱伝導体は、に取り付けられており相変化材料９６０および一方向熱伝導体９７０間の熱の移動を最大とする位置にある、熱伝導ユニット９７５を含んでいる。例えば、図９に示されるように、一方向熱伝導体９７０はライナー９６５または相変化材料領域内の容器９１０を横切ってもよい。
【００５９】
「一方向熱伝導体」は本書において使用される場合、その長軸に沿って一方向に熱の移動を許し、同じ長軸に沿って逆方向の熱の移動を妨げるように構成された構造を表す。一方向熱伝導体は、熱エネルギー（すなわち熱）の一方向熱伝導体の長さに沿った一方向への熱の移動を促進し、一方向熱伝導体の長さに沿った逆方向の熱の移動を実質的に抑制するようにデザインされ、および実現される。いくつかの実施形態において、例えば、一方向熱伝導体は直線状のヒートパイプ装置を含んでいる。いくつかの実施形態において、例えば、一方向熱伝導体はサーマルダイオード装置を含んでいる。例えば、一方向熱伝導体は、熱伝導性の素材から形成され、両端を密封され、揮発性の液体の形態および気体の形態の物質を含んでいる中空の管を備え得る。一方向熱伝導体は、液体および気体の物質が熱平衡であるように構成される。一方向熱伝導体内の気体は全て存在する液体由来のものとなるよう、一方向熱伝導体は製造される間脱気され、次に気体不透過性の密封装置で密封される。
一方向熱伝導体内の蒸気圧は実質的に液体の全蒸気圧であり、液体の全蒸気圧は実質的に液体の分圧と等しい。いくつかの実施形態において、一方向熱伝導体は、一方向熱伝導体内を蒸気が上昇し凝縮端で凝縮することで、低位の端から高位の端への熱伝導を実現し、実質的に垂直の位置で作動するように構成され得る。いくつかの実施形態において、一方向熱伝導体内の揮発性液体の水面は断熱された容器の底面よりも高くない位置にある。いくつかの実施形態において、一方向熱伝導体は、一方向熱伝導体が容器内において期待される位置にあるときに、その水面の期待される位置が、温度制御される容器の貯蔵領域内である、揮発性液体を含んでいる。いくつかの実施形態において、例えば、一方向熱伝導体はＲ−１３４Ａ冷媒、イソブタン、水、メタノール、アンモニアまたはＲ−４０４を含んでいる液体を含んでいる。いくつかの実施形態において、一方向熱伝導体は直径１／２インチの銅管として構成される。
【００６０】
いくつかの実施形態は、伸長された構造を備える一方向熱伝導体を含んでいる。例えば、一方向熱伝導体は実質的に管状の構造を備え得る。一方向熱伝導体は、実質的に直線状の構造として構成され得る。一方向熱伝導体は、実質的に非直線状の構造として構成され得る。例えば、一方向熱伝導体は、非直線状の環状構造として構成され得る。いくつかの実施形態において、１つ以上の熱伝導ユニットが、一方向熱伝導体の外部表面に取り付けられている。例えば、熱伝導性素材で製造された１つ以上の平面上構造、例えばヒレ状構造が一方向熱伝導体の外部表面に取り付けられ、一方向熱伝導体とその周囲の領域との間の熱の移動を促進するように位置を定められ得る。一方向熱伝導体は、熱伝導性の金属から製造され得る。例えば、一方向熱伝導性は銅、アルミニウム、銀または金を含み得る。
【００６１】
いくつかの実施形態において、一方向熱伝導体は実質的に伸長された構造を備え得る。例えば、一方向熱伝導体は管状の構造を備え得る。実質的に伸長された構造は、気体不透過性密封装置で封入された揮発性液体を含んでいる。例えば、一方向熱伝導体は、溶接された、または圧着された気体不透過性密封装置を備え得る。いくつかの実施形態において、揮発性液体は、水、エタノール、メタノール、またはブタンのいずれか１つ以上を含んでいる。実施形態における揮発性液体の区間は、実施例における特定の一方向熱伝導体における揮発性液体の蒸発温度、一方向熱伝導体内の気体の圧力を含んでいる要素に依存する。一方向熱伝導体の構造の内部は、実施形態において含まれる揮発性液体の蒸気圧を下回る気体圧力を含んでいる。一方向熱伝導体が実質的に垂直の位置で恒温容器内に位置する場合、一方向熱伝導体の下部の揮発性液体の蒸気が一方向熱伝導体の上部へ上昇し凝縮し、熱エネルギーを一方向熱伝導体の下部から上部へと移動させる。
【００６２】
いくつかの実施形態において、恒温容器は、導管内のバルブである熱制御装置を備えていない。いくつかの実施形態において、恒温容器は、第１の端が容器の貯蔵領域内に位置しており、第２の端が容器の相変化材料領域に突き出ている一方向熱伝導体を含んでいる。一方向熱伝導体の断熱領域は、恒温容器の導管内に位置している。そのような実施形態において、恒温容器は、一方向熱伝導体の長さに沿う温度勾配に依存して容器の貯蔵領域内の温度を調整する。例えば、一方向熱伝導体は、特定の実施形態のために、一方向熱伝導体の長さに沿った熱勾配を変化させる物理的性質、例えば一方向熱伝導体の製造に用いられる材料、一方向熱伝導体の内部の液体、一方向熱伝導体の長さ、および一方向熱伝導体の直径等の物理的性質に基づき選択される。
【００６３】
いくつかの実施形態において、恒温容器は、容器の外部表面に隣接する放熱ユニットを備えおり、上記放熱ユニットは冷却装置内に位置するよう構成される放射要素、および一方向熱伝導体と熱的に接続されている熱移動要素を含んでいる。いくつかの実施形態は、恒温容器の外部表面に取り付けられた放射要素を含んでいる放熱ユニットを含んでいる。例えば、図９に示される実施形態は、恒温容器１１０の上面外側に放熱ユニット３００を含んでいる。放熱ユニット３００は一方向熱伝導体９７０の端と熱的に接続されている。いくつかの実施形態は、放射フィン構造を備える放射用素を備える放熱ユニットを含んでいる。例えば、図９に示される実施形態は、放熱ユニット３００に取り付けられた複数のフィン構造を有し、放熱ユニット３００と冷却装置内の隣接する領域との間の熱の移動を促進するよう位置を定められる、放射フィンを備える放熱ユニット３００を含んでいる。
【００６４】
いくつかの実施形態において、温度制御される容器は、一方向熱伝導体に熱的に接続されている、高熱伝導性の材料を含んでいる放熱ユニットを含んでいる。例えば、熱輸送要素を有する放熱ユニットを備える恒温容器は、熱伝導性の材料から製造された、放熱ユニットの表面と一方向熱伝導体の表面の間に位置するプレートを備え得る。例えば熱輸送要素を有する放熱ユニットを備える恒温容器は、熱伝導体の素材から製造された、放熱ユニットの表面と一方向熱伝導体の表面の間に位置する圧着またはコネクタを備える。熱輸送要素は、いくつかの実施形態において、熱伝導性の材料、すなわち銅、アルミニウム、銀または金等の熱伝導性の金属から製造され得る。熱輸送要素は、いくつかの実施形態において、熱伝導性の材料、すなわち熱伝導性のプラスチック材料から製造され得る。
【００６５】
いくつかの実施形態において、恒温容器は、一方向熱伝導体と熱的に接続されているペルティエ装置を備える熱輸送要素を備える放熱ユニットを含んでいる。ペルティエ装置は放熱ユニットと一方向熱伝導体の間に位置し、一方向熱伝導体から放熱ユニットへの熱輸送を増大させ得る。ペルティエ装置はコントローラおよび電源、例えば電池に接続され得る。ペルティエ装置はコントローラおよび電源に加え、恒温容器の貯蔵領域内の温度センサに接続され得る。ペルティエ装置のコントローラは、温度センサからの情報に応じてペルティエ装置をオンおよびオフに切り替えるよう構成され得る。例えば、ペルティエ装置のコントローラは貯蔵領域内の温度センサが７℃を超える温度を示したときにペルティエ装置をオンにするよう構成され得る。例えば、ペルティエ装置のコントローラは貯蔵領域内の温度センサが３℃を下回る温度を示したときにペルティエ装置をオフにするよう構成され得る。
【００６６】
図１０は恒温容器を介した熱の流れの態様を示す。図１０に示される恒温容器１１０は冷却装置を除いて図示されるが、内部の冷却装置に適合しおよび作用するように構成される。図１０に示される恒温容器１１０の実施形態は、内部構造を実質的に断面図で図示される。図１０に示される恒温容器は、実質的に容器を規定する壁２００、および貯蔵領域９２０と相変化材料領域９１０の間の導管９３０を備える断熱隔壁９００を含んでいる。一方向熱伝導体９７０は、第１の端は恒温容器１１０の貯蔵領域９２０内に位置し、第２の端は相変化材料領域９６０内に位置し、断熱領域は導管９３０内に位置する。一方向熱伝導体９７０の導管９３０内に位置する領域は、導管９３０の内部表面と可逆的に接合するように構成される。いくつかの実施形態は、導管９３０内の一方向熱伝導体９７０の外部表面を覆う断熱材、例えば断熱フォームを備えており、断熱材は一方向熱伝導体９７０の外側表面の周りの熱の移動を抑制するよう設置される。
【００６７】
相変化材料領域９１０内の相変化材料９６０を収納するために設置されるライナー９６５または第２の容器、例えば図１０に示されるものを備える実施形態において、ライナー９６５は、一方向熱伝導体９７０の第２端が相変化材料９６０の漏出なしにライナー９６５の壁内に存在できるよう開口を含んでいる。例えば、１つ以上のガスケットは、一方向熱伝導体９７０の周囲に配置され得る。いくつかの実施形態、例えば図に示されるものにおいて、複数の熱伝導ユニット９７５が一方向熱伝導体９７０に、相変化材料領域９１０において取り付けられている。
【００６８】
図１０において示される実施形態は、恒温容器１１０の上部の壁に開口９５０を含んでいる。開口９５０は、冷却装置から冷却コイルの１つ以上の部分が開口９５０を通過し、相変化材料９６０と熱的に接続するよう配置されることができるような大きさおよび位置にある。冷却装置が作動しているとき、相変化材料９６０は冷却装置の通常の機能により、冷却コイルにより冷却される。
【００６９】
図１１は恒温容器１１０の態様を図示する。図１１に示される恒温容器１１０は、冷却装置を除いて示されるが、内部の冷却装置に適合しおよび作用するように構成される。図１１に示される実施形態は、内部構造を断面図で説明するために図示されている。図１１に示される恒温容器１１０は、容器を実質的に規定する壁２００、および貯蔵領域９２０と相変化材料領域９１０の間の導管９３０を備える断熱隔壁９００を含んでいる。恒温容器１１０は、恒温容器１１０の底面に開口２０５を備えており、上記開口２０５の大きさおよび形状は貯蔵領域９２０から重力によって凝縮した液体を除去し、貯蔵領域２３０と容器の外部領域の間の熱エネルギーの移動を最少とするような大きさおよび形状である。熱制御装置９４０は導管９３０内に位置している。熱制御装置９４０は導管９３０と比較して近接方向に位置しており、貯蔵領域９２０から導管９３０内部への熱エネルギーの移動を阻害する。
【００７０】
図１１に示される恒温容器１１０は、相変化材料９６０を含んでいる、相変化材料領域９１０を含んでいる。相変化材料９６０は、ライナー９６５によって相変化材料領域に封入される。一方向熱伝導体９７０は相変化材料領域９１０の下部の領域、恒温容器１１０の上部の壁の開口９５０を通過する領域、および上部の縁に位置している。一方向熱伝導体９７０の上部の縁は、恒温容器１１０の上部表面と隣接する位置にある熱移動要素３００と熱的に接続されている。
【００７１】
図１１に示される一方向熱伝導体９７０は、説明の目的で内部構造を図示している。図１１に示される一方向熱伝導体９７０は、実質的に直線状の上部領域および曲がった下部領域を有する実質的に管状の構造として構成される。一方向熱伝導体９７０は、一方向熱伝導体９７０内に封入された揮発性液体１１００を含んでいる。一方向熱伝導体９７０は、上記内部領域は恒温容器１１０の予想される使用条件において揮発性液体１１００の蒸気圧よりも低い圧力の気体を含んでいる、内部領域１１１０を含んでいる。一方向熱伝導体９７０は、メッシュ構造１１２０を含んでいる。図１１に示される実施形態において、メッシュ構造１１２０は三次元メッシュ構造である。メッシュ構造１１２０は、揮発性液体１１００が毛細管現象によってメッシュ構造１１２０の内部に吸引されるような大きさおよび形状の内部空間を含んでいる。 メッシュ構造１１２０は、揮発性液体１１００が毛細管現象によりメッシュ構造内に吸引され通過するのに十分な、揮発性液体１１００との付着力を有する材料から製造される。メッシュ構造１１２０は、一方向熱伝導体９７０の長さに沿って、相変化材料領域９１０内に位置する領域で、一方向熱伝導体９７０の内部表面に取り付けられる。メッシュ構造１１２０の上部縁は、恒温容器１１０の予想される使用条件における、相変化材料９６０の予想される上面と実質的に隣接する位置にある。いくつかの実施形態において、メッシュ構造の上部縁は、恒温容器１１０の予想される使用条件における、相変化材料９６０の予想される上面よりも低い。
【００７２】
使用中に、恒温容器１１０は、一方向熱伝導体９７０内の揮発性液体１１００が、毛細管現象によりメッシュ構造１１２０に沿って吸い上げられるよう構成される。メッシュ構造１２００内に揮発性液体１１００が位置することは、揮発性液体１１００の蒸発に利用可能な表面積を増大させる。揮発性液体は次に、内部領域１１１０内で気体の形態に変化する。熱移動要素３００が、冷却装置の冷却領域に位置するため、恒温容器１１０の外へ熱エネルギーを移動することが期待される（図１１を参照）熱移動要素３００への熱エネルギーの移動により、隣接する、一方向熱伝導体９７０の内部領域１１３０を冷却する効果がもたらされる。続いて、気体の形態の揮発性液体が隣接する、一方向熱伝導体９７０の内部領域ｑｑ３０において凝縮し、熱エネルギーの移動に関与する。
【００７３】
図１２は恒温容器１１０の態様を示す。図１２に説明される制御された容器１１０は冷却装置を除いて示されるが、内部の冷却装置に適合しおよび作用するように構成される。図１２に説明される温度調整された容器１１０は内部の構造を実質的な断面図で説明するために図示される。図１２に示される温度調整された容器１１０は、容器を実質的に規定する壁２００、および貯蔵領域９２０と相変化材料領域９１０の間の導管９３０を備える断熱隔壁９００を含んでいる。温度調整された容器１１０は、温度調整された容器１１０の底面に開口２０５を備えており、上記開口２０５は、貯蔵領域９２０から重力によって凝縮した液体を除去し、貯蔵領域２３０と容器の外部領域の間の熱エネルギーの移動を最少とするような大きさおよび形状である。
【００７４】
熱制御装置９４０は導管９３０内に位置する。図１２に示される実施形態において、熱制御装置９４０は電子制御された熱制御ユニットを含んでいる。例えば、いくつかの実施形態において、熱制御装置９４０は、導管９３０に取り付けられた、子制御されたバルブを備えており、前記バルブは導管９３０の気体の通過を可逆的に阻害するよう位置している。図１２に示される熱制御装置９４０は、電子コントローラ１２１０に取り付けられている。電子コントローラ１２１０はワイヤコネクタ１２３０によって温度センサ１２００に取り付けられている。図１２に示されるように、温度センサ１２００は貯蔵領域９３０内に位置しており、温度センサは熱制御装置９４０に取り付けられている。図１２に示される実施形態において、温度センサ１２００は貯蔵領域９２０の側面に取り付けられている。いくつかの実施形態において、温度センサは導管９４０内に位置し得る。電子コントローラ１２１０は、導管９３０内に位置する熱制御装置９４０を、温度センサ１２００からワイヤコネクタ１２３０を介して送信される情報に応じて制御するよう構成される。図１２に示される実施形態において、ファン１２２０は電子コントローラ１２１０に取り付けられ、導管９３０に隣接する位置である。ファン１２２０は電子コントローラ１２１０により可逆的に制御される。例えば、電子コントローラ１２１０は温度の示度が閾値を超えるのに応じにファン１２２０をオンするよう構成され得る。電子コントローラ１２１０および取り付けられたモジュールは電源１２５０、例えば図１２に示されるような外部電源１２５０にワイヤコネクタ１２６０を介して接続される。いくつかの実施形態において、恒温容器１１０は、上記恒温容器１１０の周りの冷却装置のための電源に接続される。図１２に示される実施形態は、電子コントローラ１２１０にワイヤコネクタ１２３０を介して接続された加熱要素１２４０をも備える。図１２に示さるように、温度センサ１２００は貯蔵領域９３０内に位置しており、温度センサ１２００は貯蔵領域９３０内の加熱要素１２４０を備える加熱装置に取り付けられている。電子コントローラ１２１０は、温度センサ１２００からワイヤコネクタ１２３０を介して送信される情報に応じて加熱要素１２４０をオンにするよう構成され得る。例えば、電子コントローラ１２１０は、温度の示度が閾値を下回るのに応じ加熱要素１２４０をオンするよう構成され得る。加熱要素は例えば、貯蔵領域９２０の底面に沿って位置し得る。加熱要素は例えば、貯蔵領域９２０の内部表面に隣接するように位置し得る。
【００７５】
図１３は恒温容器１１０の態様を説明する。図１３に示される恒温容器１１０は冷却装置を除いて示されるが、内部の冷却装置に適合しおよび作用するように構成される。図１３に説明される温度調整された容器１１０は内部の構造を実質的な断面図で説明するために図示される。図１３に示される恒温容器１１０は、前記容器を実質的に規定する壁２００、および貯蔵領域９２０と相変化材料領域９１０の間の導管９３０を備える断熱隔壁９００を含んでいる。恒温容器１１０は恒温容器１１０は、恒温容器１１０の底面に開口２０５を備えており、上記開口２０５の大きさおよび形状は貯蔵領域９２０から重力によって凝縮した液体を除去し、貯蔵領域２３０と容器の外部領域の間の熱エネルギーの移動を最少とするような大きさおよび形状である。
【００７６】
図１３に示される実施形態は、ワイヤコネクタ１２３０を介して温度センサ１２００に接続された電子コントローラ１２１０を含んでいる。ファン１２２０は導管９３０に隣接する位置にあり、電子コントローラ１２１０と操作可能に連結される。加熱要素１２４０はワイヤコネクタ１２３０を介して電子コントローラ１２１０に操作可能に取り付けられる。図１３に示されるように、温度センサ１２００はワイヤコネクタ１２６０を介して、送信機１３００を備える送信ユニットに取り付けられる。送信機１３００は信号１３１０を温度調整された容器１１０に送信するよう構成される。いくつかの実施形態において、送信ユニット１３２０は信号１３１０を、送信機１３００を介して一定のスケジュールで送信するよう構成される。例えば、送信ユニット１３２０は、付属の温度センサからの最新の情報を、例えば１時間おき、８時間おき、１２時間おき、または１日おきに送信するよう構成され得る。いくつかの実施形態において、送信ユニット１３２０は、信号１３１０を送信機１３００を介して必要に応じて送信するよう構成され得る。例えば、送信ユニット１３２０は、温度センサ１２００からの情報が閾値よりも上または下（例えば７℃より高い、または３度より低い）のときに警告信号を送るよう構成され得る。
【００７７】
冷却装置の外の室温が、恒温容器の所定の温度の範囲よりも低下した状況において、図１３および１４に説明されるような加熱要素が、あらかじめ決められた温度範囲の下限を維持するため、必要に応じ熱を供給するよう備えられる。例えば、いくつかの実施形態はサーモスタット、および貯蔵領域内の、電池、例えばリチウム電池に取り付けられた内部ヒーターを含んでいる。恒温容器のいくつかの実施形態は、例えば、断続的な電力供給、および室温が恒温容器の貯蔵領域のあらかじめ決定された温度範囲の下限を下回り得る環境において使用することができる冷却装置内で使用するために構成される。例えば、いくつかの実施形態において、恒温容器の貯蔵領域のあらかじめ決定された温度範囲は２℃から８℃の範囲であり、貯蔵領域内の内部ヒーターに取り付けられたサーモスタットは、貯蔵領域内の温度が２．５℃に達したときに貯蔵領域を加熱するよう構成され得る。このことは、例えば冬において、恒温容器の周囲の冷却装置が安定した複数の電源を有さない場合に生じ得る。
【００７８】
図１４は恒温容器１１０の態様を説明する。図１４に示される恒温容器１１０は冷却装置を除いて示されるが、内部の冷却装置に適合しおよび作用するように構成される。図１４に説明される温度調整された容器１１０は内部の構造を実質的な断面図で説明するために図示される。図１４に示される恒温容器１１０は、上記容器を実質的に規定する壁２００、および貯蔵領域９２０と相変化材料領域に間の断熱隔壁９００を含んでいる。
【００７９】
図１４に図示される実施形態において、隔壁９００は第１の導管１４５０および第２の導管１４４０を備える。第２の断熱隔壁１４７０は、断熱隔壁９００の下の領域を第１の貯蔵領域１４２０および第２の貯蔵領域１４３０に分割する。説明される実施形態において、第１の貯蔵領域１４２０および第２の貯蔵領域１４３０は横並びの配置で位置している。いくつかの実施形態は、縦並びの配置で第１の貯蔵領域および第２の貯蔵領域を含んでいる。例えば、いくつかの実施形態は、内部の領域を分割し、容器の内部に第２の貯蔵領域および第２の相変化材料領域を形成する第２の断熱隔壁であって、上記第２の隔壁は第２の貯蔵領域と第２の相変化材料領域の間の導管を備える第２の断熱隔壁を含んでいる。
【００８０】
図１４に示される実施形態において、隔壁９００は第１の貯蔵領域１４２０の内部と相変化材料領域９１０を接続する第１の導管１４４０を含んでいる。第１の導管１４４０は第１の熱制御装置１４００を含んでいる。隔壁９００はまた、第２の貯蔵領域１４３０の内部と相変化材料領域９１０を接続する第２の導管１４５０を含んでいる。第２の導管は第２の熱制御装置１４１０を含んでいる。図１４に説明される実施形態において、第１の熱制御装置１４００および第２の熱制御装置１４１０はそれぞれ独立に作動する。図１４の実施形態における第１の熱制御装置１４００および第２の熱制御装置１４１０の間には全くつながりが無い。いくつかの実施形態において、第１の導管に取り付けられた第１の熱制御装置および第２の導管に取り付けられた第２の熱制御装置は１つのコントローラにより制御される。例えば、電子コントローラは第１の熱制御装置および第２の熱制御装置に操作可能であるよう取り付けられ、上記電子コントローラは上記装置を調和した様式で操作する信号を送るよう構成される。
【００８１】
図１４に示される実施形態において、第１の貯蔵領域１４２０は第２の貯蔵領域のためのライナー領域１４６０を備えており、上記ライナー領域１４６０は相変化材料を含んでいるよう構成される。図１４に示される実施形態において、ライナー領域１４６０は、第１の貯蔵領域１４２０に内部表面に隣接する位置にある保持領域を含んでいる。ライナーは一定量の相変化材料を含んでいるよう構成される。いくつかの実施形態において、ライナー領域は、相変化材料領域における相変化材料とは異なる、第２の相変化材料を含んでいる。ライナー領域はライナー領域内に相変化材料を含み、封入する。例えば、いくつかの実施形態において、ライナー領域は密封された継ぎ目を有する耐久性プラスチック材料から製造される。例えば、いくつかの実施形態において、ライナー領域は溶接された継ぎ目を有する金属から製造される。いくつかの実施形態において、ライナー領域は熱伝導性材料から製造される。
【００８２】
第１の貯蔵領域１４２０および第２の貯蔵領域１４３０は、相変化材料９１０と、それぞれ導管１４４０および１４５０を介して熱的に接続されている。導管１４４０および１４５０はそれぞれ独立に、熱エネルギーの相変化材料９１０への移動を許す。相変化材料領域９１０は相変化材料９１０を封入するライナー９６５を含んでいる。一方向熱伝導体９７０は恒温容器１１０の周囲の壁２００の上部の開口９５０を通過する位置にある。一方向熱伝導体９７０は、開口９５０を通過する領域を含んでいる、下向きの領域の大部分が相変化材料９６０に浸されており、その上面は熱移動要素３００と接続されている。
【００８３】
図１５は、冷却装置１００内の恒温容器１１０の態様を説明する。冷却装置１００は恒温容器１１０の周囲の壁１３０を含んでいる。説明のため、冷却装置１００はドアを除いて示される。図１５は冷却装置１００の貯蔵領域内の恒温容器１００を示す。恒温容器は付属のハンドル１４５を有するアクセスドア１４０を有する。アクセスドア１４０は閉じた位置で図示されるが、恒温容器１１０の貯蔵領域内に貯蔵された物質にアクセスするためにユーザが開けることができる。いくつかの実施形態において、１つのドアが恒温容器内の複数の貯蔵領域へのアクセスを提供する（例えば図１４を参照）。
【００８４】
図１５に示される冷却装置１００は冷却コイル１２０を含んでいる。恒温容器１１０は第１の一方向熱伝導体１５００および第２の一方向熱伝導体１５１０を含んでいる。一方向熱伝導体１５００、１５１０はそれぞれ、温度調整された容器１１０の外壁の開口を通過する。第１の一方向熱伝導体は取り付けユニット１５２０を用いて冷却コイル１２０に取り付けられる。図１５に示される実施形態において、恒温容器１１０は、冷却コイル１２０に直接取り付けられた第２の一方向熱伝導体１５１０を含んでいる。第１の一方向熱伝導体１５００および第２の一方向熱伝導体１５１０はそれぞれ独立に、冷却コイル１２０の異なる位置で冷却コイル１２０に取り付けられている。
【００８５】
いくつかの実施形態は、冷却装置の冷却コイルに取り付けるために構成された取り付けユニットを備える熱放出ユニットを含んでいる。取り付けユニットは、一方向熱伝導体と冷却コイルの間の熱的な接続を増強するよう構成される。例えば、ある実施形態において、取り付けユニットは一方向熱伝導体の端に接触し、かつ冷却コイルにも接触する熱伝導性金属を含んでいる。例えば、いくつかの実施形態において、取り付けユニットは恒温容器の放射ユニットの延長に位置している。いくつかの実施形態において、取り付けユニットは熱伝導性の金属、例えばアルミニウム、銅、銀、または金から製造される。いくつかの実施形態において、取り付けユニットは熱伝導性の合成素材、例えば熱伝導性プラスチック材料から製造される。いくつかの実施形態において、取り付けユニットは熱膨張性の材料から製造される。例えば、取り付けユニットは熱膨張性の金属から製造され、取り付けユニットが比較的暖かいときに取り付けユニットが冷却コイルに接する表面積を拡大するように位置している。
【００８６】
図１６は恒温容器１１０の実施形態の態様を表す。図１６に示される恒温容器１１０は、可視化の目的で冷却装置を除いて示されるが、内部の冷却装置に適合しおよび作用するように構成される。図１６に説明される温度調整された容器１１０は内部の構造を実質的な断面図で説明するために図示される。図１６に示される恒温容器１１０は、上記容器を実質的に規定する壁２００、および貯蔵領域９２０と相変化材料領域との間の断熱隔壁を含んでいる。開口２０５は下を向く壁２００に位置しており、上記開口２０５は凝縮した液体が恒温容器１１０の貯蔵領域９２０から滴り落ちることを許すように構成される。断熱性材料から製造された隔壁９００は、恒温容器１１０の内部領域の上部を二分する。隔壁９００は、貯蔵領域９２０の内部と相変化材料領域９１０の内部とを熱的に接続するように位置し、かつ構成される単一の導管９３０を含んでいる。熱制御装置９４０は導管９３０内に位置しており、上記熱制御装置９４０は導管９３０の長さに沿った熱エネルギーの移動を可逆的に阻害するよう構成される。熱制御装置９４０は導管９３０内に位置しており、上記熱制御装置９４０は導管９３０の長さに沿った熱エネルギーの移動を可逆的に最少化するよう構成される。熱伝導性仕切り板９３５は、相変化材料領域９１０内の相変化材料と導管との間の熱エネルギーの移動を促進し、相変化材料が導管９３０へ漏出する可能性を最小化するよう構成され、かつ位置を定められている。
【００８７】
図１６に示される恒温容器１１０は、相変化材料領域９１０の内部表面に隣接するライナー９６５を備える、相変化材料領域９１０の領域を含んでいる。ライナー９６５は相変化材料９６０を含んでいる。恒温容器１１０の上部の壁に位置する２つの開口１６００、１６１０が存在する。第１の一方向熱伝導体は、下部領域が相変化材料領域に位置し、ある領域が開口１６００の長さを横切り、かつある領域が恒温容器１１０の外部の上面に位置している。同様に、第２の一方向熱伝導体は、下部領域が相変化材料領域に位置し、ある領域が開口１６００の長さを回避し、かつある領域が恒温容器１１０の外部の上面に位置している。第１および第２の一方向熱伝導体１５００、１５１０の外側表面の周り、および隣接する導管１６００、１６１０の表面に空間が示されているが、これは説明の目的のためである。いくつかの実施形態において、第１および第２の一方向熱伝導体１５００、１５１０の外側表面および隣接する導管１６００、１６１０の表面は、表面間の空間が最少となるように可逆的に接合する。いくつかの実施形態において、第１および第２の一方向熱伝導体１５００、１５１０の外側表面および隣接する導管１６００、１６１０の表面は、ガスケットまたは類似のものの追加により熱的に密封される。図１６に示される実施形態において、取り付けユニット１５２０は第１の一方向熱伝導体１５００の最上端に取り付けられる。取り付けユニット１５２０は、恒温容器１１０が冷却装置内で使用されるときに、一方向熱伝導体の端と冷却コイルセットの間の熱エネルギーの移動効率を向上させるよう構成される。
【００８８】
図１７は、冷却装置１００内の温度調整された容器１１０の態様を表す。冷却装置１００は恒温容器１１０の周囲の壁１３０を含んでいる。説明の目的で、冷却装置１００はドアを除いて示される。図１７は冷却装置１００の内部の貯蔵領域内の恒温容器１１０を示す。冷却装置１００の冷却コイル１２０は図１７の説明に解説される。いくつかの冷却装置において、実施例に応じて回避または除去する必要のある、冷却コイルの周りのパネルまたはカバーがあり得る。恒温容器は付属のハンドル１４５を有するアクセスドア１４０を有する。アクセスドア１４０は閉じた位置で図示されるが、恒温容器１１０の貯蔵領域内に貯蔵された物質にアクセスするためにユーザが開けることができる。いくつかの実施形態において、１つのドアが恒温容器内の複数の貯蔵領域へのアクセスを提供する（例えば図１４を参照）。恒温容器１１０は、恒温容器１１０の上面から実質的に垂直の上方向に突き出る単一の一方向熱伝導体１５００を含んでいる。一方向熱伝導体１５００は、取り付けユニット１５２０により冷却コイル１２０に取り付けられている。図１７において示される実施形態において図示される取り付けユニット１５２０は、冷却コイル１２０の大部分の表面と物理的に接触する大きさおよび形状である。例えば、いくつかの実施形態において、取り付けユニットは冷却コイルセットの幅と物理的に接触する大きさおよび形状である。例えば、いくつかの実施形態において、取り付けユニットは冷却コイルセットの長さと物理的に接触する大きさおよび形状である。例えば、いくつかの実施形態において、取り付けユニットは冷却コイルセットの各ループと物理的に接触する大きさおよび形状である。
【００８９】
図１８は、冷却装置１００内の温度調整された容器１１０の態様を表す。冷却装置１００は恒温容器１１０の周囲の壁１３０を含んでいる。説明の目的で、冷却装置１００はドアを除いて示される。図１８は冷却装置１００の内部の貯蔵領域内の恒温容器１１０を示す。冷却装置１００の冷却コイル１２０は図１８の説明に解説されるが、いくつかの実施形態において、冷却コイルに隣接する上記容器の図示される特徴は、冷却装置１００のパネルまたはスクリーンの背後にある。
【００９０】
図１８に示される実施形態は、内部領域を備える恒温容器１１０の、１つ以上の壁２００を実質的に規定する１つ以上の断熱材料の部分を含んでいる。上記実施形態は内部領域を分割し、容器１１０内部に貯蔵領域９２０および相変化材料領域９１０を形成する断熱隔壁９００を備えており、上記断熱隔壁は貯蔵領域９２０と相変化材料領域９１０の間の導管９３０を含んでいる。相変化材料９６０は相変化材料領域９１０内に位置する。説明される恒温容器１１０は貯蔵領域９２０内にサーマルダイオードユニット１８００を備えており、上記サーマルダイオードユニット１８００は導管９３０内の熱移動要素１８５０を含んでいる。説明される実施形態において、熱移動要素１８５０は導管を超え相変化材料領域９１０内に伸びている。説明される実施形態はまた、容器１１０を実質的に規定する断熱材料の部分内に開口９５０を備えており、上記開口９５０は相変化材料領域９１０の内部から上記容器、および容器１１０の外部表面の間である。上記実施形態は開口９５０内に位置する一方向熱伝導体１５００を備えており、上記一方向熱伝導体は相変化材料領域９１０から容器１１０の外部表面への方向に熱を移動するよう構成される。一方向熱伝導体１５００は付属のフィン構造を含んでいる。上記実施形態は、一方向熱伝導体１５００の容器１１０外の端と冷却装置１００の冷却コイル１２０の間の取り付けユニット１５２０を含んでいる。図１８に示される取り付けユニット１５２０は容器１１０内の相変化材料領域９１０とほぼ同じ幅であり、冷却コイルの大部分のループと熱的接続を形成する。
【００９１】
図１８に示される実施形態は、サーマルダイオードユニット１８００を含んでいる。本書において使用されるとき、「サーマルダイオードユニット」は恒温容器の貯蔵領域の少なくとも一部分に接するよう構成され、貯蔵領域内の温度を実質的に均等化し、貯蔵領域内の温度が、特定の実施形態の恒温容器のあらかじめ決定された温度範囲の許容される上限より上であるとき、貯蔵領域外への熱エネルギーまたは熱の移動を促進するよう構成される。サーマルダイオードユニットは外壁および内壁を備えており、外壁の内壁の間に間隙を備えるよう位置する。サーマルダイオードユニットは外壁および内壁を備えており、外壁および内壁の間の間隙の周りの気体不透過性密封装置を構成し、サーマルダイオードユニットの構造内に気体が封入された間隙を形成する。いくつかの実施形態において、サーマルダイオードユニットは１つ以上の実質的に垂直な、貯蔵領域の内部表面と接合する外部表面を有する外壁を含んでいる。いくつかの実施形態において、サーマルダイオードユニットは実質的に円筒状、例えば実質的に縦向きの円筒形である。いくつかの実施形態において、サーマルダイオードユニットは実質的に長方形である。いくつかの実施形態において、サーマルダイオードユニットは実質的に箱型の形状である。いくつかの実施形態において、サーマルダイオードユニットは少なくとも１つの開口を備えており、上記開口は貯蔵領域のドアまたは他の開口と接合する位置にある。いくつかの実施形態において、サーマルダイオードユニットは、恒温容器の貯蔵領域の底面と可逆的に接合する底面領域を含んでいる。いくつかの実施形態において、サーマルダイオードユニットは、底面領域から過剰の流体を排出するよう構成された開口を備える底面領域を含んでいる。いくつかの実施形態において、サーマルダイオードユニットは、恒温容器の相変化材料領域まで伸びている熱移動要素を含んでいる。熱移動要素は、サーマルダイオードユニットの気体が封入された間隙に必須の内部領域を含んでいる。サーマルダイオードユニットの外壁は熱伝導性の材料から製造される。例えば、いくつかの実施形態において、サーマルダイオードユニットはアルミニウムまたは銅を含有して製造される。例えば、いくつかの実施形態において、サーマルダイオードユニットは熱伝導性プラスチックを含有して製造される。サーマルダイオードユニットは、サーマルダイオードユニットの周囲の大気圧と一致しない気体圧力を備える、サーマルダイオードユニットの内部領域を含んでいる。例えば、いくつかの実施形態において、サーマルダイオードユニットは周囲の大気圧より低い気体圧力を有する気体が封入された間隙を有する。例えば、いくつかの実施形態において、サーマルダイオードユニットは周囲の大気圧より高い気体圧力を有する気体が封入された間隙を有する。いくつかの実施形態において、サーマルダイオードユニットは気体が封入された間隙内に封入された液体を含んでいる、気体が封入された間隙を含んでいる。例えば、サーマルダイオードユニットは揮発性液体を含み得る。いくつかの実施形態において、サーマルダイオードユニットは、サーマルダイオードユニットの内部壁の内部表面に付属のメッシュ構造を備えており、上記メッシュ構造は内部壁の隣接する表面領域と実質的に垂直に物理的に接触する位置にある。いくつかの実施形態において、メッシュ構造は内部壁の内部表面に、メッシュ構造と内部表面の大部分が熱的に接続するよう付属している。いくつかの実施形態において、メッシュ構造は複数の内部細孔を備えており、上記複数の内部細孔の平均直径は、サーマルダイオードユニットが使用のための位置にあるときに液体をメッシュ構造の上端に導くのに十分なものである。いくつかの実施形態において、メッシュ構造は複数の内部細孔を備えており、上記複数の内部細孔の平均直径は約１００ミクロン未満である。
【００９２】
いくつかの実施形態において、恒温容器における使用のために設計されたサーマルダイオードユニットは；サーマルダイオードユニットの使用の間、実質的に垂直になるように構成される少なくとも１つの内部壁；上記少なくとも１つの内部壁と適合する大きさおよび形の、少なくとも１つの外部壁であり、上記少なくとも１つの内部壁と上記少なくとも１つの外部壁との間に形成される間隙を有する上記少なくとも１つの外部壁、上記間隙に隣接する上記少なくとも１つの内部壁の表面に取り付けられたメッシュ構造；上記間隙内の液体；上記間隙を取り囲む上記第１のサーマルダイオードユニットの気体不透過性である内部領域を形成する、上記少なくとも１つの内部壁と上記少なくとも１つの外部壁との間の１つ以上の密封装置；および大気圧より小さい、上記気体不透過性である内部領域内のガス圧を含んでいる。本書のいくつかの実施形態は、期待されるサーマルダイオードの使用条件における液体のガス分圧を下回る、間隙内のガス圧を含んでいる。いくつかの実施形態において、サーマルダイオードユニットは、少なくとも１つの内部壁の、サーマルダイオードユニットの使用中における下端に取り付けられた底部壁を含んでいる。いくつかの実施形態において、サーマルダイオードユニットはさらに、サーマルダイオードユニットの気体不透過性内部領域に隣接する内部スペースを備える熱移動要素を含んでいる。いくつかの実施形態において、サーマルダイオードユニットはさらに、サーマルダイオードユニットの気体不透過性内部領域と熱的に接続された熱移動要素を含んでいる。いくつかの実施形態において、サーマルダイオードユニットはさらに、送信装置に取り付けられ、サーマルダイオードユニットに付属する温度センサを含んでいる。
【００９３】
図１８はサーマルダイオードユニット１８００を備える恒温容器１１０の実施形態を図示する。図１８に示されるサーマルダイオードユニット１８００は、内部壁と外部壁の間に間隙を有する内部壁および外部壁を備える貯蔵区画を含んでいる。内部壁の内部は温度制御さえた貯蔵領域１８１０である。説明される実施形態において、実質的に平らな床区画１８４０がその端部において内部壁に取り付けられ、温度制御されている貯蔵領域１８１０の下部境界を形成する。床区画１８４０は過剰な液体、例えば凝縮液を温度制御されている貯蔵領域１８１０から排出することができるよう構成された開口を有する。サーマルダイオードユニット１８００の床区画１８４０の開口１８６０は、恒温容器１１０の下部壁の開口２０５と接合する位置および形状である。
【００９４】
メッシュ構造１８２０はサーマルダイオードユニット１８００の内部壁の内部表面に取り付けられており、上記メッシュ構造はサーマルダイオードユニット１８００の壁の間の気体が封入された間隙に面している。液体１８３０は気体が封入された間隙に位置する。液体１８３０は、メッシュ構造１８２０の複数の細孔が吸い上げることができるのに十分な表面張力を有する。メッシュ構造内の複数の細孔の平均の大きさおよび液体１８３０の毛細管現象の組み合わせにより、メッシュ構造は気体が封入された間隙内の長さおよび高さに沿い実質的に液体１８３０で飽和される。いくつかの実施形態において、メッシュ構造は金属フォーム構造である。いくつかの実施形態において、メッシュ構造は紙繊維から製造される。いくつかの実施形態において、メッシュ構造は布素材から製造される。例えばいくつかの実施形態は、純水である液体、および平均直径が３０ミクロンの細孔を備え、高さが０．３メートル以下であるメッシュ構造を含んでいる。例えば、いくつかの実施形態は、銅から製造され、平均直径が約４４ミクロンである細孔を有するメッシュ構造を含んでいる。メッシュ構造は隣接する壁の表面に接して取り付けられる。例えば、いくつかの実施形態においてメッシュ構造は壁の表面に、複数の溶接、複数のステープル、または複数の釘のいずれか１つ以上を用い、メッシュ構造と壁の表面の接触する表面を増大させる構造で取り付けられる。
【００９５】
図１８に示されるサーマルダイオードユニット１８００は、恒温容器１１０の導管９３０内に位置する熱移動要素１８５０を含んでいる。説明される実施形態において、熱移動要素１８５０は実質的に、サーマルダイオードユニット内の気体が封入された間隙に取り付けられた、内部の気体が封入された領域を有する円筒形の直立構造を形成する。図１８に示される熱移動要素１８５０は隔壁９００の導管９３０と容器１１０の相変化材料領域９１０の上部に位置する領域を通過する位置にある。使用中において、気体が封入された間隙からの液体が、サーマルダイオードの壁を介して熱エネルギーまたは熱を吸収することができる。蒸気となった液体は気体が封入された間隙を上昇し熱移動要素１８５０の中へと上昇し流れ込むことができる。十分な熱エネルギーまたは熱が熱移動要素１８５０を介して相変化材料９６０へと発散されると、蒸気は熱移動要素８５０の内部表面において凝縮し液体となり、熱移動要素１８５０の底部へと滴り戻ることができる。
【００９６】
図１９はサーマルダイオードユニット１８００の態様を図示する。説明の目的で、図１９におけるサーマルダイオードユニット１８００は恒温容器から独立して図示される。サーマルダイオードユニットはサーマルダイオードユニッ１８００の特徴を説明するため斜めの視点で示される。サーマルダイオードユニット１８００は一般的に不透明の材料を使用して製造されるが、説明の目的で図１９は固形の要素を通したサーマルダイオードユニット１８００の内部の図を含んでいる。図１９に示されるサーマルダイオードユニット１８００は、上部、底部、および側面の形状が領域を横切る壁を有さない、実質的に箱形の形状に構成されている。サーマルダイオードユニット１８００の開放面は、恒温容器の内部領域にアクセス可能とするため、例えば恒温容器内の、恒温容器のドアに隣接する位置に位置している。サーマルダイオードユニットは温度安定化されている内部領域１９１０を含んでいる。サーマルダイオードユニット１８００は恒温容器の貯蔵領域における使用のために位置を定められ、上記温度安定化されている内部領域１９１０は、予め定められた範囲の温度安定化されている内部領域において、物質の保存のために利用され得る。例えば、いくつかの実施形態において、サーマルダイオードユニットは保存される医薬、例えばワクチンを２℃から８℃の所定の温度範囲に保つよう構成される。例えば、いくつかの実施形態において、サーマルダイオードユニットは保存される医薬、例えばワクチンを０℃から１０℃の所定の温度範囲に保つよう構成される。例えば、いくつかの実施形態において、サーマルダイオードユニットは保存される医薬、例えば血清を−１５℃から−２５℃の所定の温度範囲に保つよう構成される。
【００９７】
図１９に説明されるいくつかの実施形態において、サーマルダイオードユニット１８００は互いに実質的に直角である３つの外壁１９００を含んでいる。外壁１９００の縁は、気体不透過性の密封装置との接合部において互いに密封されている。例えば、いくつかの実施形態において、サーマルダイオードユニットはアルミニウムで構成され、外壁の縁は互いに溶接されている。サーマルダイオードユニット１８００は、対応する外壁１９００と平行の位置にある３つの内壁１９３０をも含んでいる。内壁１９３０は気体不透過性密封装置との接合部において互いに密封されている。例えば、いくつかの実施形態において、サーマルダイオードユニットはアルミニウムで構成され、内壁の縁は互いに溶接されている。図１９に示されるサーマルダイオードユニットは、内壁１９３０の下部の縁と外壁１９００の下部の縁を結合する下部気体不透過性密封装置を含んでいる。例えば、いくつかの実施形態において、サーマルダイオードユニットはアルミニウムで構成され、下部気体不透過性密封装置は互いに実質的に平行な外壁および内壁に位置する大きさおよび形状の平面状アルミニウムシートから製造され、上記気体不透過性密封装置は外壁および内壁と、各要素の対応する縁に溶接されている。図１９に示されるサーマルダイオードユニットは、内壁１９３０の上部の縁と外壁１９００の上部の縁を結合する上部気体不透過性密封装置を含んでいる。例えば、いくつかの実施形態において、サーマルダイオードユニットはアルミニウムで構成され、上部気体不透過性密封装置は互いに実質的に平行な外壁および内壁に位置する大きさおよび形状の平面状アルミニウムシートから製造され、上記気体不透過性密封装置は外壁および内壁と、各要素の対応する縁に溶接されている。図１９に示されるサーマルダイオードユニットは内壁１９３０の縁、外壁１９００の縁、上部気体不透過性密封装置の縁、および下部気体不透過性密封装置の縁を結合する横気体不透過性密封装置１９６０を含んでいる。例えば、いくつかの実施形態において、サーマルダイオードユニットはアルミニウムで構成され、横気体不透過性密封装置は互いに実質的に平行な外壁および内壁に位置する大きさおよび形状の平面状アルミニウムシートから製造され、上記横気体不透過性密封装置は外壁および内壁と、各要素の対応する縁に溶接されている。
【００９８】
サーマルダイオードユニット１８００は内壁１９３０の内部表面に取り付けられ、気体が封入された間隙１９２０に面しているメッシュ構造１８２０を含んでいる。メッシュ構造は気体が封入された間隙内の液体がメッシュ構造の高さまで吸い上げられるような大きさの細孔を有する細孔構造を含んでいる。気体が封入された間隙１９２０はまた、サーマルダイオード１８００の期待される使用において、液体がその蒸気の相へと蒸発できるようなガス圧を含んでいる。例えば、いくつかの実施形態において、気体が封入された間隙１９２０は大気圧を下回るガス圧を含んでいる。例えば、いくつかの実施形態において、気体が封入された間隙１９２０は大気圧を上回るガス圧を含んでいる。
【００９９】
図２０は、冷却装置１００内の恒温容器１１０の実施形態を示している。冷却装置１００は、恒温容器１１０を取り囲む壁１３０を含んでいる。説明の目的のため、冷却装置１００はドア無しで示されている。図２０は、冷却装置１００の貯蔵領域内部の恒温容器１１０を示している。いくつかの実施形態において、冷却コイルに隣接している容器の描かれた特徴は、冷却装置１００のパネルまたはスクリーンの背後に存在するが、冷却装置１００の冷却コイル１２０は、図２０の説明において示されている。
【０１００】
図２０において示されている実施形態は、恒温容器１１０の１つ以上の壁２００を実質的に規定する断熱材の１つ以上の部分、内部領域を含んでいる恒温容器１１０を含んでいる。上記実施形態は、容器１１０に内在する貯蔵領域９２０および相変化材料領域９１０を形成するように内部領域を分割し、貯蔵領域９２０と変化材料領域９１０との間に導管９３０を含んでいる断熱隔壁９００を含んでいる。相変化材料９６０は、相変化材料領域９１０内に位置する。示されている恒温容器１１０は、貯蔵領域９２０内の、導管９３０を越える熱伝達部品１８５０を含んでいるサーマルダイオードユニット１８００を含んでいる。示されている実施形態において、熱伝達部品１８５０は、相変化材料領域９１０の内側領域内の導管を越えて延びている。熱伝達部品１８５０の末端部は、断熱隔壁９００の主軸の面に対する角度において位置する管状構造である。
【０１０１】
図２０において示されている実施形態において、温度依存バルブ２０００は、断熱隔壁９００に隣接した位置において熱伝達部品１８５０内に位置する。温度依存バルブ２０００は、熱伝達部品１８５０内の温度と関連して、熱伝達部品１８５０内で気体流を可逆的に調節するように、設置および較正される。温度依存バルブは、熱伝達部品の上部領域から熱伝達部品の下部領域まで、温度依存バルブを通じて凝縮した液体が流れることを可能にするように設置され構成される。いくつかの実施形態において、容器は、貯蔵領域から相変化材料領域へ熱勾配を調節するように設置され構成される第１のバルブ、および熱伝達部品の上部領域から熱伝達部品下部領域へ、リターンバルブを通じて凝縮した液体が流れることを可能にするように設置され構成される第２のリターンバルブを含んでいる。いくつかの実施形態において、熱伝達部品は、例えば断熱隔壁に隣接した位置において、環状断熱領域を含んでいる。例えば、いくつかの実施形態において、熱伝達部品内の温度依存バルブは、熱伝達部品内の温度が所定の値よりも高いとき、可逆的に開くように、またはより大きな気体の流動を可能にするように較正される。例えば、いくつかの実施形態において、熱伝達部品内の温度依存バルブは、熱伝達部品内の温度が所定の値６℃よりも高いとき、可逆的に開くように較正される。例えば、いくつかの実施形態において、熱伝達部品内の温度依存バルブは、熱伝達部品内の温度が所定の値８℃よりも高いとき、可逆的に開くように較正される。例えば、いくつかの実施形態において、熱伝達部品内の温度依存バルブは、熱伝達部品内の温度が所定の値１０℃よりも高いとき、可逆的に開くように較正される。例えば、いくつかの実施形態において、熱伝達部品内の温度依存バルブは、熱伝達部品内の温度が所定の値よりも低いとき、可逆的に閉まるように、またはより大きな気体の流動を調節するように較正される。例えば、いくつかの実施形態において、熱伝達部品内の温度依存バルブは、熱伝達部品内の温度が所定の値４℃よりも低いとき、可逆的に開くように較正される。例えば、いくつかの実施形態において、熱伝達部品内の温度依存バルブは、熱伝達部品内の温度が所定の値２℃よりも低いとき、可逆的に開くように較正される。例えば、いくつかの実施形態において、熱伝達部品内の温度依存バルブは、熱伝達部品内の温度が所定の値０℃よりも低いとき、可逆的に開くように較正される。
【０１０２】
いくつかの実施形態において、温度依存バルブは、熱伝達部品を横切る間隔を可逆的に、実質的に閉じ得る。例えば、いくつかの実施形態において、温度依存バルブは、ソレノイドまたはボールバルブである。いくつかの実施形態において、温度依存バルブは、熱伝達部品を横切って、可逆的に部分的に間隔を閉じ得る。例えば、いくつかの実施形態において、温度依存バルブは、熱伝達部品の幅を横切って間隔を部分的にふさぐように位置する１つ以上のルーバを含んでいる。いくつかの実施形態において、温度依存バルブは、冷却剤を含んでいるバルブである“冷媒バルブ”などの受動的なバルブであり、冷却剤の圧力はバルブを可逆的に作動させる。いくつかの実施形態において、温度依存バルブは、熱応答性バイメタル素子を含んでいる受動的な温度依存バルブである。いくつかの実施形態において、温度依存バルブは、ソレノイド、電動ボールバルブ、または１つ以上の電動ルーバなどの、活温度依存バルブである。実施形態において、温度依存バルブは、活温度依存バルブであり、１つ以上の温度センサ、１つ以上のモーター、電源、および制御装置などの要素を含んでいる制御システムに作動可能に取り付けられ得る。
【０１０３】
図２０の示された実施形態は、容器１１０を実質的に規定する断熱材の一部分内の開口である、容器に内在する相変化材料領域９１０と容器１１０の外面との間の開口９５０を同様に含んでいる。実施形態は、開口９５０内に位置し、相変化材料領域９１０から容器１１０の外面への方向において熱を伝えるように構成される一方向性熱伝導体１５００を含んでいる。一方向性熱伝導体１５００は、取り付けられたフィン構造を含んでいる。実施形態は同様に、容器１１０の外側の一方向性熱伝導体１５００の末端部と冷却装置１００の冷却コイル１２０との間に位置する取付ユニット１５２０を含んでいる。
【０１０４】
図２１は、冷却装置１００内の恒温容器１１０の実施形態を示している。冷却装置１００は、恒温容器１１０を取り囲む壁１３０を含んでいる。例証の目的のため、冷却装置１００はドア無しで示されている。図２１は、冷却装置１００の貯蔵領域内の恒温容器１１０を示している。いくつかの実施形態において、冷却コイルに隣接している容器の描かれた特徴は、冷却装置１００のパネルまたはスクリーンの背後に存在するが、冷却装置１００の冷却コイル１２０は、図２１の例証において示されている。いくつかの実施形態において、一方向性熱伝導体１５００は、図２１において示されているように、冷却コイル１２０に接続するために冷却装置１００内の通風ダクトを横断する。
【０１０５】
図２１において示されている実施形態において、温度依存バルブ２０００は、断熱隔壁９００に隣接する位置において熱伝達部品１８５０内に位置する。いくつかの実施形態において、温度依存バルブは、温度依存バルブの温度に応じて可逆的に開閉する受動的なバルブを含み得る。いくつかの実施形態において、温度依存バルブは、制御装置に取り付けられ得、温度センサに反応し得る。上記接続は、ワイヤなどの物理的コネクタを含み得る。上記接続は、無線周波（ＲＦ）信号送信機および受信機などのコンポーネントを含んでいる伝達接続を含み得る。図２１において示されているように、ワイヤコネクタ２１４０は、温度依存バルブ２０００と制御装置２１２０との間に取り付けられている。図２１において示されている制御装置２１２０は、温度制御貯蔵領域１８１０に隣接する位置において貯蔵領域９２０に面している断熱隔壁９００の表面に取り付けられている。バッテリは、制御装置の作動のための電力を供給するように制御装置に接続され得る。例えば、いくつかの実施形態において、リチウムイオン電池は制御装置に取り付けられ得る。いくつかの実施形態において、制御装置は、冷却装置のために電力システムに取り付けられる。例えば、制御装置は、ワイヤコネクタを用いて冷却装置の電力システムに作動可能に取り付けられ得る。制御装置２１２０は、温度依存バルブ２０００の作動を可逆的に制御するような方法において、温度依存バルブ２０００に取り付けられる。例えば、いくつかの実施形態において、制御装置は、制御装置から伝えられた信号に応じて可逆的に開閉するように構成される電動バルブに、ワイヤコネクタを用いて取り付けられる。
【０１０６】
図２１において示されている実施形態において、温度センサ２１１０は、制御装置２１２０に取り付けられている。温度センサ２１１０は、制御装置２１２０に隣接した位置において断熱隔壁９００の表面に取り付けられている。いくつかの実施形態は、制御装置ユニットを含み、制御装置、温度センサ、記憶装置、送信機、およびバッテリユニットなどのモジュールは、使いやすさのために単一のユニットに組み込まれ得る。温度センサ２１１０は、信号２１００を送信するように構成される送信機を含み得る。例えば、温度センサは、いくつかの実施形態において、ＲＦ信号に応じて温度センサからの直近の温度読み取りを伝えるように構成される受動的な無線周波（ＲＦ）送信機を含み得る。例えば、温度センサは、いくつかの実施形態において、例えば１時間ごとに定期的に、符号化温度データを含んでいる信号を送るように構成される能動送信機を含み得る。例えば、温度センサは、Ｂｌｕｅｔｏｏｔｈ（登録商標）  ｄｅｖｉｃｅを含み得る。図２１において示されている実施形態において、ファンユニット２１３０は、温度センサ２１１０に取り付けられている。ファンユニットは、例えば、応答性の良い状態で温度センサ取り付けられ得る。例えば、ファンユニットは、温度センサが所定のレベルより上の温度値を示したとき、作動するように構成され得る。例えば、ファンユニットは、温度センサが所定のレベルより下の温度値を示したとき、作動しないように構成され得る。いくつかの実施形態において、ファンユニットは、所定の時間間隔において、または連続的に作動するように構成される。いくつかの実施形態において、ファンユニットは、恒温容器に対するドアの開閉後、およびドアが閉められた後の所定の期間作動するように構成される。
【０１０７】
図２２は、冷却装置１００内の恒温容器１１０の実施形態を示している。図２２において示されている視図は、冷却装置１００内の恒温容器１１０の実質的な断面図である。冷却装置１００は、壁１３０によって囲まれている。冷却装置１００は、冷却装置１００の前部において位置し、冷却装置１００の内側の内容物にアクセスするように可逆的に開かれるように構成されるドア２２００を含んでいる。恒温容器１１０は、冷却装置１００内の貯蔵領域内に位置する。恒温容器１１０は、恒温容器１１０の壁を実質的に規定する断熱材２００の１つ以上の部分を含んでいる。恒温容器１１０は、冷却装置のドア２２００に隣接した位置において断熱材２００の１つ以上の部分における開口、上記開口と可逆的に接合するように構成されるドア１４０を含んでいる。開口２０５は、恒温容器１１０の下面において位置し、上記開口は、貯蔵領域９２０への最小の熱移動と共に、貯蔵領域９２０の内側から容器の外側にある時点まで液体が流れることを可能にするように構成される。
【０１０８】
恒温容器１１０は、恒温容器１１０に内在する貯蔵領域９２０および相変化材料領域９１０を形成するように内部領域を分割する断熱隔壁９００を含んでいる。断熱隔壁９００は、貯蔵領域９２０と相変化材料領域９１０との間の導管９３０を含んでいる。相変化材料９６０は、相変化材料領域９１０内に設置される。熱制御装置９４０は、導管９３０内に設置される。示されている実施形態において、熱制御装置９４０は、貯蔵領域９２０の内側から相変化材料領域９１０へと発生する、熱エネルギー流動、または熱を可逆的に制限するように構成される受動的なバルブである。
【０１０９】
図２２において示されている冷却装置１００は、１組の冷却コイル１２０を含んでいる。いくつかの実施形態において、冷却装置は、冷却コイルと冷却装置の内側との間にバックパネルまたは内側断熱隔壁を含み得る。恒温容器のいくつかの実施形態の取り付けの間、パネルまたは断熱隔壁は、実施形態に適するように撤去または修正され得る。図２２において描かれている１組の冷却コイルは、冷却装置の内側にある一部分および冷却装置の外側にある一部分を含んでいる。図２２において示されている１組の冷却コイル１２０は、蒸気圧縮システムの一部であり、コンプレッサ２２７０およびエキスパンションバルブ２２６０を同様に含んでいる。制御装置２２１０は、コンプレッサ２２７０を通じて１組の冷却コイル１２０に接続されている。いくつかの実施形態において、冷却装置は、例えば、ヒートポンプベースのシステムになり得る。
【０１１０】
図２２において示されている実施形態において、恒温容器１１０の断熱材２００の後部に面している部分は、相変化材料領域９１０に隣接した位置において第１の開口２３４０を含んでいる。第１の一方向性熱伝導体２２２０は、第１の開口２３４０を越えて位置し、第１の開口２３４０の内側表面と可逆的に接合するように構成される外面を含んでいる。第１の一方向性熱伝導体２２２０は、相変化材料９６０内に位置する第１の末端部、および１組の冷却コイル１２０と熱的に接続するように位置する第２の末端部を含んでいる。恒温容器１１０の断熱材２００の後部に面している部分は、恒温容器１１０の貯蔵領域９２０に隣接する位置において第２の開口２３５０を含んでいる。第２の一方向性熱伝導体２２３０は、第２の開口２３５０を越えて位置し、第２の開口２３５０の内側表面と可逆的に接合するように構成される外面を含んでいる。第２の一方向性熱伝導体２２３０は、貯蔵領域９３０内に位置する第１の末端部、および１組の冷却コイル１２０と熱的に接続するように位置する第２の末端部を含んでいる。
【０１１１】
図２３は、使用における恒温容器１１０の実施形態の態様を示している。冷却装置１００の制御装置２２１０が、コンプレッサ２２７０を作動させるように働いている一方、熱エネルギー、または熱は、冷却装置１００内の位置において１組の冷却コイル１２０によって吸収され、冷却装置１００の外側にある位置において１組の冷却コイル１２０によって外側へ放射される。図２３の例証において、熱エネルギー、または熱は、点線として示されている。冷却コイル１２０内の熱エネルギー移動に対応して、熱エネルギーは、第１の一方向性熱伝導体２２２０および第２の一方向性熱伝導体２２３０両方の“熱い”末端部から、１組の冷却コイル１２０へと移動する。同様に、冷却装置の作動の間、制御装置２２１０がコンプレッサ２２７０を作動させる一方、恒温容器１１０内の第１の一方向性熱伝導体２２２０および第２の一方向性熱伝導体２２３０の末端部は、冷却される。いくつかの実施形態において、恒温容器の取り付けの間、冷却装置の第１のコンプレッサは取り外され、第２のコンプレッサが追加される。いくつかの実施形態において、冷却装置に組み込まれたコンプレッサは、恒温容器の取り付けの間、修正され恒温容器に電気的に接続されている。いくつかの実施形態において、冷却装置に組み込まれた温度自動調整器は、恒温容器の取り付けの間、修正され恒温容器に電気的に接続されている。
【０１１２】
図２４は、電力が供給不可であるときなど、冷却装置１００が作動可能でない期間の、図２２において示されたものと同様の実施形態を示している。図２４において示されている実施形態は、図２２および２３において示されているものと同様であり、例外は、例えばシステムへの電気の不足ため、図２４において示されている時間、冷却装置１００のコンプレッサ２２７０が作動していないことである。
【０１１３】
いくつかの実施形態において、冷却装置の通常作動間における冷却装置のコンプレッサの作動は、相変化材料領域の内側および恒温容器の貯蔵領域から、熱エネルギー、または熱を取り除くように機能する。これは、電力が利用可能であるときなど、冷却装置が作動可能である期間、恒温容器内の両方の領域を冷却する。低電力または電力のない状態（例えば停電）の間、１組の冷却コイルの内側が能動的に冷却しなくなれば、一方向性熱伝導体を通した熱移動は実質的に減少し、そのため一方向性熱伝導体を通じた熱勾配の確立および維持はなくなる。この熱移動の欠如は、図２４において、第１の一方向性熱伝導体２２２０および第２の一方向性熱伝導体２２３０と交差して“Ｘ”マークとして示されている。冷却コイルが作動可能でなくなり、貯蔵領域の内部が断熱隔壁内の恒温容器の作動のための所定の温度より上の温度まで上昇した場合、熱制御装置は、断熱隔壁内の導管を通じて間隔を開く。これは、熱制御装置９４０の“開口”位置を用いて図２４において示されている。引き続き、熱エネルギー、または熱（図２４において点線として示されている）は、導管を通して貯蔵領域から相変化材料領域へと自然に流れ、貯蔵領域の冷却を引き起こす。熱エネルギー、または熱は、相変化材料領域内の相変化材料内に保持され得る。結果として、貯蔵領域９２０は、冷却装置への電流が不在である状態においてさえ、温度調整冷却を経験し得る。いくつかの実施形態において、冷却装置内の恒温容器は、冷却装置への電力の不在において、少なくとも３日間、８℃より下の内部温度を維持するように構成され得る。いくつかの実施形態において、冷却装置内の恒温容器は、冷却装置への電力の不在において、少なくとも１週間、８℃より下の内部温度を維持するように構成され得る。いくつかの実施形態において、冷却装置内の恒温容器は、冷却装置への電力の不在において、少なくとも３０日間、８℃より下の内部温度を維持するように構成され得る。
【０１１４】
図２５は、冷却装置１１０の内部にある恒温容器１１０の態様を示している。図２５に示されている図は、前にある図２２、２３および２４の図と類似である。図２５に示されている視野は、これまでの図２２、２３および２４と同様である。恒温容器１１０は、恒温容器１１０の上記壁を実質的に規定している、断熱材の１つ以上の部分２００を含んでいる。開口２５０は、恒温容器１１０の下面に、断熱材の１つ以上の部分２００において、配置されており、開口２５０は、貯蔵領域９２０の内部から、上記容器に対して外部にある場所まで、最小の熱が貯蔵領域９２０に移動するように、液体が流れることを可能にするように構成されている。
【０１１５】
図２５に示されている実施形態において、恒温容器１１０の断熱材１００の背面部は、相変化材料領域９１０に隣接する部分に第１の開口２３４０を含んでいる。第１の一方向性熱伝導体２２２０は、第１の開口２３４０を通って配置されており、一方向性熱伝導体２２２０は、第１の開口２３４０の内面と逆向きに接合するように構成されている外面を含んでいる。第１の一方向性熱伝導体２２２０は、第１の取付ユニット２５００を用いて、一組の冷却コイル１２０に対して熱的に接続されている。取付ユニットは、例えば、一方向性熱伝導体の端部および一組の冷却コイルの表面の間に配置されている熱伝導性の金属接続具を備え得る。恒温容器１１０の断熱材２００の背面部は、恒温容器１１０の貯蔵領域９２０に隣接する位置に第２の開口２３５０を含んでいる。第２の一方向性熱伝導体２２３０は、第２の開口２３５０を通って配置されており、第２の一方向性熱伝導体２２３０は、第２の開口２３５０の内面と逆向きに接合するように構成されている外面を含んでいる。第２の一方向性熱伝導体２２２０は、第２の取付ユニット２５１０を用いて一組の冷却コイル１２０に熱的に接続されている。
【０１１６】
いくつかの実施形態において、恒温容器１１０は、恒温容器の内部に配置されている１つ以上の温度センサを含んでいる。例えば、上記恒温容器は、電子的な温度センサを備え得る。上記電子的な温度制御センサは、例えば、電子制御部に接続され得る。上記電子的な温度センサは、例えば、送信機に接続され得る。上記電子的な温度センサは、例えば、上記恒温容器の内部温度を監視するように構成されている回路構成システムに接続され得る。いくつかの実施形態において、上記恒温容器の内部に配置されている電子的な温度センサは、上記冷却装置に一体化されている制御部に接続され得る。いくつかの実施形態において、上記恒温容器の内部に配置されている電子的な温度センサは、上記冷却装置と独立している制御部に接続され得る。
【０１１７】
図２５に示されている実施形態は、上記容器の相変化材料領域９１０の内部に配置されている第１の温度センサ２５２０を含んでいる。恒温容器１１０は、恒温容器１１０の貯蔵領域９２０の内部に配置されている第２の温度センサ２５３０を備え得る。第１の温度センサ２５２０および第２の温度センサ２５３０の両方は、冷却装置１００の制御部２２１０に対する配線接続２５４０によって接続されている。冷却装置１００の制御部２２１０は、例えば、第１の温度センサ２５２０および／または第２の温度センサから、配線接続２５４０を介して送られる情報に応じて動作するように構成され得る。
【０１１８】
図２６は、冷却装置１００内の使用におけるサーマルダイオードユニット１８００の局面を示している。冷却装置１００は、大体において断面について描写されている。冷却装置１００は、冷凍領域２６７０および冷蔵領域２６８０を備えるように構成されている。冷却装置１００は、ユーザがそれぞれの領域を利用可能にするために独立して動作する冷蔵領域ドア２２００Ａおよび冷蔵領域ドア２２００Ｂを含んでいる。冷却装置１００は、冷凍領域２６７０および冷蔵領域２６８０の間に含んでいる。内部仕切板２６９０は、冷凍領域２６７０および冷蔵領域２６８０の間を空気に循環させる開口２６３０を含んでいる。一組の冷却コイル１２０は、冷凍領域２６７０に内在する部分を有して配置されている。制御部２２１０は、一組の冷却コイル１２０に接しているコンプレッサ２２７０に接続されている。蒸発バルブ２３６０は、一組の冷却コイル１２０に取り付けられている。いくつかの冷却装置において、パネルまたは内部壁は、冷却コイルおよび／または内部開口の内側を覆っている。そのようなパネルまたは内部壁は、例えば図２６に示されている構成を作り出すために、ユーザによって変更され得るか、または取り除かれ得る。
【０１１９】
図２６に示されている実施形態において、サーマルダイオードユニットは、冷却装置１００の冷蔵領域２６８０の内部に配置されている。サーマルダイオードユニット１８００は、内側直立壁２６４０および外側直立壁２６５０の間に配置されている気体の封入されている間隙２６６０を有している内側直立壁２６４０および外側直立壁２６５０を含んでいる。液体１８３０は、気体の封入されている間隙２６６０の内側に配置されている。実質的に平坦な床部１８４０は、内側直立壁２６４０に対して、その端部領域に接して取り付けられている。床部１８４０および内側直立壁２６４０は、サーマルダイオードユニット１８００の内部における温度制御されている貯蔵領域１８１０に対する境界を形成している。メッシュ構造１８００は、サーマルダイオードユニット１８００の上記内部壁の上記内側面に付加されており、サーマルダイオードユニット１８００の内側直立壁２６４０および外側直立壁２６５０の間にある上記気体計測間隙と対向している。サーマルダイオードユニット１８００の上部は、冷却装置１００の内部仕切板２６９０における開口２６３０と隣接して配置されている。
【０１２０】
図２６に示されている実施形態において、温度均一化ユニット２６００は、冷却装置１００の冷蔵領域２６８０と隣接する表面において、内部仕切板２９０に取り付けられている。温度均一化ユニット２６００は、内部仕切板２１１０における開口２６３０と隣接して配置されている。温度均一化ユニット２６００は、温度センサ２６１０および送風機ユニット２１１０を含んでいる。送風機ユニット２１１０は、内部仕切板２１１０を通る空気の移動を促し、それによって冷却領域２６８０から冷凍領域２６７０に上向きに熱エネルギー、すなわち熱を伝えるために、配置されている。いくつかの実施形態において、温度均一化ユニットは、上記冷却装置と一体化されており、上記冷却装置に対する上記制御部によって制御されている。いくつかの実施形態において、温度均一化ユニットは、上記冷却装置に対する上記制御部から独立して動作する。例えば、温度均一化ユニットは、電池および制御部を備え得、サーマルダイオードユニットと同時に組み込まれ得る。
【０１２１】
図２６に示されているように、相変化材料容器２６２０は、冷却装置１００の冷凍領域２６７０の内部に配置されている。相変化材料容器２６２０は、冷凍領域２６７０を実質的に満たすために配置されている矩形の容器として構成されている。相変化材料容器２６２０は、側壁、底部および上部を含んでいる。相変化材料容器２６２０は、上記上部に開口を備えており、当該開口は、一組の冷却コイル１２０の内部領域が相変化材料容器２６２０の内部に収納されることを可能にするように配置されており、かつ一組の冷却コイル１２０の内部領域が相変化材料容器２６２０の内部に収納されることを可能にする大きさに作られている。相変化材料容器は、例えば、耐久性の材料から構成され得る。例えば、いくつかの実施形態において、相変化材料容器は、耐久性のプラスティック材料から作られている。例えば、いくつかの実施形態において、相変化材料容器は、熱伝導性のプラスティックまたは金属（例えば銅またはアルミニウム）から作られている。相変化材料９６０は、相変化材料容器２６２０の内部に配置されており、一組の冷却コイル１２０と直接に接触している。
【０１２２】
図２７は、冷却装置１００の内部の位置におけるサーマルダイオードユニット１８００の態様を示している。サーマルダイオードユニット１８００は、図２６に示されている実施形態と同様に置かれている。図２７の実施形態は、大体において断面について示されている。示されている実施形態は、冷却装置１００の冷蔵領域２６８０の内部に配置されているサーマルダイオードユニットを含んでいる。当該実施形態は、冷凍領域２６７０の内部に相変化材料容器２６２０を含んでいる。相変化材料容器２６２０は、冷却コイル１２０のうち内部の一組が、相変化材料９６０と直接に熱的に接触している状態において相変化材料容器２６２０の内部に配置されることを可能にするように、配置されている開口を含んでいる。
【０１２３】
図２７に示されている実施形態において、サーマルダイオードユニット１８００は、熱伝達部品１８５０を含んでいる。熱伝達部品１８５０は、サーマルダイオードユニット１８００の後部壁の上部から上方に、直立して突き出るように配置されている。熱伝達部品１８５０は、冷却装置１００の内部仕切板２６９０における開口２６３０を通るように配置されている。熱伝達部品１８５０の上端は、冷蔵領域２６８０の内部にある相変化材料容器２６２０の底部の端と熱的に接触している。
【０１２４】
図２８は、冷却装置１００の内部にある恒温容器１１０の実施形態の態様を示している。冷却装置１００は、恒温容器１１０を取り囲んでいる複数の壁を含んでいる。説明を目的として、ドアなしの冷却装置１００が示されている。冷却装置１００は、上部の冷凍領域１６７０および下部の冷蔵領域２６８０の間に内部仕切板２６９０を含んでいる。内部仕切壁２６９０は、冷却装置１００の正常な動作の間に、冷凍領域２６７０および冷蔵領域２６８０の間に空気が循環することを可能にする開口２６３０を備えるように作られている。一組の冷却コイル１２０は、冷却装置１００の冷凍領域２６７０に内在する部分を有して配置されている。冷却装置１００の冷却コイル１２０は、図２８の説明において露出されているが、上記冷却コイルと隣接する容器の描写されている特徴は、冷却装置１００のパネルまたは仕切の後ろにある。いくつかの実施形態において、上記パネルまたは仕切は、冷却装置１００の内部にある恒温容器１１０の取り付けの間に取り除かれ得るか、または構成を変更され得る。
【０１２５】
図２８は、冷却装置１００の、内部冷蔵領域の内部にある恒温容器１１０を示している。恒温容器１１０は、図２８の視野に見られる前方壁２８２０を含んでいる。前方壁２８２０は、前方壁２８２０のいずれかの面に１つの開口を含んでいる。２つのドア２８００Ａ、２８００Ｂは、それぞれの開口と逆向きに接合されている。ドア２８００Ａ、２８００Ｂのそれぞれは、ユーザがそれぞれのドアを開き、恒温容器１１０の内容物を利用できるために配置されている取っ手を含んでいる。恒温容器１１０は、開口２６３０の内部に配置されている熱伝達部品１８５０を含んでいる。相変化材料容器２６２０は、冷却装置１００の冷凍領域２６７０の内部に配置されている。熱伝達部品１８５０の上部は、相変化材料容器１８５０の底と熱的に接し得る。例えば、熱伝達部品１８５０の上部は、相変化材料容器の底と物理的に接触し得る。相変化材料９６０は、相変化材料容器２６２０を実質的に満たしている。取付ユニット１５２０は、一組の冷却コイル１２０に取り付けられている。取付ユニット１５２０は、相変化材料容器２６２０に突き出している複数の熱的フィン２８３０を備えており、熱的フィン２８３０は、相変化材料容器２６２０の内部にある相変化材料および取付ユニット１５２０の間における熱伝達構成要素を与えている。例えば、いくつかの実施形態において、複数の熱的フィン２８３０は、熱伝導性の金属から作られている取付ユニット１５２０に対して溶接されている熱伝導性の金属から作られ得る。例えば、いくつかの実施形態において、複数の熱的フィン２８３０および取付ユニット１５２０は、銅またはアルミニウムから作られ得る。
【０１２６】
図２９は、冷却装置１００の内部貯蔵領域の内部にある恒温容器１１０の実施形態の態様を示している。図２９に示されている実施形態は、恒温容器１１０が冷却装置１００の内部貯蔵領域の内部に見られる、図２８の実施形態と類似である。図２９に示されている説明は、大体において断面である。図２９は、恒温容器１１０の内部において、実質的に直立する仕切板７００が、絶縁材料２００の１つ以上の部分に内在する領域を、２つの内部領域にさらに分けていることを描写している。当該内部領域のそれぞれは、図２８に示されているように、２つのドアの一方による使用の間に利用され得る。
【０１２７】
図２９に示されている、恒温容器１１０の上記内部領域のそれぞれは、サーマルダイオードユニット１８００Ａ、１８００Ｂを含んでいる。サーマルダイオードユニット１８００Ａ、１８００Ｂのそれぞれは、開口２６３０を通って上方に突き出ている熱伝達部品１８５０Ａ、１８５０Ｂを含んでいる。仕切板７００は、熱伝達部品１８５０Ａ、１８５０Ｂを、開口２６３０の内側において分けている。熱伝達部品１８５０Ａ、１８５０Ｂは、熱伝達部品１８５０Ａ、１８５０Ｂの上端において、相変位材料容器２６２０と熱的に接続している。サーマルダイオードユニット１８００Ａ、１８００Ｂは、気体の封入されている間隙の内側に液体１８３０Ａ、１８３０Ｂを含んでいる。いくつかの実施形態において、恒温容器は、複数のサーマルダイオードユニットを備えており、複数のサーマルダイオードユニットは、それぞれに同じ量および種類の液体を含んでいる。いくつかの実施形態において、恒温容器は、第１の気体の封入されている間隙の内側に第１の液体を含んでいる第１のサーマルダイオードユニット、および第２の気体の封入されている間隙の内側に第２の液体を含んでいる第２のサーマルダイオードユニットを含んでいる。例えば、図２９は、第１のサーマルダイオードユニットの気体の封入されている間隙の内側に第１の液体１８３０Ａを含んでいる第１のサーマルダイオードユニット１８００Ａを描写している。また、図２９は、第２のサーマルダイオードユニットの気体の封入されている間隙の内側に第２の液体１８３０Ｂを含んでいる第２のサーマルダイオードユニット１８００Ｂを示している。図２９に示されているいくつかの実施形態において、恒温容器１１０は、２つの温度均一化ユニット２６００Ａ、２６００Ｂを備えており、それらのそれぞれは、開口２６３０と隣接する位置において仕切板７００の表面に付加されている。温度均一化ユニット２６００Ａ、２６００Ｂは、同じか、または異なる温度範囲において動作するように構成され得る。
【０１２８】
恒温容器の一実施形態の内部にある複数のサーマルダイオードユニットと異なるサーマルダイオードユニットは、異なる範囲にあるそれらの内部貯蔵領域の温度を安定させるように構成され得る。例えば、上記サーマルダイオードユニットは、異なる内部の液体、それらのメッシュ構造における異なる大きさの複数の孔、および異なる内部のガス圧を有している気体の封入されている間隙を備え得る。これらの変更は、特に、付加されている熱伝達部品を通した、サーマルダイオードユニットから相変化材料までの熱伝達の効率を変える。熱伝達における差異は、恒温容器の一実施形態の内部にある、異なる内部の所定の温度範囲を有しているサーマルダイオードユニットをもたらす。
【０１２９】
図３０は、冷却装置１００の内部にある恒温容器の一実施形態の態様を示している。冷却装置１００は、恒温容器１１０を取り囲んでいる壁１１０を含んでいる。説明を目的として、ドアなしの冷却装置１００が示されている。冷却装置１００は、一組の冷却コイル１２０を含んでいる。説明を目的として、一組の冷却コイル１２０は露出されているが、いくつかの実施形態において、それらはパネルまたは遮断物の後ろに配置され得る。
【０１３０】
図３０に示されている恒温容器１１０は、恒温容器１１０の壁を実質的に規定している、断熱材の１つ以上の部分を含んでいる。恒温容器１１０は、容器１００に内在する貯蔵領域９２０および相変化材料領域９１０を形成するために、上記内部領域を分けている、熱的に遮断されている部分９００を備えており、熱的に遮断されている部分９００は、貯蔵領域９２０および相変化材料領域９１０の間に導管９３０を含んでいる。恒温容器１１０は、導管９３０の内部に熱制御装置９４０を含んでいる。熱制御装置９４０は、貯蔵領域９２０および相変化材料領域９１０の間における、導管９３０を介した熱伝達を、温度に依存して可逆的に許容し、かつ妨げるように配置されている。例えば、いくつかの実施形態において、熱制御装置９４０は、冷却材を用いて満たされているバルブであり得、事前に設定されている温度が達せられるときに位置を変えるように形成され得る。
【０１３１】
図３０に示されている恒温容器１１０は、容器１１０の上部壁を形成している絶縁材料の部分２００に開口９５０を含んでいる。一方向性熱伝導体９７０は、開口９５０を通っている。一方向性熱伝導体９７０は、相変化材料領域９１０の内部にある相変化材料９６０の内部に下端を、容器１１０の外面に上端を有して、配置されている。図３０に示されている実施形態において、熱伝達部品３００および熱電ユニット３０００を含んでいる熱分散ユニットは、一方向性熱伝導体９７０と直接に接して、一方向性熱伝導体９７０の上端に配置されている。熱電ユニット３０００は、熱エネルギーを、上記一方向性熱伝導体から離して伝達するために、配置されている。例えば、いくつかの実施形態において、熱電ユニットはペルティエ素子を備え得る。配線接続３０３０は、制御ユニット３０２０に熱電ユニット３０００を接続している。いくつかの実施形態において、配線接続３０３０は、例えば、上記冷却装置の壁における既存の開口３０５０（例えば、一組の冷却コイルのために構成されている開口）を通り得る。制御ユニット３０２０は、制御部、逆変換装置、密閉されている充電可能なバッテリ、および送信機を含んでいる。送信機は、制御部に応答して信号３０４０を送るように構成されている。いくつかの実施形態において、送信機は携帯電話送信機である。いくつかの実施形態において、送信機は、Bluetooth（登録商標）送信機である。いくつかの実施形態において、制御部はArduinoユニットである。制御ユニット３０２０は、冷却装置１００の外部に隣接して配置されている光起電ユニット３０１０に取り付けられている。また、図３０に示されている実施形態は、貯蔵領域９２０の内部に配置されている電子的な温度センサ１２００を含んでいる。温度センサ１２００は、配線接続３０４０を用いて制御ユニット３０２０に接続されている。いくつかの実施形態において、制御ユニット３０２０は、冷却装置１００のコンプレッサに動作可能に接続されている。いくつかの実施形態において、制御ユニット３０２０は、冷却装置１００の制御部に動作可能に接続されている。
【０１３２】
例えば、恒温容器の一実施形態は、電力供給網からの通常の電力ありまたはなしにおいて運転可能であるように設計されている。例えば、上記恒温容器は、利用可能である場合に電力供給網に基づく運転が可能であり、他のときにおよび代替的な電源（例えば光起電ユニット）に基づく運転が可能であるように構成されている。例えば、恒温容器は、構成され得る。ユーザからの入力に応じた電力供給網に基づく運転が可能であり、他の入力（例えば、太陽エネルギーの利用可能性）に応じた代替的な電源（例えば光起電ユニット）に基づく運転が可能であるように構成されている。いくつかの実施形態は、例えば、バッテリに電力を供給するように構成されている光起電ユニットを含んでいる。いくつかの実施形態は、例えば、上記恒温容器の内部にある熱電ユニットに対して直接に電力を供給するように構成されている光起電ユニットを含んでいる。いくつかの実施形態は、５０ワット（Ｗ）ピークを有している光起電ユニットを含んでいる。いくつかの実施形態は、利用可能性およびユーザの選択に依存して、異なる供給源からのエネルギーを利用するように構成されている。例えば、いくつかの実施形態は、光起電ユニットからの電力を受け取るための回路、および熱電ユニットに直接にか、もしくはバッテリに受け取られた電力を向けるための制御部を含んでいる。この部分は、インターフェイスを介してユーザによって命令され得るか、または所定の基準（例えば、日時、外部温度、または上記恒温容器の内部にある１つ以上の温度センサからの温度情報）に基づいて制御され得る。いくつかの実施形態は、上記恒温容器の検出された条件に応答性であるように構成されている制御部を含んでいる。いくつかの実施形態は、冷却装置の既存のコンプレッサに電力供給するための１２ボルト（Ｖ）バッテリから５０〜２００Ｗサージの電力変換器を通して、電力を向けるように構成されている回路を含んでいる。いくつかの実施形態は、上記貯蔵領域の内部にある上記温度センサからの情報に応じた上記制御部の制御下において、上記密閉されているバッテリから熱電ユニットに電力を供給するように構成されている。上記恒温容器の内部貯蔵領域が１５リットル（Ｌ）から５０Ｌの範囲にある場合の実施形態のために。５０Ｗピークの光起電ユニットは、２４時間につき上記光起電セルからの最大出力１５の１時間を用いて連続して、約２℃〜８℃の予め決められている温度範囲を維持し得る。また、変化モニタを備え得る。使用中の上記バッテリの寿命を延ばすために、上記バッテリーが予め設定されている閾値（例えば、その充電量の８０％）を下回って消耗されないことを保証するように構成されている。
【０１３３】
図３１は、冷却装置１００の内部に配置されている恒温容器１１０の一実施形態の態様を示している。冷却装置１００は、複数の壁１３０および一組の冷却コイル１２０を含んでいる。説明を目的として、冷却装置１００はドアなしにおいて示されている。恒温容器１１０は、恒温容器１１０に内在する１つ以上の貯蔵領域への通路をもたらすように構成されている、ハンドル１４５を有しているドア１４０を含んでいる。
【０１３４】
図３１に示されている恒温容器１１０のドア１４０は、ユーザインターフェイス３１２０を含んでいる。例えば、いくつかの実施形態において、ユーザインターフェイスは、上記恒温容器の上記貯蔵領域の内部に配置されている１つ以上の温度センサからの温度読取りを描写するように構成されているＬＥＤディスプレイを含んでいる。例えば、いくつかの実施形態において、ユーザインターフェイスは、上記恒温容器に対する利用情報（例えば、上記容器のドアが開かれた最後の時間からの時間間隔）を描写するように構成されているＬＥＤディスプレイを含んでいる。例えば、いくつかの実施形態において、ユーザインターフェイスは、上記恒温容器の上記貯蔵領域も内容物についての在庫データを描写するように構成されているＬＥＤディスプレイを含んでいる。ユーザインターフェイス３１２０は、冷却装置１００の壁１３０における開口３０５０を通って、上記冷却装置の外部に隣接して配置されている制御ユニット３１００に接続されている。図３１は、ユーザインターフェイス３１２０が開口２０５０を通る配線接続３１１０を介して制御ユニット３１００に接続されていることを示している。いくつかの実施形態において、制御ユニット３１００は、バッテリ、制御部、記憶装置および／または送信機の１つ以上を含んでいる。いくつかの実施形態において、制御ユニット３１００は、冷却装置１００のコンプレッサに動作可能に接続されている。いくつかの実施形態において、制御ユニット３１００は、冷却装置１００の制御部に動作可能に接続されている。いくつかの実施形態において、制御ユニット３１００は、冷却装置１００にとっての電源に動作可能に接続されている。
【０１３５】
図３１に示されている実施形態において、制御ユニット３１００は、遠隔装置３１４０に信号３１３５を送るように構成されている送信機を含んでいる。また、制御ユニット３１００は、遠隔装置３１４０から信号３１３０を受け取るように構成されている。上記遠隔装置はユーザによって動作される。いくつかの実施形態において、遠隔装置は、恒温容器を用いる用途に特別に構成されている、特定の目的に特化されているモニタリング装置である。いくつかの実施形態において、遠隔装置は、恒温容器を用いる用途のために構成されている一般的な目的の装置である。例えば、遠隔装置は、上記制御ユニットに信号を送り、かつ信号を受け取るように構成されている携帯電話装置を含んでいる。上記制御ユニットによって送られ、かつ受け取られる上記信号としては、例えば、電磁波またはBluetooth（登録商標）信号が挙げられる。制御ユニット３１００は、無線送信機および無線受信機を備え得る。制御ユニット３１００は、例えば、Bluetooth（登録商標）送受信機を備え得る。
【０１３６】
ユーザ３１５０は、示されている単独の姿としてここでは示され／説明されているが、特に断りがない限り、当業者は、ユーザ３１５０が人間のユーザ、ロボットのユーザ（例えば、コンピュータ全体）および／または実質的に任意のこれらの組合せ（例えば、ユーザは、１つ以上のロボットの仲介によって補助され得る）を代表し得ることを容易に理解する。当業者は、同じことが、「発信者」および存在が方向付けられている他の用語に、特に断りなく本明細書にそのような用語が使用されるとき、当てはまり得ることを容易に理解する。
【０１３７】
図３２は、恒温容器１１０の一実施形態を示している。図３２に示されているように、恒温容器１１０は、冷却装置１００の内部に配置されている。説明を目的として、冷却装置１００はドアなしにおいて示されている。恒温容器１１０は、恒温容器１１０の内部の、ユーザにとっての利用をもたらすために配置されているドア１４０を含んでいる。ドア１４０は、ドア１４０の外部に付加されている通信ユニット３２４０を含んでいる。通信ユニット３２４０は、恒温容器１１０の上記貯蔵領域の内部にある１つ以上のセンサに動作可能に取り付けられている。例えば、いくつかの実施形態において、通信ユニット３２４０は、温度センサ、データ自動記録装置、在庫リスト制御装置、またはそれらの複数のうち１つ以上に動作可能に接続されている。図３２に示されている実施形態において、通信ユニット３２４０は、配線接続３２４５を用いて１つ以上のセンサに接続されている。通信ユニット３２４０は、送信機、受信機、メモリおよびユーザインターフェイスのうち１つ以上を含んでいる。いくつかの実施形態において、通信ユニット３２４０は、装置１００の送受信機を含んでいる。いくつかの実施形態において、制御ユニット３１００は、冷却装置にとっての電源に動作可能に接続されている。
【０１３８】
図３２に示されているいくつかの実施形態において、制御ユニット３１００は、遠隔装置３１４０に信号３１３５を送るように構成されている送信機を含んでいる。また、制御ユニット３１００は、遠隔装置３１４０からの信号３１３５を送信するように構成されている。上記遠隔装置はユーザ３１５０によって操作される。いくつかの実施形態において、遠隔装置は、恒温容器を用いた利用のために特に構成されている特別な目的のために特化されている。いくつかの実施形態において、遠隔装置は、恒温容器を用いた使用のために構成されている一般的な目的の装置である。例えば、遠隔装置は、上記制御ユニットに、信号を送り、かつ受け取るように構成されている携帯電話装置を含み得る。上記制御ユニットによって送られ、かつ受け取られる上記信号としては、例えば、電磁波またはBluetooth（登録商標）信号が挙げられ得る。制御ユニット３１００は、例えば、無線送受信機を備え得る。制御ユニット３１００は、例えば、Bluetooth（登録商標）送受信機を備え得る。
【０１３９】
ユーザ３１５０は、示されている単独の姿としてここでは示され／説明されているが、特に断りがない限り、当業者は、ユーザ３１５０が人間のユーザ、ロボットのユーザ（例えば、コンピュータ全体）および／または実質的に任意のこれらの組合せ（例えば、ユーザは、１つ以上のロボットの仲介によって補助され得る）を代表し得ることを容易に理解する。当業者は、同じことが、「発信者」および存在が方向付けられている他の用語に、特に断りなく本明細書にそのような用語が使用されるとき、当てはまり得ることを容易に理解する。
【０１４０】
図３２は、恒温容器１１０の一実施形態を説明している。図３２に示されているように、恒温容器１１０は、冷却装置１００の内部に配置されている。説明を目的として、冷却装置１００はドアなしにおいて示されている。恒温容器１１０は、恒温容器１１０の内部の、ユーザにとっての利用をもたらすために配置されているドア１４０を含んでいる。ドア１４０は、ドア１４０に付加されている通信ユニット３２４０を含んでいる。通信ユニット３２４０は、恒温容器１１０の上記貯蔵領域の内部にある１つ以上のセンサに動作可能に取り付けられている。例えば、いくつかの実施形態において、通信ユニット３２４０は、温度センサ、データ自動記録装置、在庫リスト制御装置、またはそれらの複数のうち１つ以上に動作可能に接続されている。図３２に示されている実施形態において、通信ユニット３２４０は、配線接続３２４５を用いて１つ以上のセンサに接続されている。通信ユニット３２４０は、送信機、受信機、メモリおよびユーザインターフェイスのうち１つ以上を含んでいる。いくつかの実施形態において、通信ユニット３２４０は、携帯電話機の信号の送受信機を含んでいる。信号３２３５は、例えば通信ユニット３２４０からセル方式塔３２２０に、送られる。当該セル方式塔は、ユーザ３１５０によって操作されている携帯電話装置３２００に信号３２１５を連続的に送る。携帯電話装置３２００は、無線セルラーネットワークに接続されている携帯電話を備え得る。ユーザ３１５０は、携帯電話装置３２００を操作し、セル方式塔３２２０およびセルラーネットワークに対する信号３２１０を、携帯電話に送らせ得る。セル方式塔３２２０は、通信ユニット３２４０に信号３２３０を送り得る。例えば、上記信号としては、恒温容器１１０にとっての状態照会信号または制御信号が挙げられる。
【０１４１】
いくつかの実施形態において、恒温容器は、例えば当該恒温容器に取り付けられているセンサによって検出されるような、予め決められている条件に応じて信号を送るように構成されている通信ユニットを含んでいる。例えば、いくつかの実施形態において、通信ユニットは、上記恒温容器の貯蔵領域の内部おける感知された温度に応じて信号を送るように構成され得る。例えば、いくつかの実施形態において、通信ユニットは、経過した時間（例えば、２４時間が経過した後）に応じて信号を送るように構成され得る。例えば、いくつかの実施形態において、通信ユニットは、上記冷却装置における電力の再供給に応じて信号を送るように構成され得る。いくつかの実施形態において、通信ユニットは、最小の電力が利用可能なときの使用のための省電力設定を含んでいる。いくつかの実施形態において、通信ユニットは、可視的な表示器（例えばＬＥＤ）を含んでいる。いくつかの実施形態において、通信ユニットは、上記恒温容器のドアが開かれているときに画像を取り込むように構成されているカメラを含んでいる。
【０１４２】
いくつかの実施形態において、温度制御されている増設部分を冷却装置に形成する方法は、冷却装置の内表面の測定値を得ること；（１）上記冷却装置の内面と逆向きに接合するように構成されている外面および熱的に密閉されている内部領域を備えており、かつ（２）絶縁材料から形成されている１つ以上の壁から恒温容器を形成すること；上記熱的に密閉されている内部領域の内部に少なくとも１つの貯蔵領域を付加して、少なくとも１つの貯蔵領域および少なくとも１つの相変化材料領域を形成すること；上記恒温容器が上記冷却装置の内部に配置されているときに、上記熱的に密閉されている内部領域から上記冷却装置の上記内部領域まで熱が導かれるように、上記１つ以上の壁を通る少なくとも１つの一方向性熱伝導体を配置すること；ならびに上記相変化材料領域の内部に相変化材料を封入することを包含している。
【０１４３】
いくつかの実施形態において、温度制御されている増設部分を冷却装置に形成する方法は、冷却装置の内表面の測定値を得ることを包含しており、ここで、測定値を得ることは、上記冷却装置についての製造者のデータを受け取ることを包含している。いくつかの実施形態において、温度制御されている増設部分を冷却装置に形成する方法は、上記冷却装置の内部のＣＡＤファイルを得ることを包含している。いくつかの実施形態において、温度制御されている増設部分を冷却装置に形成する方法は、上記冷却装置の上記内部の３−Ｄモデルを得ることを包含している。いくつかの実施形態において、温度制御されている増設部分を冷却装置に形成する方法は、上記冷却装置の上記内部のデジタル画像を得ることを包含している。いくつかの実施形態において、温度制御されている増設部分を冷却装置に形成する方法は、恒温容器を形成することが、熱的に不導体の材料とともに上記１つ以上の壁を密閉する場合を包含している。いくつかの実施形態において、温度制御されている増設部分を冷却装置に形成する方法は、１つ以上の熱的に密閉されている内部領域の内部にある少なくとも１つの熱的に遮断されている部分を付加することが、上記１つ以上の壁の内表面に１つ以上の熱的に遮断されている部分を封入する場合を包含している。いくつかの実施形態において、温度制御されている増設部分を冷却装置に形成する方法は、上記１つ以上の壁を通る少なくとも１つの一方向性熱伝導体を配置することが、上記冷却装置についての製造者のデータを参照することを含んでいる場合を包含している。いくつかの実施形態において、温度制御されている増設部分を冷却装置に形成する方法は、上記相変化材料領域の内部に相変化材料を封入することが、上記相変化材料領域の内部に置かれている容器の内部に相変化材料を封入することを含んでいる場合を包含している。
【０１４４】
いくつかの実施形態において、冷却装置内における温度制御されている増設部分の設置の方法は、上記冷却装置における第２の組の冷却コイルとの、上記冷却装置の第１の組の冷却コイルの交換を包含している。例えば、一実施形態において、冷却装置における第１の組の冷却コイルは、空気における熱エネルギー（例えば熱）の伝導を最大化するように構成されている。第２の組の冷却コイルは、例えば、一実施形態に特有な相変化材料における熱伝導を最大化するように構成されている。例えば、第２の組の冷却コイルは、一実施形態における第１の組の冷却コイルより広いピッチを有しているより厚いフィンを含んでいる。第２の組の冷却コイルは、例えば、アルミニウムまたは銅から製造され得る。
【０１４５】
いくつかの実施形態において、冷却装置の内部における温度制御されている増設部分の設置の方法は、上記冷却装置が製造されている本来の工場において実施されている作業を包含している。例えば、製造者は、いくつかの実施形態において、冷却装置が、小売業者、流通業者または直接の消費者に出荷される前に、あるモデルの冷却装置に恒温容器を組み込み得る。例えば、恒温容器は、特定のモデルの冷却装置を用いた特定の使用のための大きさおよび形状に作られ得る。例えば、恒温容器は、上記冷却装置の製造者によって冷却装置の内部に付加され得る。いくつかの実施形態において、冷却装置の製造者は、いくつかのユニットの内部に恒温容器を含めるために、あるモデルの冷却装置の製造工程を変更し得る。例えば、製造者は、上記ユニット内に恒温容器をよりよく適合させるために、ユニットに内部の棚、パネルまたは類似の構造を設置しないことを選択し得る。例えば、いくつかの実施形態において、製造者は、冷却装置の外壁を使用し得、当該冷却装置の内部に一般的に取り付けられている内部構造（例えば、パネル、断熱材および棚）を用いずに、当該冷却装置の外壁の内部に直接に上記恒温容器を取り付け得る。例えば、いくつかの実施形態において、製造者は、冷却装置の外壁を使用し得、当該冷却装置の一般的な内部の断熱材を用いずに、恒温容器に対する特定の大きさおよび形状に作られている断熱材（例えば、上記恒温容器の外表面および上記冷却装置の内表面の間に吹き出し形成された断熱材）を用いて、当該冷却装置の外壁の内部に直接に上記恒温容器を取り付け得る。
【０１４６】
いくつかの実施形態において、冷却装置の内部における温度制御されている増設部分の設置は、上記冷却装置が製造されている本来の工場において実施されている作業を包含している。例えば、冷却装置は、いくつかの実施形態において、当該冷却装置の流通業者、小売業者または購入者によって、適切な大きさおよび形状を有している恒温容器に改装され得る。例えば、ユーザは、恒温容器のいくつかの実施形態を、最小の労力によって冷却装置の内部に置き得る。例えば、いくつかの実施形態において、流通業者は、倉庫または流通センターにおいてあるモデルの冷却装置のいくつかのユニットを改装し得る。
【０１４７】
本明細書に記載されている主題の態様は、番号付与された以下の箇条に述べられている。
【０１４８】
１．いくつかの実施形態において、冷却装置内における使用のための恒温容器は：（１）冷却装置の貯蔵領域内に適合するための大きさおよび形の恒温容器を実質的に規定しており、かつ（２）恒温容器の一辺にある開口、および当該開口に対して遠位にある、容器に内在する貯蔵領域を形成している、断熱材の１つ以上の部分；ならびに（１）容器に内在する相変化材料を保持するように構成されているタンクを実質的に形成しており、かつ（２）タンクの第１の壁が容器の一辺にある開口と隣接しており、タンクの第２の壁が貯蔵領域に隣接して配置されているように、断熱材の１つ以上の部分内に配置されている、２つ以上の壁を含んでいる。
【０１４９】
２．段落１の冷却装置内における使用のための、恒温容器のいくつかの実施形態は、家庭用冷却装置の冷却貯蔵領域内に適合するための大きさおよび形のものである。
【０１５０】
３．段落１の冷却装置内における使用のための、恒温容器のいくつかの実施形態は、断熱材の１つ以上の部分が、真空断熱材の１つ以上の部分を含んでいる場合を含んでいる。
【０１５１】
４．段落１の冷却装置内における使用のための、恒温容器のいくつかの実施形態は、断熱材の１つ以上の部分が、少なくとも５ｆｔ２・°Ｆ・ｈ／ＢｔｕのＲ値を有する断熱材を含んでいる。
【０１５２】
５．段落１の冷却装置内における使用のための、恒温容器のいくつかの実施形態は、断熱材の１つ以上の部分が、少なくとも７ｆｔ２・°Ｆ・ｈ／ＢｔｕのＲ値を有する断熱材を含んでいる。
【０１５３】
６．段落１の冷却装置内における使用のための、恒温容器のいくつかの実施形態は、断熱材の１つ以上の部分が、少なくとも１０ｆｔ２・°Ｆ・ｈ／ＢｔｕのＲ値を有する断熱材を含んでいる。
【０１５４】
７．段落１の冷却装置内における使用のための、恒温容器のいくつかの実施形態は、断熱材の１つ以上の部分が、容器内部の貯蔵領域に隣接したアクセス開口、およびアクセス開口と実質的に接合するように構成されるドアを含んでいる。
【０１５５】
８．段落７の冷却装置内における使用のための恒温容器のいくつかの実施形態は、ドアが、少なくとも１つの断熱材を含んでいる。
【０１５６】
９．段落１の冷却装置内における使用のための、恒温容器のいくつかの実施形態は、断熱材の１つ以上の部分が、凝縮した液体が容器の内側から流れることを可能にするように構成される、容器の下面における開口を含んでいる。
【０１５７】
１０． 段落１の冷却装置内における使用のための、恒温容器のいくつかの実施形態は、恒温容器が冷却装置の貯蔵領域内に存在するとき、容器の一辺にある開口が、冷却ユニットに隣接して位置する場合を含んでいる。
【０１５８】
１１．段落１の冷却装置内における使用のための、恒温容器のいくつかの実施形態は、恒温容器が使用のために位置するとき、容器の一辺にある開口が、恒温容器の上縁において位置する場合を含んでいる。
【０１５９】
１２．段落１の冷却装置内における使用のための、恒温容器のいくつかの実施形態は、容器の一辺にある開口が、恒温容器の一辺を実質的に包含する場合を含んでいる。
【０１６０】
１３．段落１の冷却装置内における使用のための、恒温容器のいくつかの実施形態は、恒温容器が使用のために位置するとき、容器内部の貯蔵領域が、恒温容器の底に隣接して位置する場合を含んでいる。
【０１６１】
１４． 段落１の冷却装置内における使用のための、恒温容器のいくつかの実施形態は、容器内部の貯蔵領域が、実質的に２℃〜８℃の温度において物質を貯蔵するように構成される場合を含んでいる。
【０１６２】
１５．段落１の冷却装置内における使用のための、恒温容器のいくつかの実施形態は、容器内部の貯蔵領域が、医薬品を貯蔵するように構成される。
【０１６３】
１６．段落１の冷却装置内における使用のための、恒温容器のいくつかの実施形態は、熱伝導性材料から作製される２つ以上の壁を実質的に形成するタンクを含んでいる。
【０１６４】
１７．段落１の冷却装置内における使用のための、恒温容器のいくつかの実施形態は、タンクを実質的に形成する２つ以上の壁が、少なくとも５０Ｗ／［ｍ・Ｋ］の熱伝導率値を有する物質から製作される。
【０１６５】
１８． 段落１の冷却装置内における使用のための、恒温容器のいくつかの実施形態は、タンクを実質的に形成する２つ以上の壁が、少なくとも１００Ｗ／［ｍ・Ｋ］の熱伝
導率値を有する物質から製作される。
【０１６６】
１９．段落１の冷却装置内における使用のための、恒温容器のいくつかの実施形態は、タンクを実質的に形成する２つ以上の壁が、少なくとも１５０Ｗ／［ｍ・Ｋ］の熱伝導率値を有する物質から製作される。
【０１６７】
２０． 段落１の冷却装置内における使用のための、恒温容器のいくつかの実施形態は、タンクを実質的に形成する２つ以上の壁が、少なくとも２００Ｗ／［ｍ・Ｋ］の熱伝導率値を有する物質から製作される。
【０１６８】
２１．段落１の冷却装置内における使用のための、恒温容器のいくつかの実施形態は、タンクを実質的に形成する２つ以上の壁が、アルミニウム物質から製作される。
【０１６９】
２２．段落１の冷却装置内における使用のための、恒温容器のいくつかの実施形態は、タンクを実質的に形成する２つ以上の壁が、容器の一面にある開口に隣接する位置にある開口、および開口における可逆密封装置を含んでいる。
【０１７０】
２３． 段落１の冷却装置内における使用のための、恒温容器のいくつかの実施形態は、タンクを実質的に形成する２つ以上の壁が、防水である。
【０１７１】
２４． 段落１の冷却装置内における使用のための、恒温容器のいくつかの実施形態は、タンクを実質的に形成する２つ以上の壁が、気密である。
【０１７２】
２５．段落１の冷却装置内における使用のための、恒温容器のいくつかの実施形態は、容器が使用のために位置するとき、タンクが、貯蔵領域より上に位置する。
【０１７３】
２６．段落１の冷却装置内における使用のための、恒温容器のいくつかの実施形態は、恒温容器の下面におけるさらなる開口であって、貯蔵領域と容器の外側にある領域との間の熱エネルギー移動を最小にする一方、重力によって結露が貯蔵領域を離れることを可能にする大きさおよび形の上記開口を含んでいる。
【０１７４】
２７．冷却装置内における使用のための恒温容器のいくつかの実施形態は：内部領域を含んでいる恒温容器の１つ以上の壁を実質的に規定する断熱材の１つ以上の部分；容器内部に、貯蔵領域および相変化材料領域を形成するように内部領域を分割する断熱隔壁であって、貯蔵領域と相変化材料領域との間の導管を含んでいる上記断熱隔壁；導管内の熱制御装置；容器を実質的に規定する断熱材の一部分内部の開口であって、容器内部の相変化材料領域と容器の外面との間の上記開口；開口内に位置する一方向性熱伝導体であって、相変化材料領域から容器の外面への方向において熱を伝えるように構成された上記一方向性熱伝導体；および容器の外面に隣接した発熱ユニットであって、冷却装置内に位置するように構成された放射部品を含んでいる上記発熱ユニット、および一方向性熱伝導体と熱的に接続されている熱伝達部品を含んでいる。
【０１７５】
２８．段落２７の冷却装置内における使用のための、恒温容器のいくつかの実施形態において、恒温容器は、家庭用冷却装置の冷却貯蔵領域内に適合するための大きさおよび形である。
【０１７６】
２９．段落２７の冷却装置内における使用のための、恒温容器のいくつかの実施形態において、断熱材の１つ以上の部分は：真空断熱材の１つ以上の部分を含んでいる。
【０１７７】
３０．段落２７の冷却装置内における使用のための、恒温容器のいくつかの実施形態において、断熱材の１つ以上の部分は：少なくとも５ｆｔ２・°Ｆ・ｈ／ＢｔｕのＲ値を有する断熱材を含んでいる。
【０１７８】
３１．段落２７の冷却装置内における使用のための、恒温容器のいくつかの実施形態において、断熱材の１つ以上の部分は：少なくとも７ｆｔ２・°Ｆ・ｈ／ＢｔｕのＲ値を有する断熱材を含んでいる。
【０１７９】
３２．段落２７の冷却装置内における使用のための、恒温容器のいくつかの実施形態において、断熱材の１つ以上の部分は：少なくとも１０ｆｔ２・°Ｆ・ｈ／ＢｔｕのＲ値を有する断熱材を含んでいる。
【０１８０】
３３．段落２７の冷却装置内における使用のための、恒温容器のいくつかの実施形態において、断熱材の１つ以上の部分は：容器内部の貯蔵領域に隣接したアクセス開口；およびアクセス開口と実質的に接合するように構成されるドアを含んでいる。
【０１８１】
３４．段落３３の冷却装置内における使用のための恒温容器のいくつかの実施形態において、ドアは、少なくとも１つの断熱材を含んでいる。
【０１８２】
３５．段落２７の冷却装置内における使用のための、恒温容器のいくつかの実施形態において、断熱材の１つ以上の部分は：凝縮した液体が容器の内側から流れることを可能にするように構成される、容器の下面における開口を含んでいる。
【０１８３】
３６． 段落２７の冷却装置内における使用のための、恒温容器のいくつかの実施形態において、断熱材の１つ以上の部分は：冷却装置内の冷却領域の１つ以上の壁に隣接して位置するように構成される外面を含んでいる。
【０１８４】
３７． 段落２７の冷却装置内における使用のための、恒温容器のいくつかの実施形態において、恒温容器の壁は：冷却装置の１つ以上の内部表面と可逆的に接合するように構成される１つ以上の外面を含んでいる。
【０１８５】
３８．段落２７の冷却装置内における使用のための、恒温容器のいくつかの実施形態において、恒温容器の壁は：断熱材の１つ以上の部分に取り付けられた構造上の物質を含んでいる。
【０１８６】
３９．段落２７の冷却装置内における使用のための恒温容器のいくつかの実施形態において、恒温容器の壁は、冷却装置の貯蔵領域内に適合するための大きさおよび形である。
【０１８７】
４０．段落２７の冷却装置内における使用のための、恒温容器のいくつかの実施形態において、恒温容器の壁は：１組の冷却コイルに隣接して位置するように構成される放射性表面を含んでいる。
【０１８８】
４１．段落２７の冷却装置内における使用のための、恒温容器のいくつかの実施形態において、断熱隔壁は：断熱材の１つ以上の部分を含んでいる。
【０１８９】
４２．段落２７の冷却装置内における使用のための、恒温容器のいくつかの実施形態において、断熱隔壁は、相変化材料領域が恒温容器の少なくとも１つの外面に隣接するように設置され、少なくとも１つの外面が冷却領域に隣接して位置するように構成されるように構成される。
【０１９０】
４３．段落２７の冷却装置内における使用のための、恒温容器のいくつかの実施形態において、導管内の熱制御装置は：受動的な熱制御装置を含んでいる。
【０１９１】
４４． 段落２７の冷却装置内における使用のための、恒温容器のいくつかの実施形態において、導管内の熱制御装置は：温度センサ；温度センサに取り付けられた電子制御装置；および電子制御装置に反応する電子制御の熱制御ユニットを含んでいる。
【０１９２】
４５．段落２７の冷却装置内における使用のための、恒温容器のいくつかの実施形態において、容器が冷却装置内における使用向けであるとき、容器を実質的に規定する断熱材の一部分内部の開口は、恒温容器の上面において位置する。
【０１９３】
４６．段落２７の冷却装置内における使用のための、恒温容器のいくつかの実施形態において、容器を実質的に規定する断熱材の一部分内部の開口は：開口内に位置する一方向性熱伝導体の外面に実質的に対応するような大きさおよび形の開口を含んでいる。
【０１９４】
４７． 段落２７の冷却装置における使用のための、恒温容器のいくつかの実施形態において、一方向性熱伝導体は：ヒートパイプ装置を含んでいる。
【０１９５】
４８．段落２７の冷却装置における使用のための、恒温容器のいくつかの実施形態において、一方向性熱伝導体は：サーマルダイオード装置を含んでいる。
【０１９６】
４９．段落２７の冷却装置における使用のための、恒温容器のいくつかの実施形態において、一方向性熱伝導体は：相変化材料領域内に位置し、一方向性熱伝導体の外面と熱的に接続されている１つ以上の熱伝導ユニットを含んでいる。
【０１９７】
５０．段落２７の冷却装置における使用のための、恒温容器のいくつかの実施形態において、発熱ユニットは：恒温容器の外面に取り付けられた放射部品を含んでいる。
【０１９８】
５１．段落２７の冷却装置における使用のための、恒温容器のいくつかの実施形態において、発熱ユニットは：放射性フィン構造を含んでいる放射部品を含んでいる。
【０１９９】
５２． 段落２７の冷却装置における使用のための、恒温容器のいくつかの実施形態において、発熱ユニットは：一方向性熱伝導体と熱的に接続されている高熱伝導性材料を含んでいる熱伝達部品を含んでいる。
【０２００】
５３．段落２７の冷却装置における使用のための、恒温容器のいくつかの実施形態において、発熱ユニットは：一方向性熱伝導体と熱的に接続されているペルティエ素子を含んでいる熱伝達部品を含んでいる。
【０２０１】
５４．段落２７の冷却装置における使用のための、恒温容器のいくつかの実施形態において、発熱ユニットは：冷却装置の冷却コイルに付属するように構成される取付ユニットを含んでいる。
【０２０２】
５５．段落５４の冷却装置における使用のための、恒温容器のいくつかの実施形態において、取付ユニットを有する発熱ユニットは、熱膨張性材料から作製される取付ユニットを含んでいる。
【０２０３】
５６．段落２７の冷却装置における使用のための、恒温容器のいくつかの実施形態において、発熱ユニットの熱伝達部品は、熱エネルギーを一方向性熱伝導体から離れるように移動するために位置する熱電ユニットを含み、さらに、貯蔵領域内に位置する温度センサ；冷却装置の外側に位置するように構成される光起電ユニット；光起電ユニットに取り付けられた逆変換装置；逆変換装置に取り付けられた密封式バッテリ；バッテリに取り付けられた送信機；ならびに熱電ユニットに取り付けられた制御装置、温度センサ、密封式バッテリおよび送信機、温度センサからの入力に応じて熱電ユニットへ操作信号を送信し、送信機へ操作信号を送信するように構成される制御装置を含んでいる。
【０２０４】
５７． 段落２７の冷却装置における使用のための、恒温容器のいくつかの実施形態において：貯蔵領域内に位置し、導管内の熱制御装置に取り付けられた温度センサをさらに含んでいる。
【０２０５】
５８．段落２７の冷却装置における使用のための、恒温容器のいくつかの実施形態において：貯蔵領域内に位置し、貯蔵領域内の加熱装置に取り付けられた温度センサをさらに含んでいる。
【０２０６】
５９． 段落２７の冷却装置における使用のための、恒温容器のいくつかの実施形態において：貯蔵領域内に位置し、伝達機器に取り付けられた温度センサをさらに含んでいる。
【０２０７】
６０．段落２７の冷却装置における使用のための、恒温容器のいくつかの実施形態において：貯蔵領域内に位置し、冷却装置のための制御装置に取り付けられた温度センサをさらに含んでいる。
【０２０８】
６１．段落２７の冷却装置における使用のための、恒温容器のいくつかの実施形態において：貯蔵領域のための、相変化材料を収容するように構成されるライナー領域をさらに含んでいる。
【０２０９】
６２．段落２７の冷却装置における使用のための、恒温容器のいくつかの実施形態において：第２の貯蔵領域および容器に内在する第２の相変化材料領域を形成するように内部領域を分割し、かつ第２の貯蔵領域と第２の相変化材料領域との間の導管を含んでいる、第２の断熱隔壁をさらに含んでいる。
【０２１０】
６３．段落６２の冷却装置における使用のための、恒温容器のいくつかの実施形態において：第２の貯蔵領域のための、相変化材料を収容するように構成されるライナー領域をさらに含んでいる。
【０２１１】
６４．段落６２の冷却装置における使用のための、恒温容器のいくつかの実施形態において：容器を実質的に規定する断熱材の一部分内の第２の開口であって、容器に内在する相変化材料領域と容器の外面との間の上記第２の開口；第２の開口内に位置する第２の一方向性熱伝導体であって、熱を相変化材料領域から容器の外面への方向において伝えるように構成された上記第２の一方向性熱伝導体；および容器の外面に隣接し、かつ冷却装置の貯蔵領域内に位置するように構成された放射部品を含んでいる第２の発熱ユニット、ならびに第２の一方向性熱伝導体と熱的に接続されている熱伝達部品をさらに含んでいる。
【０２１２】
６５．冷却装置における使用のための恒温容器のいくつかの実施形態は、内部領域を含んでいる恒温容器の１つ以上の壁を実質的に規定する断熱材の１つ以上の部分；容器の内部で貯蔵領域および相変化材料領域を形成するように、内部領域を分割する断熱隔壁であって、貯蔵領域と相変化材料領域との間に導管を含んでいる上記断熱隔壁；貯蔵領域内のサーマルダイオードユニットであって、導管内に位置する熱伝達部品を含んでいる上記サーマルダイオードユニット；容器を実質的に規定する断熱材の一部分内部の開口であって、容器内部の相変化材料領域と容器の外面との間の上記開口；開口内に位置する一方向性熱伝導体であって、相変化材料領域から容器の外面への方向において熱を伝えるように構成された上記一方向性熱伝導体；および容器の外面に隣接する発熱ユニットであって、冷却装置内に位置するように構成される放射部品を含んでいる上記発熱ユニット、および一方向性熱伝導体と熱的に接続されている熱伝達部品を含んでいる。
【０２１３】
６６． 段落６５の恒温容器はいくつかの実施形態において、恒温容器が、家庭用冷却装置の冷却貯蔵領域内に適合するための大きさおよび形である。
【０２１４】
６７．段落６５の恒温容器はいくつかの実施形態において、断熱材の１つ以上の部分が：真空断熱材の１つ以上の部分を含んでいる。
【０２１５】
６８．段落６５の恒温容器はいくつかの実施形態において、断熱材の１つ以上の部分が：少なくとも５ｆｔ２・°Ｆ・ｈ／ＢｔｕのＲ値を有する断熱材を含んでいる。
【０２１６】
６９．段落６５の恒温容器はいくつかの実施形態において、断熱材の１つ以上の部分が：少なくとも７ｆｔ２・°Ｆ・ｈ／ＢｔｕのＲ値を有する断熱材を含んでいる。
【０２１７】
７０． 段落６５の恒温容器はいくつかの実施形態において、断熱材の１つ以上の部分が：少なくとも１０ｆｔ２・°Ｆ・ｈ／ＢｔｕのＲ値を有する断熱材を含んでいる。
【０２１８】
７１． 段落６５の恒温容器はいくつかの実施形態において、断熱材の１つ以上の部分が：容器に内在する貯蔵領域に隣接したアクセス開口；およびアクセス開口に実質的に接合するように構成されるドアを含んでいる。
【０２１９】
７２．段落７１の恒温容器はいくつかの実施形態において、ドアが、少なくとも１つの断熱材を含んでいる。
【０２２０】
７３．段落６５の恒温容器はいくつかの実施形態において、断熱材の１つ以上の部分が：容器の下面において凝縮した液体が容器の内側から流れることを可能にするように構成された開口を含んでいる。
【０２２１】
７４．段落６５の恒温容器はいくつかの実施形態において、断熱材の１つ以上の部分が：冷却装置内の冷却領域の１つ以上の壁に隣接して位置するように構成される外面を含んでいる。
【０２２２】
７５． 段落６５の恒温容器はいくつかの実施形態において、恒温容器の壁が：冷却装置の１つ以上の内部表面と可逆的に接合するように構成される１つ以上の外面を含んでいる。
【０２２３】
７６．段落６５の恒温容器はいくつかの実施形態において、恒温容器の壁が：断熱材の１つ以上の部分に取り付けられた構造上の物質を含んでいる。
【０２２４】
７７．段落６５の恒温容器はいくつかの実施形態において、恒温容器の壁が、冷却装置の貯蔵領域内に適合するための大きさおよび形である。
【０２２５】
７８．段落６５の恒温容器はいくつかの実施形態において、恒温容器の壁が：１組の冷却コイルに隣接して位置するように構成された放射性表面を含んでいる。
【０２２６】
７９．段落６５の恒温容器はいくつかの実施形態において、断熱隔壁が：断熱材の１つ以上の部分を含んでいる。
【０２２７】
８０．段落６５の恒温容器はいくつかの実施形態において、相変化材料領域が、恒温容器の少なくとも１つの外面に隣接して設置され、少なくとも１つの外面が冷却領域に隣接して位置するよう構成されるように、断熱隔壁が構成される。
【０２２８】
８１．段落６５の恒温容器はいくつかの実施形態において、サーマルダイオードユニットが：貯蔵領域に隣接して位置する表面を含んでいる内側間隔を囲む多数の壁；貯蔵領域に隣接して位置する表面に取り付けられたメッシュ構造；内側間隔内の液体；および内側間隔を囲む多数の壁の間の１つ以上の密封された接合を含んでいる。
【０２２９】
８２．段落８１の恒温容器はいくつかの実施形態において、サーマルダイオードユニットの多数の壁が、熱伝導性物質から作製される。
【０２３０】
８３．段落８１の恒温容器はいくつかの実施形態において、サーマルダイオードユニットの多数の壁が、貯蔵領域の１つ以上の壁と可逆的に接合するように構成される１つ以上の外部の壁を含んでいる。
【０２３１】
８４．段落８１の恒温容器はいくつかの実施形態において、サーマルダイオードユニットの内側間隔が、大気圧よりも少ないガス圧を有する。
【０２３２】
８５．段落８１の恒温容器はいくつかの実施形態において、メッシュ構造が：３次元メッシュ構造を含んでいる。
【０２３３】
８６． 段落８１の恒温容器はいくつかの実施形態において：サーマルダイオードユニットに対する実質的な平面底ユニットを含んでいる。
【０２３４】
８７．段落８１の恒温容器はいくつかの実施形態において、サーマルダイオードユニットが：恒温容器の相変化材料領域の中に延びるように位置する熱伝達部品を含んでいる。
【０２３５】
８８．段落６５の恒温容器はいくつかの実施形態において、容器が冷却装置内における使用向けであるとき、容器を実質的に規定する断熱材の一部分内の開口が、恒温容器の上面において位置する。
【０２３６】
８９．段落６５の恒温容器はいくつかの実施形態において、容器を実質的に規定する断熱材の一部分内の開口が：開口内に位置する一方向性熱伝導体の外面に実質的に対応するような大きさおよび形の開口を含んでいる。
【０２３７】
９０．段落６５の恒温容器はいくつかの実施形態において、一方向性熱伝導体が：ヒートパイプ装置を含んでいる。
【０２３８】
９１．段落６５の恒温容器はいくつかの実施形態において、一方向性熱伝導体が：サーマルダイオード装置を含んでいる。
【０２３９】
９２．段落６５の恒温容器はいくつかの実施形態において、一方向性熱伝導体が：相変化材料領域内に位置し、一方向性熱伝導体の外面と熱的に接続されている１つ以上の熱伝導ユニットを含んでいる。
【０２４０】
９３．段落６５の恒温容器はいくつかの実施形態において、発熱ユニットが：恒温容器の外面に取り付けられた放射部品を含んでいる。
【０２４１】
９４．段落６５の恒温容器はいくつかの実施形態において、発熱ユニットが：放射性フィン構造を含んでいる放射部品を含んでいる。
【０２４２】
９５．段落６５の恒温容器はいくつかの実施形態において、発熱ユニットが：一方向性熱伝導体と熱的に接続されている高熱伝導性材料を含んでいる熱伝達部品を含んでいる。
【０２４３】
９６．段落６５の恒温容器はいくつかの実施形態において、発熱ユニットが：一方向性熱伝導体と熱的に接続されているペルティエ素子を含んでいる熱伝達部品を含んでいる。
【０２４４】
９７． 段落６５の恒温容器はいくつかの実施形態において、発熱ユニットが：冷却装置の冷却コイルに付属するように構成される取付ユニットを含んでいる。
【０２４５】
９８．段落９７の取付ユニットはいくつかの実施形態において：熱膨張性材料から製作される取付ユニットを含んでいる。
【０２４６】
９９．段落６５の恒温容器はいくつかの実施形態において、発熱ユニットの熱伝達部品が、一方向性熱伝導体から離れるように熱エネルギーを移動するよう位置する熱電ユニットを含み、および貯蔵領域内に位置する温度センサ；冷却装置の外側に位置するように構成される光起電ユニット；光起電ユニットに取り付けられた逆変換装置；逆変換装置に取り付けられた密閉式バッテリ；バッテリに取り付けられた送信機；および熱電ユニットに取り付けられた制御装置、温度センサ、密閉式バッテリおよび送信機、温度センサからの入力に反応して熱電ユニットへ操作信号を送り、そして送信機へ操作信号を送るように構成される制御装置を、さらに含んでいる。
【０２４７】
１００．段落６５の恒温容器はいくつかの実施形態において：貯蔵領域内に位置する温度センサ、データロガー装置に取り付けられた温度センサをさらに含んでいる。
【０２４８】
１０１．段落６５の恒温容器はいくつかの実施形態において：貯蔵領域内に位置する温度センサ、貯蔵領域内の加熱装置に取り付けられた温度センサをさらに含んでいる。
【０２４９】
１０２．段落６５の恒温容器はいくつかの実施形態において：貯蔵領域内に位置する温度センサ、伝達機器に取り付けられた温度センサをさらに含んでいる。
【０２５０】
１０３．段落６５の恒温容器はいくつかの実施形態において：貯蔵領域内に位置する温度センサ、冷却装置のための制御装置に取り付けられた温度センサをさらに含んでいる。
【０２５１】
１０４．段落６５の恒温容器はいくつかの実施形態において：貯蔵領域のためのライナー領域、相変化材料を収容するように構成されるライナー領域をさらに含んでいる。
【０２５２】
１０５．段落６５の恒温容器はいくつかの実施形態において：容器に内在する第２の貯蔵領域および第２の相変化材料領域を形成するように内部領域を分割する第２の断熱隔壁、第２の貯蔵領域と第２の相変化材料領域との間の導管を含んでいる第２の断熱隔壁をさらに含んでいる。
【０２５３】
１０６．いくつかの実施形態において、段落１０５の恒温容器は：第２の貯蔵領域のためのライナー領域、相変化材料を収容するように構成されるライナー領域をさらに含んでいる。
【０２５４】
１０７．いくつかの実施形態において、段落１０５の恒温容器は：容器を実質的に規定する断熱材の一部分内の第２の開口であって、容器に内在する相変化材料領域と容器の外面との間の上記第２の開口；第２の開口内に位置する第２の一方向性熱伝導体であって、熱を相変化材料領域から容器の外面への方向において伝えるように構成された上記第２の一方向性熱伝導体；および容器の外面に隣接し、かつ冷却装置の貯蔵領域内に位置するように構成された放射部品を含んでいる第２の発熱ユニット、ならびに第２の一方向性熱伝導体と熱的に接続されている熱伝達部品をさらに含んでいる。
【０２５５】
１０８．恒温容器内における使用のために構成されたサーマルダイオードユニットを含んでいるいくつかの実施形態は：恒温容器内における使用のために構成されるダイオードユニット、少なくとも１つの内部壁と少なくとも１つの外部壁との間に形成される間隙を有する、少なくとも１つの内部壁と一致する大きさおよび形の少なくとも１つの外部壁；隙に隣接した少なくとも１つの内部壁の表面に取り付けられたメッシュ構造；間隙内の液体；間隙を取り囲むサーマルダイオードユニットの気体不透過性の内側領域を形成する、少なくとも１つの内部壁と少なくとも１つの外部壁との間の１つ以上の密封装置；および大気圧よりも小さい気体不透過性である内部領域内のガス圧を含んでいる。
【０２５６】
１０９．いくつかの実施形態において、段落１０８のサーマルダイオードユニットは、箱型形状として構成されるサーマルダイオードユニットを含んでいる。
【０２５７】
１１０．いくつかの実施形態において、段落１０８のサーマルダイオードユニットは、実質的な直立円筒形として構成されるサーマルダイオードユニットを含んでいる。
【０２５８】
１１１．いくつかの実施形態において、段落１０８のサーマルダイオードユニットは、冷却装置の貯蔵領域内に適合するための大きさおよび形であるサーマルダイオードユニットである。
【０２５９】
１１２．いくつかの実施形態において、段落１０８のサーマルダイオードユニットは、少なくとも１つの外部壁が、サーマルダイオードユニットの外側を実質的に定義する。
【０２６０】
１１３．いくつかの実施形態において、段落１０８のサーマルダイオードユニットは、少なくとも１つの内部壁が、熱伝導性金属から製作される。
【０２６１】
１１４．いくつかの実施形態において、段落１０８のサーマルダイオードユニットは、少なくとも１つの内部壁が：温度安定領域を実質的に規定する少なくとも１つの外面を含んでいる。
【０２６２】
１１５．いくつかの実施形態において、段落１０８のサーマルダイオードユニットは、サーマルダイオードユニットが使用のために位置するとき、メッシュ構造が：メッシュ構造の上縁へ液体を導くために十分な平均寸法の多数の内部孔を含んでいる。
【０２６３】
１１６．いくつかの実施形態において、段落１０８のサーマルダイオードユニットは、メッシュ構造が：約１００ミクロン未満の平均寸法の多数の内部孔を含んでいる。
【０２６４】
１１７．いくつかの実施形態において、段落１０８のサーマルダイオードユニットは、メッシュ構造が、内部壁の大部分の表面に取り付けられている。
【０２６５】
１１８．いくつかの実施形態において、段落１０８のサーマルダイオードユニットは、メッシュ構造が、メッシュ構造と大部分の表面との間の熱的な接続によって内部壁の表面に取り付けられている。
【０２６６】
１１９．いくつかの実施形態において、段落１０８のサーマルダイオードユニットは、大気圧よりも小さい気体不透過性である内部領域内のガス圧が：サーマルダイオードの使用の予測される状態下において液体のガス分圧よりも小さいガス圧を含んでいる。
【０２６７】
１２０．いくつかの実施形態において、段落１０８のサーマルダイオードユニットは：サーマルダイオードユニットが使用のために位置するとき、下縁において少なくとも１つの内部壁に取り付けられた底壁をさらに含んでいる。
【０２６８】
１２１．いくつかの実施形態において、段落１０８のサーマルダイオードユニットは：サーマルダイオードユニットの気体不透過性の内側領域と隣接した内側間隔を含んでいる熱伝達部品をさらに含んでいる。
【０２６９】
１２２．いくつかの実施形態において、段落１０８のサーマルダイオードユニットは：サーマルダイオードユニットの気体不透過性の内側領域と熱的に接続されている熱伝達部品をさらに含んでいる。
【０２７０】
１２３．いくつかの実施形態において、段落１０８のサーマルダイオードユニットは：サーマルダイオードユニットに取り付けられ、伝達機器に取り付けられた温度センサをさらに含んでいる。
【０２７１】
１２４．冷却装置内における使用のための、恒温容器のいくつかの実施形態は：内部領域を含んでいる、恒温容器の１つ以上の壁を実質的に規定する断熱材の１つ以上の部分；容器の内部で貯蔵領域および相変化材料領域を形成するように、内部領域を分割する断熱隔壁であって、貯蔵領域と相変化材料領域との間に導管を含んでいる上記断熱隔壁；導管内の熱制御装置；容器を実質的に規定する断熱材の一部分内の第１の開口であって、容器内部の相変化材料領域と容器の外面との間の上記開口；第１の開口内に位置する第１の一方向性熱伝導体であって、相変化材料領域から容器の外面への方向において熱を伝えるように構成された上記一方向性熱伝導体；容器を実質的に規定する断熱材の一部分内の第２の開口であって、容器内部の貯蔵領域と容器の外面との間の上記開口；および第２の開口内に位置する第２の一方向性熱伝導体であって、貯蔵領域から容器の外面への方向において熱を伝えるように構成された上記一方向性熱伝導体を含んでいる。
【０２７２】
１２５．段落１２４の恒温容器を含んでいるいくつかの実施形態は、恒温容器が、家庭用冷却装置の冷却貯蔵領域内に適合するための大きさおよび形である。
【０２７３】
１２６．いくつかの実施形態において、段落１２４の恒温容器は、断熱材の１つ以上の部分が：真空断熱材の１つ以上の部分を含んでいる。
【０２７４】
１２７．いくつかの実施形態において、段落１２４の恒温容器は、断熱材の１つ以上の部分が：少なくとも５ｆｔ２・°Ｆ・ｈ／ＢｔｕのＲ値を有する断熱材を含んでいる。
【０２７５】
１２８．いくつかの実施形態において、段落１２４の恒温容器は、断熱材の１つ以上の部分が：少なくとも７ｆｔ２・°Ｆ・ｈ／ＢｔｕのＲ値を有する断熱材を含んでいる。
【０２７６】
１２９．いくつかの実施形態において、段落１２４の恒温容器は、断熱材の１つ以上の部分が：少なくとも１０ｆｔ２・°Ｆ・ｈ／ＢｔｕのＲ値を有する断熱材を含んでいる。
【０２７７】
１３０．いくつかの実施形態において、段落１２４の恒温容器は、断熱材の１つ以上の部分が：容器に内在する貯蔵領域に隣接したアクセス開口；およびアクセス開口と実質的に接合するように構成されるドアを含んでいる。
【０２７８】
１３１．いくつかの実施形態において、段落１３０のドアは：少なくとも１つの断熱材を含んでいる。
【０２７９】
１３２．いくつかの実施形態において、段落１２４の恒温容器は、断熱材の１つ以上の部分が：凝縮した液体が容器の内側から流れることを可能にするように構成される、容器の下面における開口を含んでいる。
【０２８０】
１３３．いくつかの実施形態において、段落１２４の恒温容器は、断熱材の１つ以上の部分が：冷却装置内の冷却領域の１つ以上の壁に隣接して位置するように構成された外面を含んでいる。
【０２８１】
１３４．いくつかの実施形態において、段落１２４の恒温容器は、恒温容器の壁が：冷却装置の１つ以上の内部表面と可逆的に接合するように構成される１つ以上の外面を含んでいる。
【０２８２】
１３５．いくつかの実施形態において、段落１２４の恒温容器は、恒温容器の壁が：断熱材の１つ以上の部分に取り付けられた構造上の物質を含んでいる。
【０２８３】
１３６．いくつかの実施形態において、段落１２４の恒温容器は、恒温容器の壁が、冷却装置の冷却貯蔵領域内に適合するための大きさおよび形のものである。
【０２８４】
１３７．いくつかの実施形態において、段落１２４の恒温容器は、恒温容器の壁が：１組の冷却コイルに隣接して位置するように構成される表面を含んでいる。
【０２８５】
１３８．いくつかの実施形態において、段落１２４の恒温容器は、断熱隔壁が：断熱材の１つ以上の部分を含んでいる。
【０２８６】
１３９．いくつかの実施形態において、段落１２４の恒温容器は、相変化材料領域が貯蔵領域より上に位置するように、断熱隔壁が構成される。
【０２８７】
１４０．いくつかの実施形態において、段落１２４の恒温容器は、導管内の熱制御装置が：受動的な熱制御装置を含んでいる。
【０２８８】
１４１．いくつかの実施形態において、段落１２４の恒温容器は、導管内の熱制御装置が：温度センサ；温度センサに取り付けられた電子制御装置；および電子制御装置に反応する電子制御の熱制御ユニットを含んでいる。
【０２８９】
１４２．いくつかの実施形態において、段落１２４の恒温容器が冷却装置内における使用向けであるとき、容器を実質的に規定する断熱材の一部分内の第１の開口は、１組の冷却コイルに隣接した恒温容器の１面に位置する。
【０２９０】
１４３．いくつかの実施形態において、段落１２４の恒温容器は、容器を実質的に規定する断熱材の一部分内の第１の開口が、第１の開口内に位置する第１の一方向性熱伝導体の外面に実質的に対応している大きさおよび形の第１の開口を含んでいる。
【０２９１】
１４４．いくつかの実施形態において、段落１２４の恒温容器は、第１の一方向性熱伝導体が：ヒートパイプ装置を含んでいる。
【０２９２】
１４５．いくつかの実施形態において、段落１２４の恒温容器は、第１の一方向性熱伝導体が：サーマルダイオード装置を含んでいる。
【０２９３】
１４６．いくつかの実施形態において、段落１２４の恒温容器は、第１の一方向性熱伝導体が：第１の一方向性熱伝導体の外面と熱的に接続されており、相変化材料領域内に位置する１つ以上の熱伝導ユニットを含んでいる。
【０２９４】
１４７．いくつかの実施形態において、段落１２４の恒温容器は、第１の一方向性熱伝導体が：冷却装置の冷却コイルに付属するように構成される取付ユニットを含んでいる。
【０２９５】
１４８．いくつかの実施形態において、段落１２４の恒温容器は、取付ユニットが、熱膨張性材料から作製される。
【０２９６】
１４９．いくつかの実施形態において、段落１２４の恒温容器が冷却装置内における使用向けであるとき、容器を実質的に規定する断熱材の一部分内の第２の開口が、１組の冷却コイルに隣接した恒温容器の１面において位置する。
【０２９７】
１５０．いくつかの実施形態において、段落１２４の恒温容器は、容器を実質的に規定する断熱材の一部分内の第２の開口が：第１の開口内に位置する第２の一方向性熱伝導体の外面に実質的に対応している大きさおよび形の第２の開口を含んでいる。
【０２９８】
１５１．いくつかの実施形態において、段落１２４の恒温容器は、第２の一方向性熱伝導体が：ヒートパイプ装置を含んでいる。
【０２９９】
１５２．いくつかの実施形態において、段落１２４の恒温容器は、第２の一方向性熱伝導体が：サーマルダイオード装置を含んでいる。
【０３００】
１５３．いくつかの実施形態において、段落１２４の恒温容器は、第２の一方向性熱伝導体が：第２の一方向性熱伝導体の外面と熱的に接続され、貯蔵領域内に位置する１つ以上の熱伝導ユニットを含んでいる。
【０３０１】
１５４．いくつかの実施形態において、段落１２４の恒温容器は、第２の一方向性熱伝導体が：冷却装置の冷却コイルに付属するように構成される取付ユニットを含んでいる。
【０３０２】
１５５．いくつかの実施形態において、段落１５４の恒温容器は、取付ユニットが：熱膨張性材料から作製される取付ユニットを含んでいる。
【０３０３】
１５６．いくつかの実施形態において、段落１２４の恒温容器は：貯蔵領域内に位置し、導管内の熱制御装置に取り付けられた温度センサをさらに含んでいる。
【０３０４】
１５７．いくつかの実施形態において、段落１２４の恒温容器は：貯蔵領域内に位置し、貯蔵領域内の加熱装置に取り付けられた温度センサをさらに含んでいる。
【０３０５】
１５８．いくつかの実施形態において、段落１２４の恒温容器は：貯蔵領域内に位置し、伝達機器に取り付けられた温度センサをさらに含んでいる。
【０３０６】
１５９．いくつかの実施形態において、段落１２４の恒温容器は：貯蔵領域内に位置し、冷却装置のための制御装置に取り付けられた温度センサをさらに含んでいる。
【０３０７】
１６０．いくつかの実施形態において、段落１２４の恒温容器は：貯蔵領域のために、相変化材料を収容するように構成されるライナー領域をさらに含んでいる。
【０３０８】
１６１．いくつかの実施形態において、段落１２４の恒温容器は：容器に内在する第２の貯蔵領域および第２の相変化材料領域を形成するように内部領域を分割し、第２の貯蔵領域と第２の相変化材料領域との間の第２の導管を含んでいる第２の断熱隔壁をさらに含んでいる。
【０３０９】
１６２．いくつかの実施形態において、段落１６１の恒温容器は：第２の貯蔵領域のために、相変化材料を収容するように構成されるライナー領域をさらに含んでいる。
【０３１０】
１６３．いくつかの実施形態において、段落１６１の恒温容器は：容器を実質的に規定する断熱材の一部分内に存在する、容器に内在する第２の相変化材料領域と容器の外面との間の第３の開口；および第３の開口内に位置し、相変化材料領域から容器の外面への方向において熱を伝えるように構成された第３の一方向性熱伝導体をさらに含んでいる。
【０３１１】
１６４．いくつかの実施形態において、冷却装置への温度制御増設部分は：冷却装置の冷凍部分内に適合するための大きさおよび形の容器を含んでいる蓄熱ユニット、冷却装置の冷却コイルの横断面よりも大きな縁部の寸法を有する開口部を含んでいる容器；冷却装置の冷却部分内と適合するための大きさおよび形のサーマルダイオードユニットであって、冷却装置の排気開口部に隣接して位置するように構成される上縁を含んでいるサーマルダイオードユニット；および温度センサを含んでいる制御ユニット、温度センサに反応する制御装置、および制御装置に反応するファンを含んでいる。
【０３１２】
１６５．段落１６４の冷却装置への温度制御増設部分のいくつかの実施形態は、蓄熱ユニットが、冷却装置の冷却コイルの横断面よりも大きい縁部の寸法を有する単一の開口を含んでいる。
【０３１３】
１６６．段落１６４の冷却装置への温度制御増設部分のいくつかの実施形態は、蓄熱ユニットの容器が：液体透過不能容器を含んでいる。
【０３１４】
１６７．段落１６４の冷却装置への温度制御増設部分のいくつかの実施形態は、蓄熱ユニットの容器が：容器を実質的に充填する相変化材料を含んでいる。
【０３１５】
１６８．段落１６４の冷却装置への温度制御増設部分のいくつかの実施形態は、サーマルダイオードユニットが：サーマルダイオードユニットの使用中実質的に垂直であるように構成される少なくとも１つの内部壁；少なくとも１つの内部壁と少なくとも１つの外部壁との間に形成される間隙を有する、少なくとも１つの内部壁と一致する大きさおよび形の少なくとも１つの外部壁、冷却装置の冷却部分内に位置するように構成される外面を含んでいる外部壁；間隙に隣接した少なくとも１つの内部壁の表面に取り付けられたメッシュ構造；間隙内の液体；間隙内の液体、間隙を取り囲むサーマルダイオードユニットの気体不透過性の内側領域を形成する、少なくとも１つの内部壁と少なくとも１つの外部壁との間の１つ以上の密封装置；および大気圧よりも小さい気体不透過性である内部領域内のガス圧を含んでいる。
【０３１６】
１６９．段落１６４の冷却装置への温度制御増設部分のいくつかの実施形態は、サーマルダイオードユニットが、熱伝導性物質から作製される。
【０３１７】
１７０．段落１６４の冷却装置への温度制御増設部分のいくつかの実施形態は、サーマルダイオードユニットが、間隙に隣接した少なくとも１つの内部壁の表面に取り付けられたメッシュ構造、多数の内部孔を含んでいるメッシュ構造、サーマルダイオードユニットが使用のために位置するとき、メッシュ構造の上縁へ液体を導くために十分な平均寸法の多数の内部孔を含んでいる。
【０３１８】
１７１．段落１６４の冷却装置への温度制御増設部分のいくつかの実施形態は、サーマルダイオードユニットが：サーマルダイオードユニットが使用のために位置するとき、下縁において少なくとも１つの内部壁に取り付けられた底壁を含んでいる。
【０３１９】
１７２．段落１６４の冷却装置への温度制御増設部分のいくつかの実施形態は、サーマルダイオードユニットが：サーマルダイオードユニットと熱的に接続されている熱伝達部品、サーマルダイオードユニットの上縁に隣接して位置する熱移動ユニットを含んでいる。
【０３２０】
１７３．段落１６４の冷却装置への温度制御増設部分のいくつかの実施形態は、制御ユニットが：伝達機器を含んでいる。
【０３２１】
１７４．段落１６４の冷却装置への温度制御増設部分のいくつかの実施形態は、制御ユニットが：バッテリを含んでいる。
【０３２２】
１７５．いくつかの実施形態において、冷却装置への温度制御増設部分は：恒温容器の１つ以上の壁を実質的に規定する断熱材の１つ以上の部分を含んでいる恒温容器、少なくとも第１の貯蔵領域および第２の貯蔵領域に内部領域を分割する断熱区分、第１の貯蔵領域に取り付けられた第１の導管、第２の貯蔵領域に取り付けられた第２の導管、冷却装置の通気導管内に位置するような大きさおよび形の第１の導管および第２の導管両方；恒温容器の第１の貯蔵領域内に適合するための大きさおよび形の第１のサーマルダイオードユニットであって、第１のサーマルダイオードユニットの上縁と熱的に接続されている、恒温容器の第１の導管内に位置するように構成される熱伝達部品を含んでいる上記第１のサーマルダイオードユニット恒温容器；恒温容器の第２の貯蔵領域内に適合するための大きさおよび形の第２のサーマルダイオードユニットであって、第２のサーマルダイオードユニットの上縁と熱的に接続されている、恒温容器の第２の導管内に位置するように構成される熱伝達部品を含んでいる上記第２のサーマルダイオードユニット；温度センサを含んでいる第１の制御ユニット、温度センサに反応する制御装置、および恒温容器の第１の貯蔵領域に取り付けられた制御装置に反応するファン；を含んでいる。
【０３２３】
１７６．段落１７５においてのような冷却装置への温度制御増設部分のいくつかの実施形態は、恒温容器が、家庭用冷却装置の冷却貯蔵領域内に適合するための大きさおよび形である。
【０３２４】
１７７．段落１７５においてのような冷却装置への温度制御増設部分のいくつかの実施形態は、断熱材の１つ以上の部分が：真空断熱材の１つ以上の部分を含んでいる。
【０３２５】
１７８．段落１７５においてのような冷却装置への温度制御増設部分のいくつかの実施形態は、断熱材の１つ以上の部分が：少なくとも５ｆｔ２・°Ｆ・ｈ／ＢｔｕのＲ値を有する断熱材を含んでいる。
【０３２６】
１７９．段落１７５においてのような冷却装置への温度制御増設部分のいくつかの実施形態は、断熱材の１つ以上の部分が：少なくとも７ｆｔ２・°Ｆ・ｈ／ＢｔｕのＲ値を有する断熱材を含んでいる。
【０３２７】
１８０．段落１７５においてのような冷却装置への温度制御増設部分のいくつかの実施形態は、断熱材の１つ以上の部分が：少なくとも１０ｆｔ２・°Ｆ・ｈ／ＢｔｕのＲ値を有する断熱材を含んでいる。
【０３２８】
１８１．段落１７５においてのような冷却装置への温度制御増設部分のいくつかの実施形態は、断熱材の１つ以上の部分が：容器に内在する第１の貯蔵領域に隣接したアクセス開口；およびアクセス開口と実質的に接合するように構成されるドアを含んでいる。
【０３２９】
１８２．段落１８１においてのような冷却装置への温度制御増設部分のいくつかの実施形態は、ドアが、少なくとも１つの断熱材を含んでいる。
【０３３０】
１８３．段落１７５においてのような冷却装置への温度制御増設部分のいくつかの実施形態は、断熱材の１つ以上の部分が：容器に内在する第２の貯蔵領域に隣接したアクセス開口；およびアクセス開口と実質的に接合するように構成されるドアを含んでいる。
【０３３１】
１８４．段落１８３においてのような冷却装置への温度制御増設部分のいくつかの実施形態は、ドアが、少なくとも１つの断熱材を含んでいる。
【０３３２】
１８５．段落１７５においてのような冷却装置への温度制御増設部分のいくつかの実施形態は、断熱材の１つ以上の部分が：凝縮した液体が容器の内側から流れることを可能にするように構成される、容器の下面における開口を含んでいる。
【０３３３】
１８６．段落１７５においてのような冷却装置への温度制御増設部分のいくつかの実施形態は、断熱材の１つ以上の部分が：冷却装置内の冷却領域の１つ以上の壁に隣接して位置するように構成される外面を含んでいる。
【０３３４】
１８７．段落１７５においてのような冷却装置への温度制御増設部分のいくつかの実施形態は、恒温容器の壁が：冷却装置の１つ以上の内部表面と可逆的に接合するように構成される１つ以上の外面を含んでいる。
【０３３５】
１８８．段落１７５においてのような冷却装置への温度制御増設部分のいくつかの実施形態は、恒温容器の壁が：断熱材の１つ以上の部分に取り付けられた構造上の物質を含んでいる。
【０３３６】
１８９．段落１７５においてのような冷却装置への温度制御増設部分のいくつかの実施形態は、恒温容器の壁が、冷却装置の冷却貯蔵領域内に適合するための大きさおよび形のものである。
【０３３７】
１９０．段落１７５においてのような冷却装置への温度制御増設部分のいくつかの実施形態は、第１のサーマルダイオードユニットが：第１のサーマルダイオードユニットの使用の間、実質的に垂直になるように構成される少なくとも１つの内部壁；少なくとも１つの内部壁と適合する大きさおよび形の、少なくとも１つの外部壁であり、少なくとも１つの内部壁と少なくとも１つの外部壁との間に形成される間隙を有する少なくとも１つの外部壁、間隙に隣接する少なくとも１つの内部壁の表面に取り付けられたメッシュ構造；間隙内の液体；間隙を取り囲む第１のサーマルダイオードユニットの気体不透過性である内部領域を形成する、少なくとも１つの内部壁と少なくとも１つの外部壁との間の１つ以上の密封装置；および大気圧よりも小さい、気体不透過性である内部領域内のガス圧を含んでいる。
【０３３８】
１９１．段落１９０においてのような冷却装置への温度制御増設部分のいくつかの実施形態は、第１のサーマルダイオードユニットの少なくとも１つの内部壁が、熱伝導性金属から作製される。
【０３３９】
１９２．段落１９０においてのような冷却装置への温度制御増設部分のいくつかの実施形態は、メッシュ構造が：多数の内部孔、サーマルダイオードユニットが使用のために位置するとき、メッシュ構造の上縁へ液体を導くために十分な平均寸法の多数の内部孔を含んでいる。
【０３４０】
１９３．段落１９０においてのような冷却装置への温度制御増設部分のいくつかの実施形態は、メッシュ構造が：多数の内部孔、約１００ミクロン未満の平均寸法の多数の内部孔を含んでいる。
【０３４１】
１９４．段落１９０においてのような冷却装置への温度制御増設部分のいくつかの実施形態は、メッシュ構造が、メッシュ構造と大部分の表面との間の熱的な接続によって内部壁の表面に取り付けられている。
【０３４２】
１９５．段落１７５においてのような冷却装置への温度制御増設部分のいくつかの実施形態は、第２のサーマルダイオードユニットが：第２のサーマルダイオードユニットの使用中実質的に垂直であるように構成される少なくとも１つの内部壁；少なくとも１つの内部壁と少なくとも１つの外部壁との間に形成される間隙を有する、少なくとも１つの内部壁と適合するための大きさおよび形の少なくとも１つの外部壁；間隙に隣接した少なくとも１つの内部壁の表面に取り付けられたメッシュ構造；間隙内の液体；少なくとも１つの内部壁と少なくとも１つの外部壁との間の１つ以上の密封装置、および大気圧よりも小さい気体不透過性である内部領域内のガス圧を含んでいる。
【０３４３】
１９６．段落１９５においてのような冷却装置への温度制御増設部分のいくつかの実施形態は、第２のサーマルダイオードユニットの少なくとも１つの内部壁が、熱伝導性金属から作製される。
【０３４４】
１９７．段落１９５においてのような冷却装置への温度制御増設部分のいくつかの実施形態は、メッシュ構造が：多数の内部孔、サーマルダイオードユニットが使用のために位置するときメッシュ構造の上縁へ液体を導くために十分な平均寸法の多数の内部孔を含んでいる。
【０３４５】
１９８．段落１９５においてのような冷却装置への温度制御増設部分のいくつかの実施形態は、メッシュ構造が：多数の内部孔、約１００ミクロン未満の平均寸法の多数の内部孔を含んでいる。
【０３４６】
１９９．段落１９５においてのような冷却装置への温度制御増設部分のいくつかの実施形態は、メッシュ構造が、メッシュ構造と大部分の表面との間の熱的な接続によって内部壁の表面に取り付けられている。
【０３４７】
２００．段落１７５においてのような冷却装置への温度制御増設部分のいくつかの実施形態は、第１の制御ユニットが：伝達ユニットを含んでいる。
【０３４８】
２０１．段落１７５においてのような冷却装置への温度制御増設部分のいくつかの実施形態は、第２の制御ユニットが：伝達ユニットを含んでいる。
【０３４９】
２０２．段落１７５においてのような冷却装置への温度制御増設部分のいくつかの実施形態は：冷却装置の冷却コイルに付属するように構成される熱伝導性付属品および熱伝導性付属品に取り付けられた多数の熱透過突出部分を含んでいる、取付ユニット；および冷却装置の冷凍庫部分内に適合するための大きさおよび形の液体透過不能容器を含んでいる蓄熱ユニット、熱伝導性付属品に取り付けられた多数の熱透過突出部分を受けるように構成される多数の開口を含んでいる容器をさらに含んでいる。
【０３５０】
２０３．冷却装置への温度制御増設部分を形成する方法のいくつかの実施形態は、冷却装置の内側表面の測定値を取得すること；断熱材から形成された１つ以上の壁から恒温容器を形成し、冷却装置の内側表面および熱密封内部領域と可逆的に接合するように構成される外面を含んでいる恒温容器を形成すること；少なくとも１つの貯蔵領域、および少なくとも１つの相変化材料領域を形成するように、熱密封内部領域内に少なくとも１つの断熱隔壁を取り付けること；冷却装置内に恒温容器が設置されたとき、熱が、熱密封内部領域から冷却装置の内側表面へ導かれるように、１つ以上の壁を通して少なくとも１つの一方向性熱伝導体を設置すること；および相変化材料領域内に相変化材料を密封することを含んでいる。
【０３５１】
２０４．段落２０３の冷却装置への温度制御増設部分を形成する方法の、いくつかの実施形態において、装置の内側表面の測定値の取得は：冷却装置に関する製品のデータを承認することを含んでいる。
【０３５２】
２０５．段落２０３の冷却装置への温度制御増設部分を形成する方法の、いくつかの実施形態において、恒温容器の形成は：熱非伝導性物質と共に１つ以上の壁を密封することを含んでいる。
【０３５３】
２０６．段落２０３の冷却装置への温度制御増設部分を形成する方法の、いくつかの実施形態において、熱密封内部領域への少なくとも１つの断熱隔壁の取り付けは：１つ以上の壁の内部表面に少なくとも１つの断熱隔壁を密封することを含んでいる。
【０３５４】
２０７．段落２０３の冷却装置への温度制御増設部分を形成する方法の、いくつかの実施形態において、少なくとも１つの一方向性熱伝導体の設置は：冷却装置に関する製品のデータを参照することを含んでいる。
【０３５５】
２０８．段落２０３の冷却装置への温度制御増設部分を形成する方法の、いくつかの実施形態において、相変化材料領域内の相変化材料の密封は：相変化材料領域内に置かれた容器内に相変化材料を密封することを含んでいる。
【０３５６】
本書に記載されているいくつかの実施において、論理および類似する実施は、コンピュータプログラムまたは他の制御構造を含み得る。電子回路は、例えば、本書に記載されているさまざまな機能を実施するために、構成および配置された電流の1つ以上のパスを有し得る。いくつかの実施において、このような媒体が、本書に記載されているように機能するために実行可能である装置検出可能な命令を保持または伝えるとき、１つ以上の媒体は、装置検出可能な実施をもたらすように構成され得る。いくつかの変形において、例えば、実施は、本書に記載されている1つ以上の作動に対する関係において１つ以上の命令の受信または送信を行うなどにより、存在するソフトウェアもしくはファームウェア,またはゲートアレイもしくはプログラム可能ハードウェアの更新または変更を含み得る。あるいは、または更に,いくつかの変形において、実施は、専用ハードウェア、ソフトウェア、ファームウェアコンポーネント、および／または専用コンポーネントを実行さもなければ起動する汎用コンポーネントを含み得る。仕様または他の実施は、本書に記載されている有形の送信媒体の1つ以上の例によって送信され得、任意にパケット伝送によって、またはさもなければ何度も分散型媒体を通り抜けることによって送信される。
【０３５７】
あるいはまたは更に,実施は、特殊用途命令シーケンスの実行、または本書で述べられている実質的に任意の機能動作の１つ以上の発生を、可能にする、誘発する、調整する、要求するまたはさもなければ引き起こすための回路の発動を含み得る。いくつかの変形において、本書の作動可能なまたは他の論理的記述は、ソースコードとして表現され、コンパイルされ得、またはさもなければ実行可能命令シーケンスとして発動される。例えばいくつかの背景において、実施は、Ｃ＋＋、または他のコードシーケンスなどの、ソースコードによって、全体または一部において提供され得る。他の実施において、市販の技術および／または本技術分野の技術を用いたソースまたは他のコードの実施は、上級記述言語（例えば、ＣまたはＣ＋＋プログラム言語において述べられた技術を初めに実施し、その後上記プログラム言語実施を、ロジック−シンセサイザブル（ｌｏｇｉｃ−ｓｙｎｔｈｅｓｉｚａｂｌｅ）言語実施、ハードウェア記述言語実施、ハードウェア設計シュミュレーション実施、および／または表現のそのような類似した形態に転換する）に、従い得る／／実施され得る／翻訳され得る／転換され得る。例えば、いくつかのまたは全ての論理的表現（例えばコンピュータープログラム言語実施）は、Ｖｅｒｉｌｏｇ−ｔｙｐｅハードウェア記述（例えばハードウェア記述言語（ＨＤＬ）および／または超高速集積回路ハードウェア記述言語（ＶＨＤＬ））またはハードウェア（例えば特定用途向け集積回路）を有する物理的実施を引き起こすために用いられる他の回路モデルとして現出し得る。当業者は、これらの教示の観点において、好適な伝達または計算エレメント、資材供給、作動装置、または他の構造を、どのように得るか、構成するか、および最適化するかを認識するであろう。
【０３５８】
実施形態において、本書で述べられている主題のいくつかの部分は、特定用途向け集積回路（ＡＳＩＣｓ）、現場プログラム可能ゲートアレイ（ＦＰＧＡｓ）、デジタル信号プロセッサ（ＤＳＰｓ）、または他の集積様式を介して実施され得る。しかし、一部または全体において本書で開示された実施形態のいくつかの態様は、１つ以上のコンピューターにおいて作動する１つ以上のコンピュータープログラムとして（例えば１つ以上のコンピューターシステムにおいて作動する１つ以上のプログラムとして）、１つ以上のプロセッサにおいて作動する１つ以上のプログラムとして（例えば１つ以上のマイクロプロセッサにおいて作動する１つ以上のプログラム）、ファームウェアとして、またはそれらの実質的に任意の組み合わせとして、集積回路において同等に実施され得、回路を設計することおよび／またはソフトウェアおよび／またはファームウェアのためにコードを書くことは、この開示の観点において当業者の技術の内に十分に存在し得る。加えて、本書で述べられている主題の態様は、さまざまな形態においてプログラム製品として供給されることが可能であり、本書で述べられている主題の例示的な実施形態は、流通を実際に行うために用いられる信号担持媒体の特定の種類にかかわらず適用される。信号担持媒体の例は、以下のものを含んでいるが、それらに限定されない：フロッピー（登録商標）ディスク、ハードディスク装置、コンパクトディスク（ＣＤ）、デジタルビデオディスク（ＤＶＤ）、デジタルテープ、コンピューターメモリー等などのレコーダブル型媒体；ならびにデジタルおよび／またはアナログ通信媒体（例えば光ファイバーケーブル、導波管、有線通信リンク、無線通信リンク（例えば送信機、受信機、伝達論理、受信能力論理等。）、等）などの伝達型媒体。
【０３５９】
一般的な意味において、本書で述べられているさまざまな実施形態は、ハードウェア、ソフトウェア、ファームウェア、および／またはそれらの実質的に任意の組み合わせなど、広範囲の電気部品；および剛体、スプリングまたはねじり体、水力学、電磁駆動装置、および／またはそれらの実質的に任意の組み合わせなど、機械力または運動を与え得る広範囲の構成部分を有する電気機械システムのさまざまな種類によって、個々におよび／または集合的に実施され得る。
【０３６０】
その結果、本書に用いられている“電気機械システム”は、変換器（例えば作動装置、モーター、圧電単結晶、微小電気機械システム（ＭＥＭＳ）、等）と使用可能に連結された電気回路、少なくとも１つの分離した電気回路を有する電気回路、少なくとも１つの集積回路を有する電気回路、少なくとも１つの特定用途向け集積回路を有する電気回路、コンピュータープログラム（例えば、本書で述べられている工程および／または装置を少なくとも部分的に実行するコンピュータープログラムによって構成された汎用コンピューター、または本書で述べられている工程および／または装置を少なくとも部分的に実行するコンピュータープログラムによって構成されたマイクロプロセッサ）によって構成された汎用計算機を形成する電気回路、メモリー装置（例えばメモリーの形態（例えばランダムアクセス、フラッシュ、リード専用、等））を形成する電気回路、通信装置（例えばモデム、通信スイッチ、光電気機器、等）を形成する電気回路、および／または光学のまたは他のアナログ（例えばグラフェンベース回路）など、それらの任意の非電気的アナログを含んでいるが、これらに限定されない。電気機械システムの例は、種々の家電システム、医療機器、同様に、モーター付き輸送システム、工場自動化システム、防犯システム、および／または通信／計算システムなど、他のシステムを含んでいるが、これらに限定されない。本書で用いられる電気機械は、背景が別の方法を指示する場合を除き、電気および機械作動両方を有するシステムに必ずしも限定されない。
【０３６１】
一般的な意味において、広範囲のハードウェア、ソフトウェア、ファームウェア、および／またはそれらの任意の組み合わせによって、個々におよび／または集合的に実施され得る本書で述べられているさまざまな態様は、“電気回路”のさまざまな種類から成るとみなし得る。その結果、本書で用いられる“電気回路”は、少なくとも１つの分離した電気回路を有する電気回路、少なくとも１つの集積回路を有する電気回路、少なくとも１つの特定用途向け集積回路を有する電気回路、コンピュータープログラム（例えば、本書で述べられている工程および／または装置を少なくとも部分的に実行するコンピュータープログラムによって構成された汎用コンピューター、または本書で述べられている工程および／または装置を少なくとも部分的に実行するコンピュータープログラムによって構成されたマイクロプロセッサ）によって構成される汎用計算機を形成する電気回路、メモリー装置（例えばメモリーの形態（例えばランダムアクセス、フラッシュ、リード専用、等））を形成する電気回路、および／または通信装置（例えばモデム、通信スイッチ、光電気機器、等）を形成する電気回路を含んでいるがこれらに限定されない。本書で述べられている主題は、アナログまたは電子ファッションまたはそれらのいくつかの組み合わせにおいて、実施され得る。
【０３６２】
本書で述べられている装置および／または工程の少なくとも一部分は、画像処理システムに統合され得る。典型的な画像処理システムは、概して１つ以上のシステムユニット収納、ビデオ表示装置、揮発性または非揮発性メモリーなどのメモリー、マイクロプロセッサまたはデジタル信号プロセッサなどのプロセッサ、オペレーティングシステムなどの計算エンティティ、ドライバー、適用業務プログラム、１つ以上の相互作用装置（例えばタッチパッド、タッチスクリーン、アンテナ、等）、フィードバックループおよびモーター制御（例えば、レンズの位置および／または速度の探知のためのフィードバック；望ましい焦点を与えるためのレンズの可動／歪みのためのモーター制御）を含んでいる制御システムを概して含んでいる。画像処理システムは、概してデジタルスチルシステムおよび／またはデジタモーションシステムなどにおいて見つけられる、好適な市販の入手可能な構成部分を利用して、実施され得る。
【０３６３】
本書で述べられている装置および／または工程の少なくとも一部分は、データ処理システムに統合され得る。データ処理システムは、１つ以上のシステムユニット収納、ビデオ表示装置、揮発性または非揮発性メモリーなどのメモリー、マイクロプロセッサまたはデジタル信号プロセッサなどのプロセッサ、オペレーティングシステムなどの計算エンティティ、ドライバー、グラフィカルユーザーインターフェイス、および適用業務プログラム、１つ以上の相互作用装置（例えばタッチパッド、タッチスクリーン、アンテナ、等）、および／またはフィードバックループおよびモーター制御（例えば、位置および／または速度の探知のためのフィードバック；構成部分および／または数量の可動および／または調節のためのモーター制御）を含んでいる制御システムを概して含んでいる。データ処理システムは、概してデータ計算／通信および／またはネットワークコンピューティング／通信システム等において見つけられる、好適な市販の入手可能な構成部分を利用して、実施され得る。
【０３６４】
本書で述べられている構成部分（例えば働き）、装置、物体、およびそれらに付随する考察は、概念的明確さのために例として用いられ得、さまざまな形状修飾が予想される。その結果、本書で用いられている示された特定の見本および付随する考察は、より一般的な分類の典型となるように意図されている。概して、特定の見本の使用は、その分類の典型となるように意図されており、含まれていない特定の構成部分（例えば働き）、装置、および物体は、制限的に解されるべきではない。
【０３６５】
本書において述べられる主題は、内部に含まれる相違する構成部分、または相違する他の構成部分と接続された相違する構成部分を時に示す。このように描かれている構造は、単に典型的ものであり、同じ機能性を果たす多くの他の構造が実施され得ることが理解される。概念上の意図において、同じ機能性を果たす任意の配置の構成部分は、望ましい機能性を果たすように効果的に“関連して”いる。したがって、特定の機能性を果たす本書で組み合わせられた任意の２つの構成部分は、構造または中間構成部分に関係なく、望ましい機能性が果たされるように、お互いに“関連する”として認識され得る。同様に、関連している任意の２つの構成部分は、望ましい機能性を果たすためにお互いに“使用可能に接続した”、または“使用可能に連結された”としてもまたみなされ得、関連する可能性がある任意の２つの構成部分は、望ましい機能性を果たすためにお互いに“使用可能に連結できる”としてもまたみなされ得る。使用可能に連結できるということの特定の例は、物理的に接合可能および／または物理的に相互作用する構成部分、および／または無線で相互作用可能、および／または無線で相互作用する構成部分、および／または論理的に相互作用する、および／または論理的に相互作用可能な構成部分を含んでいるが、これらに限定されない。
【０３６６】
いくつかの例において、１つ以上の構成要素は、本書において例えば「構成される（“ｃｏｎｆｉｇｕｒｅｄ  ｔｏ”“ｃｏｎｆｉｇｕｒｅｄ  ｂｙ”“ｃｏｎｆｉｇｕｒａｂｌｅ  ｔｏ”）」、「動作可能であるように（“ｏｐｅｒａｂｌｅ／ｏｐｅｒａｔｉｖｅ
ｔｏ”）」「適合される／適合可能である（“ａｄａｐｔｅｄ／ａｄａｐｔａｂｌｅ”）」「可能である（“ａｂｌｅ  ｔｏ”）」「順応する（“ｃｏｎｆｏｒｍａｂｌｅ／ｃｏｎｆｏｒｍｅｄ  ｔｏ”）」のように言及され得る。これらの用語（例えば「構成される」）は一般に、文脈の異なる要請が無い限り、活動状態および／または非活動状態および／または待機状態の構成要素を包含する。
【０３６７】
本願の目的のため、「クラウド」コンピューティングは、クラウドコンピューティングの文献における記載のように理解され得る。例えば、クラウドコンピューティングは、業務として、コンピュータの能力またはストレージの能力を送付する方法またはシステムであり得る。「クラウド」は、１つ以上のクライアント、アプリケーション、プラットフォーム、インフラストラクチャ、および／またはサーバを含んでいるが、それに限定されない、コンピュータまたはストレージの能力の送付における、送付または補助を行う１つ以上のハードウエアおよび／またはソフトウエアを表し得る。クラウドはクライアント、アプリケーション、プラットフォーム、インフラストラクチャ、および／またはサーバに関連する1つ以上のハードウエアおよび／またはソフトウエアを表し得る。例えば、クラウドおよびクラウドコンピューティングは、１つ以上のコンピュータ、プロセッサ、ストレージメディア、ルーター、スイッチ、モデム、バーチャルマシン（例えばバーチャルサーバ）、データセンター、オペレーティングシステム、ミドルウエア、ファームウエア、ハードウエアバックエンド、ソフトウエアバックエンド、および／またはソフトウエアアプリケーションを表し得る。クラウドはプライベートクラウド、パブリッククラウド、ハイブリッドクラウド、および／またはコミュニティクラウドを表し得る。クラウドはパブリック、プライベート、セミプライベート、ディストリビュータブル、スケーラブル、フレキシブル、テンポラリー、バーチャル、および／またはフィジカルであり得る、構成された演算リソースの共有されたプールであり得る。クラウドまたはクラウドサービスは１つ以上のタイプのネットワーク、例えばモバイルコミュニケーションネットワークおよびインターネットを介して送付され得る。
【０３６８】
本願において使用されるとき、クラウドまたはクラウドサービスは、ｉｎｆｒａｓｔｒｕｃｔｕｒｅ−ａｓ−ａ−ｓｅｒｖｉｃｅ（“ＩａａＳ”）、ｐｌａｔｆｏｒｍ−ａｓ−ａ−ｓｅｒｖｉｃｅ（“ＰａａＳ”）、ｓｏｆｔｗａｒｅ−ａｓ−ａ−ｓｅｒｖｉｃｅ（“ＳａａＳ”）、および／またはｄｅｓｋｔｏｐ−ａｓ−ａ−ｓｅｒｖｉｃｅ（“ＤａａＳ”）のうちのいずれか１つ以上であり得る。非限定的な例として、ＩａａＳは例えば、バーチャルサーバおよび／またはストレージセンターを開始、停止、アクセス、および／または構成し得る、１つ以上のバーチャルサーバインスタンシエイションであり得る（例えば１つ以上のプロセッサ、ストレージスペース、および／またはネットワークリソースをオンデマンドで提供する、例えばＥＭＣおよびＲａｃｋｓｐａｃｅ）。ＰａａＳは例えば、インフラストラクチャにおいて提供される１つ以上のソフトウエアおよび／または開発ツールを包含し得る（例えばクライアントがソフトウエアインターフェイスおよびアプリケーションを作ることができる、演算プラットフォームおよび／またはソリューションスタック、例えばＭｉｃｒｏｓｏｆｔ  Ａｚｕｒｅ）。ＳａａＳは例えば、サービスプロバイダにより提供され、ネットワークを介してアクセス可能なソフトウエアを包含し得る（例えばソフトウエアアプリケーションがネットワーク上に保存され得る、アプリケーションおよび／またはデータのためのソフトウエア、例えばＧｏｏｇｌｅ  Ａｐｐｓ、ＳａｌｅｓＦｏｒｃｅ）。ＤａａＳは例えば、デスクトップ、アプリケーション、データ、および／またはサービスをネットワークを介してユーザに提供することを包含し得る（例えばマルチアプリケーションフレームワーク、フレームワークのアプリケーション、アプリケーションに関連するデータ、ならびに／またはアプリケーションおよび／もしくはデータに関連するサービスをネットワークを介して提供する、例えばＣｉｔｒｉｘ）。上述のものは、本願において「クラウド」または「クラウドコンピューティング」として言及されるシステムおよび／または方法のタイプの典型例を意図するものであり、完全な、または網羅的なものと解されるべきではない。
【０３６９】
ここに説明した本主題の具体的な態様を図示及び説明したが、ここに説明した主題及びそれを拡張した態様から逸脱しない限り、変形及び変更を加えることができる。したがって、付属の請求項はその範囲内に、ここに説明した主題の真の精神及び範囲に含まれるものとしてすべての変形及び変更が含まれる。一般に、ここで使用した文言、特に付属の請求項（例えば、付属の請求項の本文）で使用した文言は、一般に「オープン」な文言であることを意図したものである（例えば、「含んでいる」という文言は、「含んでいるが、これらに限定されるものではない」と解釈すべきであり、「有している」という文言は、「少なくとも有している」と解釈すべきであり、「含む」という文言は、「含むが、これらに限定されるものではない」と解釈すべきである）。さらに、導入された請求項の記載の特定数が意図されているのであれば、このような意図は請求項中で明示的に記載されており、このような明示的な記載がない場合には、このような意図は存在しない。理解の一助として例を挙げると、以下の付属の請求項において、請求項の記載を導入するために、
「少なくとも１つの」及び「１つ以上の」等の導入的表現が使用され得る。しかし、たとえ同一請求項中に「１つ以上」又は「少なくとも１つ」という導入表現と、「ａ」又は「ａｎ」等の不定冠詞とを含んでいたとしても、不定冠詞「ａ」又は「ａｎ」による請求項の記載の導入は、このような導入された請求項の記載を含む特定の請求項を、その記載１つのみを含む請求項に限定することを含むと解釈されるべきではない（例えば、「ａ」及び／又は「ａｎ」は、通常、「少なくとも１つ」又は「１つ以上」を意味すると解釈すべきである）。同じことが、請求項の記載を導入するために使用されている定冠詞の使用についても当てはまる。さらに、たとえ請求項で導入された記載の特定数が明示的に記載されていたとしても、このような記載は、通常、少なくとも記載された数を意味していると解釈されるべきである（例えば、修飾語を使わずに単に「２つの記載」と記載されている場合、通常、当該記載が少なくとも２つ又は２つ以上含まれていることを意味する）。さらに、「Ａ、Ｂ及びＣ等のうちの少なくとも１つ」に類似の表現形式が使用されている場合、一般にこのような文構造は、限定されるものではないが、「Ａ、Ｂ及びＣのうちの少なくとも１つを有するシステム」には、Ａだけを有するシステム、Ｂだけを有するシステム、Ｃだけを有するシステム、Ａ及びＢを共に有するシステム、Ａ及びＣを共に有するシステム、Ｂ及びＣを共に有するシステム、及び／又はＡ、Ｂ及びＣを共に有するシステム等を含むことを意図している。「Ａ、Ｂ又はＣ等のうちの少なくとも１つ」に類似の表現形式が使用されている場合、一般にこのような文構造は、限定されるものではないが、「Ａ、Ｂ又はＣのうちの少なくとも１つを有するシステム」には、Ａだけを有するシステム、Ｂだけを有するシステム、Ｃだけを有するシステム、Ａ及びＢを共に有するシステム、Ａ及びＣを共に有するシステム、Ｂ及びＣを共に有するシステム、及び／又はＡ、Ｂ及びＣを共に有するシステム等を含むことを意図している。通常、２つ以上の代替の文言を提示する選言的な文言及び／又は表現は、それが明細書中、請求項中又は図面中のいずれに記載されていたとしても、文脈と矛盾しない限りにおいて、複数の文言のうちの１つを含んでいる可能性、複数の文言のうちの一方を含んでいる可能性、又は複数の文言の双方を含んでいる可能性を考慮しているものであると理解すべきである。例えば、「Ａ又はＢ」という表現は、通常、「Ａ」である可能性、又は「Ｂ」である可能性、又は「Ａ及びＢ」である可能性を含んでいるものと理解される。
【０３７０】
付属の請求項に関して、請求項中に記載の動作は、一般に任意の順序で実施しても構わない。また、様々な動作上の流れが一連の流れとして示されているが、種々の動作は図示された順序とは別の順序で実施されてもよいし、同時に実施されてもよい。このような別の順序の例には、文脈と矛盾しない限りにおいて、重複、交互、断続、並べ替え、増分、準備、追加、同時、逆、又はその他の種々の順序が含まれ得る。さらに、「反応して」、「関連して」等の文言、又はその他の過去時制形容詞は、文脈と矛盾しない限りにおいて、一般にこのような変形例を除外することを意図したものではない。
【０３７１】
本明細書において参照された上記の全ての米国特許、米国特許出願公開、米国特許出願、外国特許、外国特許出願公開、および非特許公開は、本書と矛盾しない程度まで参照によって本書に組み入れられる。
【０３７２】
さまざまな態様および実施形態が本書において開示されている一方、他の態様および実施形態が、当業者にとって明確になるであろう。以下の特許請求の範囲に示される真の範囲および精神と共に、本書に開示されているさまざまな態様および実施形態は、例証の目的のためであり、制限的であると意図されるべきではない。
【０３７３】
態様１．
冷却装置内における使用のための恒温容器であって、
（１）冷却装置の貯蔵領域内に適合するための大きさおよび形の恒温容器を実質的に規定しており、かつ（２）上記恒温容器の一辺にある開口、および当該開口に対して遠位にある、上記容器に内在する貯蔵領域を形成している、断熱材の１つ以上の部分；ならびに
（１）上記容器に内在する相変化材料を保持するように構成されているタンクを実質的に形成しており、かつ（２）上記タンクの第１の壁が上記容器の一辺にある上記開口と隣接しており、上記タンクの第２の壁が上記貯蔵領域に隣接して配置されるように、上記断熱材の１つ以上の部分内に配置されている、２つ以上の壁
を備えている、冷却装置における使用のための恒温容器。
【０３７４】
態様２．
内部領域を備えている恒温容器の１つ以上の壁を実質的に規定している、断熱材の１つ以上の部分；
上記容器に内在する貯蔵領域および相変化材料領域を形成するように上記内部領域を分けており、かつ上記貯蔵領域および上記相変化材料領域の間に導管を含んでいる、熱的に分離されている隔壁；
上記導管内部にある、熱制御装置；
上記容器を実質的に規定している上記断熱材の部分の内部にあり、かつ上記容器に内在する上記相変化材料領域および上記容器の外面の間にある、開口；
上記相変化材料から上記容器の上記外面までの方向に熱を伝えるように構成されており、上記開口内部に配置されている、一方向性熱伝導体；ならびに
上記冷却装置の内部に配置されるように構成されている放熱部材、および上記一方向性熱伝導体と熱的に接続している熱伝達部品を備えており、かつ上記容器の上記外面に隣接する、熱分散ユニットを備えている、冷却装置における使用のための恒温容器。
【０３７５】
態様３．
上記導管の内部にある上記熱制御装置が、温度センサ；当該温度センサに取り付けられている電子制御装置；および当該電子制御装置に応答する電子制御の熱制御ユニットを備えている、態様２に記載の恒温容器。
【０３７６】
態様４．
上記一方向性熱伝導体がヒートパイプ装置を備えている、態様２に記載の恒温容器。
【０３７７】
態様５．
上記発熱ユニットが、上記一方向性熱伝導体と熱的に接続しているペルティエ素子を備えている熱伝達部品を備えている、態様２に記載の恒温容器。
【０３７８】
態様６．
冷却装置における使用のための恒温容器であって、
内部領域を備えている恒温容器の１つ以上の壁を実質的に規定している断熱材の１つ以上の部分；
上記恒温容器に内在する貯蔵領域および相変化材料領域を形成するように上記内部領域を分けており、かつ上記貯蔵領域および上記相変化材料領域の間に導管を含んでいる、断熱隔壁；
上記導管の内部に配置されている熱移動要素を含んでおり、上記貯蔵領域の内部にある、サーマルダイオードユニット；
上記恒温容器に内在する上記相変化材料領域および上記恒温容器の外面の間にあり、かつ上記恒温容器を実質的に規定している上記断熱材の部分の内部にある、開口；
上記相変化材料領域から上記恒温容器の上記外面までの方向に熱を伝えるように構成されており、上記開口の内部に配置されている、一方向性熱伝導体；ならびに
上記冷却装置の内部に配置されるように構成されている放熱部材、および上記一方向性熱伝導体と熱的に接続されている熱伝達部品を備えており、かつ上記恒温容器の上記外面に隣接する、熱分散ユニットを備えている、冷却装置における使用のための恒温容器。
【０３７９】
態様７．
上記一方向性熱伝導体がヒートパイプ装置を備えている、態様６に記載の恒温容器。
【０３８０】
態様８．
上記熱分散ユニットの上記熱伝達部品が、熱エネルギーを、上記一方向性熱伝導体から離して伝達するように配置されている熱電ユニットを含み、
上記貯蔵領域の内部に配置されている温度センサ；
上記冷却装置の外部に配置されるように構成されている光起電ユニット；
上記光起電ユニットに取り付けられている逆変換装置；
上記逆変換装置に取り付けられている、密閉されているバッテリ；
上記バッテリに取り付けられている送信機；および
上記温度センサからの入力に応じて上記熱電ユニットに動作信号を送るように、および上記送信機に動作信号を送るように構成されており、かつ上記熱電ユニット、上記温度センサ、上記密閉されているバッテリ、および上記送信機に取り付けられている、制御装置を、さらに備えている、態様６に記載の恒温容器。
【０３８１】
態様９．
上記冷却装置のための制御装置に取り付けられており、上記貯蔵領域の内部に配置されている温度センサをさらに備えている、態様６に記載の恒温容器。
【０３８２】
態様１０．
サーマルダイオードユニットの使用の間に、実質的に垂直であるように構成されている、少なくとも１つの内部壁；
上記少なくとも１つの内部壁と揃う大きさおよび形の、少なくとも１つの外部壁であって、上記少なくとも１つの内部壁および上記少なくとも１つの外部壁との間に形成されている間隙を有している少なくとも１つの外部壁；
上記間隙に隣接する上記少なくとも１つの内部壁の表面に取り付けられたメッシュ構造；
上記間隙内の液体；
上記間隙を取り囲んでいる上記サーマルダイオードユニットの気体不透過性である内部領域を形成している、上記少なくとも１つの内部壁および上記少なくとも１つの外部壁の間にある、１つ以上の密封装置；ならびに
気体不透過性である内部領域の内部にある、大気圧より小さいガス圧を備えている恒温容器における使用のために構成されたサーマルダイオードユニット。
【０３８３】
態様１１．
恒温容器の１つ以上の壁を実質的に規定しており、内部領域を備えている、断熱材の１つ以上の部分；
上記容器に内在する貯蔵領域および相変化材料領域を形成するように上記内部領域を分けており、かつ上記貯蔵領域および上記相変化材料領域の間に導管を含んでいる、上記断熱隔壁；
上記導管の内部にある熱制御装置；
第１の開口部であって、上記容器に内在する相変化材料領域および上記容器の外面の間にあり、上記容器を実質的に規定している上記断熱材の部分にある、開口部；
上記相変化材料領域から上記容器の上記外面までの方向に熱を伝えるように構成されており、上記第１の開口の内部に配置されている、一方向性熱伝導体；
上記容器内部の上記貯蔵領域および上記容器の外面の間にあり、上記容器を実質的に規定している上記断熱材の部分の内部にある、第２の開口；および
上記貯蔵領域から上記容器の上記外面までの方向に熱を伝えるように構成されており、上記第２の開口の内部に配置されている、第２の一方向性熱伝導体
を備えている、冷却装置における使用のための恒温容器。
【０３８４】
態様１２．
上記導管内の上記熱制御装置が、温度センサ；上記温度センサに取り付けられている電子制御装置；および上記電子制御装置に応答する電子制御の熱制御ユニットを備えている、態様１１に記載の恒温容器。
【０３８５】
態様１３．
上記第１の一方向性熱伝導体がヒートパイプ装置を備えている、態様１１に記載の恒温容器。
【０３８６】
態様１４．
上記第１の一方向性熱伝導体がサーマルダイオード装置を備えている、態様１１に記載の恒温容器。
【０３８７】
態様１５．
上記第２の一方向性熱伝導体がヒートパイプ装置を備えている、態様１１に記載の恒温容器。
【０３８８】
態様１６．
上記第２の一方向性熱伝導体がサーマルダイオード装置を備えている、態様１１に記載の恒温容器。
【０３８９】
態様１７．
上記導管内の上記熱制御装置に取り付けられており、上記貯蔵領域の内部に配置されている温度センサをさらに備えている、態様１１に記載の恒温容器。
【０３９０】
態様１８．
上記貯蔵領域に内在する第２の貯蔵領域および上記容器内部の第２の相変化材料領域を形成するように上記内部領域を分けており、かつ上記第２の貯蔵領域および上記第２の相変化材料領域の間に第２の導管を含んでいる、第２の断熱隔壁をさらに備えている、態様１１に記載の恒温容器。
【０３９１】
態様１９．
冷却装置の冷凍部の内部に適合するような大きさおよび形の容器を備えており、当該容器が上記冷却装置の冷却コイルの横断面より大きな縁部の寸法を有している開口部を備えている、蓄熱ユニット；
上記冷却装置の排気開口に隣接して配置されるように構成されている上端を備えている、上記冷却装置の冷蔵部の内部と適合する大きさおよび形のサーマルダイオードユニット；ならびに
温度センサ、上記温度センサに応答する制御装置、および上記制御装置に応答するファンを備えている制御ユニット
を備えている、冷却装置への温度制御の増設部分。
【０３９２】
態様２０．
上記サーマルダイオードユニットが、
上記サーマルダイオードユニットの使用の間に、実質的に垂直であるように構成されている少なくとも１つの内部壁；
上記少なくとも１つの内部壁と上記少なくとも１つの外部壁との間に形成される間隙を有しており、上記冷却装置の冷蔵部の内部に配置されるように構成されている外面を備えている、上記少なくとも１つの内部壁と適合する大きさおよび形の、少なくとも１つの外部壁する上記少なくとも１つの外部壁；
上記間隙に隣接する上記少なくとも１つの内部壁の表面に取り付けられているメッシュ構造；
上記間隙の内部にある液体；
上記間隙を取り囲んでいる上記サーマルダイオードユニットの気体不透過性である内部領域を形成している、上記少なくとも１つの内部壁および上記少なくとも１つの外部壁の間にある、１つ以上の密封装置；および
上記気体不透過性である内部領域の内部にある、大気圧より小さいガス圧
を備えている、態様１９に記載の冷却装置への温度制御の増設部分。
【０３９３】
態様２１．
恒温容器の１つ以上の壁を実質的に規定している断熱材の１つ以上の部分、恒温容器の少なくとも第１の貯蔵領域および第２の貯蔵領域に上記内部領域を分割する熱的に分離されている仕切、上記第１の貯蔵領域に取り付けられている第１の導管、第２の貯蔵領域に取り付けられている第２の導管を備えており、当該第１の導管および第２の導管の両方が、冷却装置の通気導管の内部に配置されるような大きさおよび形である、恒温容器；
上記恒温容器の上記第１の貯蔵領域の内部と揃うような大きさおよび形の第１のサーマルダイオードユニットであって、当該第１のサーマルダイオードユニットは、当該第１のサーマルダイオードユニットの上端と熱的に接続している恒温容器熱伝達部品を備えており、当該熱伝達部品は、上記恒温容器の上記第１の導管の内部に配置されるように構成されている、第１のサーマルダイオードユニット恒温容器；
上記恒温容器の上記第２の貯蔵領域の内部に嵌合するような大きさおよび形の第２のサーマルダイオードユニットであって、当該第２のサーマルダイオードユニットは、当該第２のサーマルダイオードユニットの上端と熱的に接続している恒温容器熱伝達部品を備えており、第２のサーマルダイオードユニット恒温容器；
温度センサ、当該温度センサに応答する制御装置、および上記恒温容器の上記第１の貯蔵領域に取り付けられている当該制御装置に応答するファンを備えている第１の制御ユニット；ならびに
温度センサ、当該温度センサに応答する制御装置、および上記恒温容器の上記第２の貯蔵領域に取り付けられている当該制御装置に応答するファンを備えている第２の制御ユニット
を備えている、冷却装置への温度制御の増設部分。
【０３９４】
態様２２．
上記第１のサーマルダイオードユニットが、
上記第１のサーマルダイオードユニットの使用の間に、実質的に垂直であるように構成されている少なくとも１つの内部壁；
上記少なくとも１つの内部壁および上記少なくとも１つの外部壁の間に形成されている間隙を有している、上記少なくとも１つの内部壁と適合する大きさおよび形の、少なくとも１つの外部壁；
上記間隙に隣接する上記少なくとも１つの内部壁の表面に取り付けられているメッシュ構造；
上記間隙の内部にある液体；
上記間隙を取り囲んでいる上記第１のサーマルダイオードユニットの気体不透過性である内部領域を形成している、上記少なくとも１つの内部壁および上記少なくとも１つの外部壁の間にある、１つ以上の密封装置；ならびに
上記気体不透過性である内部領域の内部にある、大気圧より小さいガス圧
を備えている、態様２１に記載の恒温容器。
【０３９５】
態様２３．
上記冷却装置の冷却コイルに取り付けるために構成されている熱伝導性の取付具、および上記熱伝導性の取付具に付加されている複数の熱伝達性の突起を備えている、取付具；ならびに
冷却装置の冷凍部の部分と揃うような大きさおよび形の、液体を浸透させない容器を備えている蓄熱ユニットであって、当該容器は、上記熱伝導性の取付具に付加されている上記複数の熱伝達性の突起を受け入れるように構成されている複数の開口を備えている、蓄熱ユニット
をさらに備えている、態様２１に記載の冷却装置への温度制御の増設部分。
【０３９６】
態様２４．
冷却装置の内側表面の測定値を取得すること；
上記冷却装置の上記内側表面および熱的に密閉されている内部領域と逆向きに一致構成されている外面を備えている恒温容器を、断熱材から形成されている１つ以上の壁から形成すること；
上記熱的に密閉されている内部領域の内部に少なくとも１つの断熱隔壁を付加して、少なくとも１つの貯蔵領域および少なくとも１つの相変化材料領域を形成すること；
上記恒温容器が上記冷却装置の内部に設置されているときに、熱が、上記熱的に密閉されている内部領域から上記冷却装置の内側表面に伝導されるように、上記１つ以上の壁を通る少なくとも１つの一方向性熱伝導体を配置すること；ならびに
上記相変化材料領域の内部に相変化材料を封入すること
を包含している、冷却装置に温度制御の増設部分を形成する方法。
【０３９７】
態様２５．
上記内部表面の上記測定値を取得することが、上記冷却装置に関する製造者のデータを受け入れることを含んでいる、態様２４に記載の方法。
【図面の簡単な説明】
【０３９８】
【図１】冷却装置における使用における恒温容器の概略図である。
【図２】冷却装置における使用における恒温容器の概略図である。
【図３】冷却装置における使用における恒温容器の概略図である。
【図４】冷却装置における使用における恒温容器の概略図であり、装置内の熱移動を示している。
【図５】冷却装置における使用における恒温容器の概略図である。
【図６】冷却装置における使用における恒温容器の概略図である。
【図７】冷却装置における使用における恒温容器の概略図である。
【図８】冷却装置における使用における恒温容器の概略図である。
【図９】恒温容器の概略図である。
【図１０】恒温容器の概略図である。
【図１１】恒温容器の概略図である。
【図１２】恒温容器の概略図である。
【図１３】恒温容器の概略図である。
【図１４】恒温容器の概略図である。
【図１５】冷却装置における使用における恒温容器の概略図である。
【図１６】恒温容器の概略図である。
【図１７】冷却装置における使用における恒温容器の概略図である。
【図１８】冷却装置における使用における恒温容器の概略図である。
【図１９】サーマルダイオード装置の概略図である。
【図２０】冷却装置における使用における恒温容器の概略図である。
【図２１】冷却装置における使用における恒温容器の概略図である。
【図２２】冷却装置における使用における恒温容器の概略図である。
【図２３】冷却装置における使用における恒温容器の概略図である。
【図２４】冷却装置における使用における恒温容器の概略図であり、装置内の熱移動を示している。
【図２５】冷却装置における使用における恒温容器の概略図である。
【図２６】冷却装置における使用における恒温容器の概略図である。
【図２７】冷却装置における使用における恒温容器の概略図である。
【図２８】冷却装置における使用における恒温容器の概略図である。
【図２９】冷却装置における使用における恒温容器の概略図である。
【図３０】冷却装置における使用における恒温容器の概略図である。
【図３１】冷却装置における使用における恒温容器および遠隔通信装置の概略図である。
【図３２】冷却装置における使用における恒温容器の概略図である。
【図１】
2019078524.tif 000003
【図２】
2019078524.tif 000004
【図３】
2019078524.tif 000005
【図４】
2019078524.tif 000006
【図５】
2019078524.tif 000007
【図６】
2019078524.tif 000008
【図７】
2019078524.tif 000009
【図８】
2019078524.tif 000010
【図９】
2019078524.tif 000011
【図１０】
2019078524.tif 000012
【図１１】
2019078524.tif 000013
【図１２】
2019078524.tif 000014
【図１３】
2019078524.tif 000015
【図１４】
2019078524.tif 000016
【図１５】
2019078524.tif 000017
【図１６】
2019078524.tif 000018
【図１７】
2019078524.tif 000019
【図１８】
2019078524.tif 000020
【図１９】
2019078524.tif 000021
【図２０】
2019078524.tif 000022
【図２１】
2019078524.tif 000023
【図２２】
2019078524.tif 000024
【図２３】
2019078524.tif 000025
【図２４】
2019078524.tif 000026
【図２５】
2019078524.tif 000027
【図２６】
2019078524.tif 000028
【図２７】
2019078524.tif 000029
【図２８】
2019078524.tif 000030
【図２９】
2019078524.tif 000031
【図３０】
2019078524.tif 000032
【図３１】
2019078524.tif 000033
【図３２】
2019078524.tif 000034
【外国語明細書】
2019078524000001.pdf